(57)【要約】情報サービスシステムは、携帯情報装置（１）を所持する不特定多数の使用者により使用可能な場所に設けられ、画像情報を表示する表示部（１４）と、携帯情報装置（１）との通信を行う送受信部（１７）と、携帯情報装置（１）からの要求に基づき、送受信部（１７）を介して携帯情報装置（１）から入力された画像情報を表示部（１４）に表示させる表示制御部（１５）とを備える。これにより、例えば携帯用パソコン（ＰＣ）の使用者が、外出時において携帯性の低いＰＣの使用を強いられることなく、かつ外出中においても大きい表示画面を使用して作業等を行えるようにする。
2002029655.tif 000002
【特許請求の範囲】
【請求項１】
外部装置を所持する不特定多数の使用者により使用可能な場所に設けられ、画像情報を表示する表示手段と、
前記外部装置との通信を行う表示側通信手段と、
前記外部装置からの要求に基づき、前記表示側通信手段を介して外部装置から入力された画像情報を前記表示手段に表示させる表示制御手段とを備えていることを特徴とする情報サービスシステム。
【請求項２】
画像情報を表示する表示手段と、
外部装置との通信を行う表示側通信手段と、
前記表示側通信手段を介して前記外部装置から入力された画像情報を前記表示手段に表示させる表示制御手段と、
前記外部装置による前記表示手段の使用に対して課金する課金処理部を有する表示管理手段とを備えていることを特徴とする情報サービスシステム。
【請求項３】
携帯情報手段と表示提供手段とを備え、
前記表示提供手段は、
前記携帯情報手段を所持する不特定多数の使用者により使用可能な場所に設けられ、画像情報を表示する表示手段と、
前記携帯情報手段との通信を行う表示側通信手段と、
前記携帯情報手段からの使用要求に基づき、前記表示側通信手段を介して携帯情報手段から入力された画像情報を前記表示手段に表示させる表示制御手段と、
前記表示手段の表示動作を管理する表示管理手段とを備えていることを特徴とする情報サービスシステム。
【請求項４】
携帯情報手段と表示提供手段とを備え、
前記表示提供手段は、
画像情報を表示する表示手段と、
前記携帯情報手段との通信を行う表示側通信手段と、
前記表示側通信手段を介して前記携帯情報手段から入力された画像情報を前記表示手段に表示させる表示制御手段と、
前記携帯情報手段による前記表示手段の使用に対して課金する課金処理部を有する表示管理手段とを備えていることを特徴とする情報サービスシステム。
【請求項５】
前記表示手段と前記表示側通信手段とが対をなし、これらの対が一つの表示管理手段に対して複数対設けられていることを特徴とする請求項１から４の何れか１項に記載の情報サービスシステム。
【請求項６】
前記表示手段と前記表示側通信手段とが対をなし、少なくともこれらの対が複数の地域に分散して設けられていることを特徴とする請求項１から４の何れか１項に記載の情報サービスシステム。
【請求項７】
前記課金処理部は、前記携帯情報手段による前記表示手段の使用時間に応じた金額を課金するものであることを特徴とする請求項４に記載の情報サービスシステム。
【請求項８】
前記表示管理手段は、有料情報を格納する有料情報格納部を有するとともに、前記携帯情報手段からの要求に応じて前記有料情報を前記携帯情報手段に提供するものであり、
前記課金処理部は、さらに、前記携帯情報手段に前記有料情報が提供されたときに、前記有料情報の使用料金分を課金するものであることを特徴とする請求項４または７に記載の情報サービスシステム。
【請求項９】
前記表示提供手段は、さらに料金支払い手段受入れ部を有し、
前記課金処理部は、課金する料金の支払いを前記携帯情報手段の使用者に対して請求するとともに、料金の精算を前記料金支払い手段受入れ部に持ち込まれた料金支払い手段に対して行うものであることを特徴とする請求項４または７に記載の情報サービスシステム。
【請求項１０】
前記表示管理手段は、前記料金支払い手段受入れ部に持ち込まれた料金支払い手段により示される使用可能金額に基づいて、携帯情報手段による表示手段の使用時間を管理する使用可否判定部を備えていることを特徴とする請求項９に記載の情報サービスシステム。
【請求項１１】
前記表示管理手段は、さらに、前記表示手段に表示される広告情報を格納する広告情報格納部と、
前記携帯情報手段により前記表示手段が使用されていないときに、前記広告情報格納部に格納されている広告情報が前記表示手段に表示されるように切り換える表示切換え制御部とを備えていることを特徴とする請求項３または４に記載の情報サービスシステム。
【請求項１２】
前記表示管理手段は、さらに、前記表示手段に表示される広告情報を格納する広告情報格納部と、
前記携帯情報手段により前記表示手段が使用されていないときに、前記広告情報格納部に格納されている広告情報が前記表示手段に表示されるように切り換える表示切換え制御部とを備え、
前記課金手段は、前記表示手段における前記広告情報の表示に対して広告主に課金するものであることを特徴とする請求項４または７に記載の情報サービスシステム。
【請求項１３】
前記表示管理手段は、さらに、前記表示手段に表示される広告情報を格納する広告情報格納部と、
前記携帯情報手段により前記表示手段が使用されていないときに、前記広告情報格納部に格納されている広告情報が前記表示手段に表示されるように切り換える表示切換え制御部とを備え、
前記課金処理部は、課金した料金の前記携帯情報手段の使用者に対する請求分を減額し、その減額分を前記表示手段に表示された広告の広告主に請求することを特徴とする請求項４または７に記載の情報サービスシステム。
【請求項１４】
携帯情報手段と表示提供手段とを備え、
前記表示提供手段は、
画像情報を表示する表示手段と、
前記携帯情報手段との通信を行う表示側通信手段と、
前記表示側通信手段を介して前記携帯情報手段から入力された画像情報を前記表示手段に表示させる表示制御手段と、
前記表示手段の動作を管理する表示管理手段とを備え、
前記表示管理手段は、
前記表示手段に表示される広告情報を格納する広告情報格納部と、
前記携帯情報手段により前記表示手段が使用されていないときに、前記広告情報格納部に格納されている広告情報が前記表示手段に表示されるように切り換える表示切換え制御部と、
前記表示手段の使用料を前記表示手段に表示された広告の広告主に対して課金する課金処理部とを備えていることを特徴とする情報サービスシステム。
【請求項１５】
前記課金処理部は、課金により得た利益の一部を少なくとも前記表示手段の設置場所を提供する設置場所提供者に還元することを特徴とする請求項４または１４に記載の情報サービスシステム。
【請求項１６】
前記課金処理部は、課金により得た利益の一部を少なくとも前記表示手段の設置場所を提供する設置場所提供者に還元する一方、前記設置場所提供者が広告主である場合には、前記設置場所提供者に対して前記課金を行うものであることを特徴とする請求項１２に記載の情報サービスシステム。
【請求項１７】
前記課金処理部は、課金により得た利益の一部を少なくとも前記表示手段の設置場所を提供する設置場所提供者に還元する一方、前記設置場所提供者が広告主である場合には、前記設置場所提供者に対して前記課金を行うものであることを特徴とする請求項１３に記載の情報サービスシステム。
【請求項１８】
前記課金処理部は、課金により得た利益の一部を少なくとも前記表示手段の設置場所を提供する設置場所提供者に還元する一方、前記設置場所提供者が広告主である場合には、前記設置場所提供者に対して前記課金を行うものであることを特徴とする請求項１４に記載の情報サービスシステム。
【請求項１９】
前記携帯情報手段と前記表示提供手段との通信が、ＩＥＥＥ８０２．１１、ＵＳＢ、またはＩＥＥＥ１３９４の仕様に基づいて行われることを特徴とする請求項３または４に記載の情報サービスシステム。
【請求項２０】
携帯情報手段を所持する不特定多数の使用者により使用可能な場所に、画像情報を表示する表示手段を設置し、前記携帯情報手段からの使用要求に基づき、前記携帯情報手段から入力された画像情報を前記表示手段に表示させることを特徴とする情報サービス方法。
【請求項２１】
画像情報を表示する表示手段を設置し、携帯情報手段から入力された画像情報を前記表示手段に表示させ、前記携帯情報手段による前記表示手段の使用に対して課金することを特徴とする情報サービス方法。
【請求項２２】
課金する料金の支払いを前記携帯情報手段の使用者に対して請求するとともに、料金の精算を提示された料金支払い手段に対して行うことを特徴とする請求項２１に記載の情報サービス方法。
【請求項２３】
前記携帯情報手段により前記表示手段が使用されていないときに、広告情報を前記表示手段に表示させることを特徴とする請求項２０から２２の何れか１項に記載の情報サービス方法。
【請求項２４】
前記表示手段における前記広告情報の表示に対して広告主に課金することを特徴とする請求項２３に記載の情報サービス方法。
【請求項２５】
前記携帯情報手段により前記表示手段が使用されていないときに、広告情報を前記表示手段に表示させるとともに、課金した料金の前記携帯情報手段の使用者に対する請求分を減額し、その減額分を前記表示手段に表示された広告の広告主に請求することを特徴とする請求項２２に記載の情報サービス方法。
【請求項２６】
画像情報を表示する表示手段を設置し、携帯情報手段から入力された画像情報を前記表示手段に表示させる一方、前記携帯情報手段により前記表示手段が使用されていないときに、広告情報を前記表示手段に表示させ、携帯情報手段および広告表示による表示手段の使用料を前記表示手段に表示された広告の広告主に対して課金することを特徴とする情報サービス方法。
【請求項２７】
課金により得た利益の一部を前記表示手段の設置場所提供者に還元することを特徴とする請求項２１または２６に記載の情報サービス方法。
【請求項２８】
課金により得た利益の一部を前記表示手段の設置場所を提供する設置場所提供者に還元する一方、前記設置場所提供者が広告主である場合には、前記設置場所提供者に対して前記課金を行うことを特徴とする請求項２３に記載の情報サービス方法。
【請求項２９】
課金により得た利益の一部を前記表示手段の設置場所を提供する設置場所提供者に還元する一方、前記設置場所提供者が広告主である場合には、前記設置場所提供者に対して前記課金を行うことを特徴とする請求項２５に記載の情報サービス方法。
【請求項３０】
課金により得た利益の一部を前記表示手段の設置場所を提供する設置場所提供者に還元する一方、前記設置場所提供者が広告主である場合には、前記設置場所提供者に対して前記課金を行うことを特徴とする請求項２６に記載の情報サービス方法。
【請求項３１】
外部装置を所持する不特定多数の使用者により使用可能な場所に設けられ、情報を表示する表示手段と、
前記外部装置との通信を行う表示側通信手段と、
前記外部装置から前記表示側通信手段を介して入力された要求に基づき、通信ネットワークを介して情報を取り込み、この情報を前記表示手段に表示させる表示管理手段とを備えていることを特徴とする情報サービスシステム。
【請求項３２】
外部装置を所持する不特定多数の使用者により使用可能な場所に設けられ、情報を表示する表示手段と、
前記外部装置との通信を行う表示側通信手段と、
前記外部装置から前記表示側通信手段を介して入力された要求に基づき、通信ネットワークを介して情報を取り込み、この情報を前記表示側通信手段を介して前記外部装置に供給するとともに、この処理の経過を前記表示手段に表示させる表示管理手段とを備えていることを特徴とする情報サービスシステム。
【請求項３３】
情報を表示する表示手段と、
外部装置との通信を行う表示側通信手段と、
前記外部装置から前記表示側通信手段を介して入力された要求に基づき、通信ネットワークを介して情報を取り込み、この情報を前記表示手段に表示させるとともに、前記外部装置からの要求に基づいて行う処理の少なくとも一部に対して課金する表示管理手段とを備えていることを特徴とする情報サービスシステム。
【請求項３４】
情報を表示する表示手段と、
前記外部装置との通信を行う表示側通信手段と、
前記外部装置から前記表示側通信手段を介して入力された要求に基づき、通信ネットワークを介して情報を取り込み、この情報を前記表示側通信手段を介して前記外部装置に供給し、この処理の経過を前記表示手段に表示させるとともに、前記外部装置からの要求に基づいて行う処理の少なくとも一部に対して課金する表示管理手段とを備えていることを特徴とする情報サービスシステム。
【請求項３５】
前記外部装置としての携帯情報手段を備えるとともに、前記ネットワークを介して前記表示管理手段に情報を配信可能な情報配信手段を備えていることを特徴とする請求項３１から３４の何れか１項に記載の情報サービスシステム。
【請求項３６】
前記表示手段と前記表示側通信手段とが対をなし、これらの対が一つの表示管理手段に対して複数対設けられていることを特徴とする請求項３１から３４の何れか１項に記載の情報サービスシステム。
【請求項３７】
前記表示手段と前記表示側通信手段とが対をなし、少なくともこれらの対が複数の地域に分散して設けられていることを特徴とする請求項３１から３４の何れか１項に記載の情報サービスシステム。
【請求項３８】
前記表示管理手段は、前記課金を前記表示手段の使用時間に応じて行うものであることを特徴とする請求項３３に記載の情報サービスシステム。
【請求項３９】
前記表示管理手段は、前記通信ネットワークを介しての情報配信契約を交わしている情報配信手段から有料情報を取得するものであることを特徴とする請求項３３または３４に記載の情報サービスシステム。
【請求項４０】
前記情報配信手段が複数存在し、前記表示管理手段は、取得すべき有料情報を最も安価に提供する情報配信手段から取得するものであることを特徴とする請求項３９に記載の情報サービスシステム。
【請求項４１】
さらに料金支払い手段受入れ部を有し、
前記表示管理手段は、課金する料金の支払いを前記外部装置の使用者に対して請求するとともに、料金の精算を前記料金支払い手段受入れ部に持ち込まれた料金支払い手段に対して行うものであることを特徴とする請求項３３または３４に記載の情報サービスシステム。
【請求項４２】
前記表示管理手段は、前記料金支払い手段受入れ部に持ち込まれた料金支払い手段により示される使用可能金額に基づいて、外部装置による表示手段の使用時間を管理するものであることを特徴とする請求項４１に記載の情報サービスシステム。
【請求項４３】
前記表示管理手段は、前記表示手段に表示される広告情報を格納する広告情報格納部を備えるとともに、前記外部装置により前記表示手段が使用されていないときに、前記広告情報格納部に格納されている広告情報を前記表示手段に表示させるものであることを特徴とする請求項３１から３４の何れか１項に記載の情報サービスシステム。
【請求項４４】
前記表示管理手段は、前記外部装置により前記表示手段が使用されていないときに、前記通信ネットワークを介して広告情報を取り込み、この広告情報を前記表示手段に表示させるものであることを特徴とする請求項３１から３４の何れか１項に記載の情報サービスシステム。
【請求項４５】
前記表示管理手段は、前記表示手段における前記広告情報の表示に対して広告主に課金するものであることを特徴とする請求項４３に記載の情報サービスシステム。
【請求項４６】
前記表示管理手段は、前記表示手段における前記広告情報の表示に対して広告主に課金するものであることを特徴とする請求項４４に記載の情報サービスシステム。
【請求項４７】
前記表示管理手段は、前記外部装置により前記表示手段が使用されていないときに、広告情報を前記表示手段に表示させるとともに、前記表示手段における前記広告情報の表示に対して広告主に課金する一方、前記外部装置の使用者に対しその課金による請求分を減額し、その減額分を前記広告主に請求することを特徴とする請求項３３または３４に記載の情報サービスシステム。
【請求項４８】
前記表示管理手段は、課金により得た利益の一部を少なくとも前記表示手段の設置場所を提供する設置場所提供者に還元することを特徴とする請求項３３または３４に記載の情報サービスシステム。
【請求項４９】
前記表示管理手段は、課金により得た利益の一部を少なくとも前記表示手段の設置場所を提供する設置場所提供者に還元する一方、前記設置場所提供者が広告主である場合には、前記設置場所提供者に対して前記課金を行うものであることを特徴とする請求項４５に記載の情報サービスシステム。
【請求項５０】
前記表示管理手段は、課金により得た利益の一部を少なくとも前記表示手段の設置場所を提供する設置場所提供者に還元する一方、前記設置場所提供者が広告主である場合には、前記設置場所提供者に対して前記課金を行うものであることを特徴とする請求項４６に記載の情報サービスシステム。
【請求項５１】
前記表示管理手段は、課金により得た利益の一部を少なくとも前記表示手段の設置場所を提供する設置場所提供者に還元する一方、前記設置場所提供者が広告主である場合には、前記設置場所提供者に対して前記課金を行うものであることを特徴とする請求項４７に記載の情報サービスシステム。
【請求項５２】
前記表示管理手段は、外部装置の使用者に対しての質問事項を格納する質問事項格納部を備えるとともに、前記外部装置から本システムの使用要求が入力されたときに、前記質問事項を前記表示手段に表示させるものであることを特徴とする請求項３１から３４の何れか１項に記載の情報サービスシステム。
【請求項５３】
前記表示管理手段は、前記外部装置から本システムの使用要求が入力されたときに、前記外部装置の使用者に対する質問事項を前記通信ネットワークを介して質問事項の依頼元から取り込むとともに、前記質問事項を前記表示手段に表示させるものであることを特徴とする請求項３１から３４の何れか１項に記載の情報サービスシステム。
【請求項５４】
前記表示管理手段は、前記外部装置から本システムの使用要求が入力されたときに、前記外部装置の使用者に対する質問事項を前記表示手段に表示させるとともに、この質問事項に対して回答が得られたときに、前記外部装置の使用者に対しての課金による請求分を減額するものであることを特徴とする請求項３３または３４に記載の情報サービスシステム。
【請求項５５】
前記表示管理手段は、質問事項の回答に基づく前記減額分を質問事項の依頼元に請求することを特徴とする請求項５４に記載の情報サービスシステム。
【請求項５６】
表示側通信手段は、前記外部装置との通信を、ＩＥＥＥ８０２．１１、ＵＳＢ、またはＩＥＥＥ１３９４の仕様に基づいて行うことを特徴とする請求項３１から３４の何れか１項に記載の情報サービスシステム。
【請求項５７】
前記表示管理手段と前記通信ネットワークとの間に、無線通信手段、およびこの無線通信手段を介しての前記表示管理手段と通信ネットワークとの中継を行う通信管理手段とを備えていることを特徴とする請求項３１から３４の何れか１項に記載の情報サービスシステム。
【請求項５８】
外部装置を所持する不特定多数の使用者により使用可能な場所に、情報を表示する表示手段を設置し、前記外部装置から入力された要求に基づき、通信ネットワークを介して情報を取り込み、この情報を表示手段に表示させることを特徴とする情報サービス方法。
【請求項５９】
外部装置を所持する不特定多数の使用者により使用可能な場所に、情報を表示する表示手段を設置し、前記外部装置から入力された要求に基づき、通信ネットワークを介して情報を取り込み、この情報を前記外部装置に供給するとともに、この処理の経過を前記表示手段に表示させることを特徴とする情報サービス方法。
【請求項６０】
情報を表示する表示手段を設置し、外部装置から入力された要求に基づき、通信ネットワークを介して情報を取り込み、この情報を前記表示手段に表示させるとともに、前記外部装置からの要求に基づいて行う処理の少なくとも一部に対して課金することを特徴とする情報サービス方法。
【請求項６１】
情報を表示する表示手段を設置し、外部装置から入力された要求に基づき、通信ネットワークを介して情報を取り込み、この情報を前記外部装置に供給し、この処理の経過を前記表示手段に表示させるとともに、前記外部装置からの要求に基づいて行う処理の少なくとも一部に対して課金することを特徴とする情報サービス方法。
【請求項６２】
前記外部装置として携帯情報手段を使用し、前記情報を前記ネットワークを介して情報を配信可能な情報配信手段から取り込むことを特徴とする請求項５８から６１の何れか１項に記載の情報サービス方法。
【請求項６３】
取得する前記情報が有料情報であり、この有料情報を、前記通信ネットワークを介しての情報配信契約を交わしている情報配信手段から取得することを特徴とする請求項６０または６１に記載の情報サービス方法。
【請求項６４】
前記情報配信手段が複数存在し、取得すべき有料情報を最も安価に提供する情報配信手段から取得することを特徴とする請求項６３に記載の情報サービス方法。
【請求項６５】
前記外部装置により前記表示手段が使用されていないときに、広告情報を前記表示手段に表示させることを特徴とする請求項５８から６１の何れか１項に記載の情報サービス方法。
【請求項６６】
前記外部装置により前記表示手段が使用されていないときに、広告情報を前記表示手段に表示させるとともに、前記表示手段における前記広告情報の表示に対して広告主に課金することを特徴とする請求項６５に記載の情報サービス方法。
【請求項６７】
前記外部装置により前記表示手段が使用されていないときに、広告情報を前記表示手段に表示させるとともに、前記表示手段における前記広告情報の表示に対して広告主に課金する一方、前記外部装置の使用者に対しての課金による請求分を減額し、その減額分を前記広告主に請求することを特徴とする請求項６０または６１に記載の情報サービス方法。
【請求項６８】
前記外部装置から本システムの使用要求が入力されたときに、外部装置の使用者に対する質問事項を前記表示手段に表示させることを特徴とする請求項５８から６１の何れか１項に記載の情報サービス方法。
【請求項６９】
前記外部装置から本システムの使用要求が入力されたときに、前記外部装置の使用者に対する質問事項を前記表示手段に表示させるとともに、この質問事項に対して回答が得られたときに、前記外部装置の使用者に対しての課金による請求分を減額することを特徴とする請求項６０または６１に記載の情報サービス方法。
【請求項７０】
質問事項の回答に基づく前記減額分を質問事項の依頼元に請求することを特徴とする請求項６９に記載の情報サービス方法。
【請求項７１】
前記通信ネットワークを介して取り込む情報を、さらに無線通信手段を介して取り込むことを特徴とする請求項５８から６１の何れか１項に記載の情報サービス方法。
【発明の詳細な説明】
技術分野
本発明は、例えば小型の携帯情報装置のユーザーに対し、外出先において例えば大型画面の表示装置を提供する情報サービスシステムおよび情報サービス方法に関するものである。
背景技術
近年、インターネットを始めとするＩＴ（Ｉｎｆｏｒｍａｔｉｏｎ　Ｔｅｃｈｎｏｌｏｇｙ）の爆発的な普及、および装置自体の価格の低下から、パーソナルコンピュータ（以下、ＰＣと称する）の普及率は増加の一途をたどっている。情報端末装置としてのＰＣでは、例えばインターネットを使用すれば、いろいろな情報を取り込んだり、あるいはアプリケーションプログラムをダウンロードして使用することが可能である。また、インターネットでは、ＰＣ同士のみならず、ＰＣと携帯電話や携帯情報端末等の機器とのデータのやり取りも可能であるから、今後もこれら情報機器とともに普及していくことが予想される。
ＰＣは、一般的な構成として、本体ユニットと画像データを表示する表示ユニットとを有している。本体ユニットは、ＰＣの使用者がデータ等を入力するための操作部と、データの処理、保存および表示用画像データの作成等を行うデータ制御部とを備えている。なお、ＰＣの種類によっては、操作部が本体ユニットと分離しているものもある。
前記操作部においては一般的にキーボード入力、あるいは音声入力によりデータが入力される。本体ユニットは、データの処理を行うＣＰＵ（Ｃｅｎｔｒａｌ　Ｐｒｏｃｅｓｓｉｎｇ　Ｕｎｉｔ）、大容量データを保存するＨＤ（Ｈａｒｄ　Ｄｉｓｋ）、データ処理に必要なメモリ、および画像データを作成するグラフィックカードなどを備えている。表示ユニットは、省スペース型の場合、液晶パネル、液晶駆動用の信号変換部、液晶バックライトおよびこのバックライトのインバータを備えている。このようなＰＣとしては、高機能化および経済性を重視したデスクトップ型のものと、携帯性、即ち小型化かつ軽量化を重視したノート型のものとが普及している。
後者のノートＰＣは、上記の操作部と本体ユニットと表示ユニットとを一体化した形態となっている。このようなノートＰＣにおいては、容易に携帯可能な情報端末装置としての位置付けから、さらなる携帯性および小型化の向上が求められている。このような要求に対し、日本国公開特許公報「特開平９−６２４００号公報」（公開日１９９７年３月７日）では、上記の操作部と本体部（本体ユニット）と表示部（表示ユニット）とを備えた構成を前提として、ノートＰＣの軽量化のための努力がなされている。
即ち、上記公報の構成では、表示部の筐体部である背面カバーの薄肉化のために、背面カバーに筋交い状の菱形格子状リブを形成して強度を高め、これにより、ノートＰＣの軽量化を図っている。
また、上記ＰＣに加えて、携帯電話、携帯情報端末等の情報機器の普及率も、インターネットを始めとするＩＴの爆発的な普及と装置自体の価格の低下から、増加の一途をたどっている。インターネットを使用すれば、情報機器に多種多様な情報を取り込んだり、様々なアプリケーションソフトウエアをダウンロードして使用したり、またメールによる情報機器間の交信も可能である。
このような機能を有する一般的な情報機器は、主に、データ等の入力操作部、データの処理・保存および表示用画像データの作成等を行なう本体部、画像データを表示する表示部から構成されている（例えば前記特開平９−６２４００号公報参照）。このうち、表示部は、例えばＰＣの場合、ＴＦＴカラー液晶パネルが主流であり、携帯型情報端末や携帯電話の場合、小型のデューティ液晶パネルが主流である。
しかしながら上記従来のＰＣでは、たとえノートＰＣの形態を採用し、かつその軽量化を図ったとしても、少なくとも本体部と表示部とを備えた形態とする限り、表示部において画像データを適切に表示するための、面積が必要である。このため、表示部による面積および重量の制限を受け、小型化および軽量化には限界がある。
即ち、小型軽量化を図るために表示部の面積を小さくすると、表示部の例えば解像度を犠牲にしなければならず、表示機能が著しく低下する。また、解像度を犠牲にすることに代えて画素ピッチを小さくすると、それに伴い文字フォントが小さくなり、同様に表示機能が著しく低下する。このような問題は、例えば携帯電話、あるいはノートＰＣ以外の携帯情報端末においても同様である。
したがって、現在のところ、ＰＣ使用者が外出先において十分な面積の表示画面を使用して作業を行うには、そのような表示部を有し、携帯性の不十分なＰＣを携帯するか、もしくは外出先に使用者自身が使用可能なＰＣを設置するしか方法がない。この場合、後者では、不特定の外出先においてＰＣによる作業を行うことが実質的に困難である。一方、携帯性を重視する場合には、表示部の面積が小さい携帯電話や携帯情報端末を使用することを余儀なくされる。
また、近年において、インターネット上のＨＰ（Ｈｏｍｅ　Ｐａｇｅ）や、市販のアプリケーションソフトウエアには、静止画像、動画像、音声や音楽データ等を駆使した情報量の豊富なものが増加している。これらを快適に使用するためには、これらのデータを再生し、表示するための専用のソフトウエアが個々の情報機器に内蔵されていること、並びに大型かつ高精細の表示装置を使用することが必要である。
また、携帯情報端末や携帯電話等の携帯情報装置は、移動中等どこからでもインターネットと接続でき、情報収集や分析、情報発信を行なうことができる利便性を有している。したがって、このような携帯情報装置において、さらに利便性に優れた使用形態を確立することについては、大きな期待が寄せられている。
しかしながら、上記の携帯情報装置では、その携帯性が故にそれが備える表示パネルの大型化には限界がある。したがって、主として操作部と本体部と表示部とを備えた従来の携帯情報装置の形態において、優れた表示機能と携帯機能とを両立させることは困難である。
なお、前記特開平９−６２４００号公報においては、前述のように、操作部と本体部と表示部とを備えた構成を前提として、ノートＰＣの軽量化のための努力がなされている。即ち、表示部の筐体部である背面カバーの薄肉化のために、背面カバーに筋交い状の菱形格子状リブを形成して強度を高め、これにより、ノートＰＣの軽量化を図っている。しかしながら、この構成においても、表示部において画像データを適切に表示するための面積が必要であるため、表示部による面積および重量の制限を受け、同様に十分な小型軽量化ができない。
また、前述の大型かつ高精細の表示装置、例えば液晶表示パネルは、現時点でも高価であること、あるいは住宅事情により誰もが容易に購入できる状況には無いという問題がある。
一方、大画面を排除した小型軽量の携帯情報装置では、携帯性が良好であるものの、上記情報量の多いコンテンツデータ（例えばアプリケーションソフトウエア）を適切に表示しながら使用すること、あるいは大画面での表示を行いながら文書や図表等を能率良く作成することができない。したがって、これらの処理は、例えば自宅において大画面を有するパソコンを使用して行うことや、例えば携帯情報装置に上記コンテンツデータを取り込んでいるときには、そのデータをパソコンに移動させて行うことを余儀なくされる。したがって、このような小型軽量の携帯情報装置が有する携帯性の利点を充分に活かしきれないという問題がある。
したがって、本発明は、携帯情報装置において大画面を排除して小型軽量化でき、かつこの小型軽量の利点を生かすことができるとともに、外出中においても大きい表示画面を使用して作業等を行うこと、並びに例えばインターネットを経由して取り込んだデータを使用することを可能とする情報サービスシステムおよび情報サービス方法、あるいは例えばＰＣの使用者が、外出時において携帯性の低いＰＣの使用を強いられることなく、かつ外出中においても大きい表示画面を使用して作業等を行うことができる情報サービスシステムおよび情報サービス方法の提供を目的としている。
発明の開示
上記の課題を解決するために、本発明の情報サービスシステムは、外部装置、例えば携帯型パーソナルコンピュータを所持する不特定多数の使用者により使用可能な場所に設けられ、画像情報を表示する表示手段と、前記外部装置との通信を行う表示側通信手段と、前記外部装置からの要求に基づき、前記表示側通信手段を介して外部装置から入力された画像情報を前記表示手段に表示させる表示制御手段とを備えていることを特徴としている。
上記の構成によれば、外部装置からの要求に基づき、表示制御手段は、表示側通信手段を介して外部装置から入力された画像情報を表示手段に表示させる。したがって、外部装置には、画像を適切に表示可能な大型の表示手段が不要となる。この結果、外部装置は小型軽量化が可能となり、携帯性が向上する。
また、表示手段は、外部装置を所持する不特定多数の使用者により使用可能な場所、例えば公共の場所に設けられているので、外部装置の所持者は、外出先や移動先において表示手段を容易に使用可能である。
本発明の他の情報サービスシステムは、画像情報を表示する表示手段と、外部装置、例えば携帯型パーソナルコンピュータとの通信を行う表示側通信手段と、前記表示側通信手段を介して前記外部装置から入力された画像情報を前記表示手段に表示させる表示制御手段と、前記外部装置による前記表示手段の使用に対して課金する課金処理部を有する表示管理手段とを備えていることを特徴としている。
上記の構成によれば、外部装置からの要求に基づき、表示制御手段は、表示側通信手段を介して外部装置から入力された画像情報を表示手段に表示させる。したがって、外部装置には、画像を適切に表示可能な大型の表示手段が不要となる。この結果、外部装置は小型軽量化が可能となり、携帯性が向上する。
また、表示管理手段の課金処理部が、外部装置による表示手段の使用に対して課金するので、表示手段の使用に対して適切に利益を得ることができる。
本発明のさらに他の情報サービスシステムは、携帯情報手段、例えば携帯型パーソナルコンピュータと表示提供手段とを備え、前記表示提供手段が、前記携帯情報手段を所持する不特定多数の使用者により使用可能な場所に設けられ、画像情報を表示する表示手段と、前記携帯情報手段との通信を行う表示側通信手段と、前記携帯情報手段からの使用要求に基づき、前記表示側通信手段を介して携帯情報手段から入力された画像情報を前記表示手段に表示させる表示制御手段と、前記表示手段の表示動作を管理する表示管理手段とを備えていることを特徴としている。
上記の構成によれば、携帯情報手段からの要求に基づき、表示制御手段は、表示側通信手段を介して携帯情報手段から入力された画像情報を表示手段に表示させる。したがって、携帯情報手段には、画像を適切に表示可能な大型の表示手段が不要となる。この結果、携帯情報手段は小型軽量化が可能となり、携帯性が向上する。
また、表示手段は、携帯情報手段を所持する不特定多数の使用者により使用可能な場所、例えば公共の場所に設けられているので、携帯情報手段の所持者は、外出先や移動先において表示手段を容易に使用可能である。
本発明のさらに他の情報サービスシステムは、携帯情報手段、例えば携帯型パーソナルコンピュータと表示提供手段とを備え、前記表示提供手段が、画像情報を表示する表示手段と、前記携帯情報手段との通信を行う表示側通信手段と、前記表示側通信手段を介して前記携帯情報手段から入力された画像情報を前記表示手段に表示させる表示制御手段と、前記携帯情報手段による前記表示手段の使用に対して課金する課金処理部を有する表示管理手段とを備えていることを特徴としている。
上記の構成によれば、携帯情報手段からの要求に基づき、表示制御手段は、表示側通信手段を介して携帯情報手段から入力された画像情報を表示手段に表示させる。したがって、携帯情報手段には、画像を適切に表示可能な大型の表示手段が不要となる。この結果、携帯情報手段は小型軽量化が可能となり、携帯性が向上する。
また、表示管理手段の課金処理部が、携帯情報手段による表示手段の使用に対して課金するので、表示手段の使用に対して適切に利益を得ることができる。
上記の情報サービスシステムは、前記表示手段と前記表示側通信手段とが対をなし、これらの対が一つの表示管理手段に対して複数対設けられている構成としてもよい。
上記の構成によれば、一つの表示管理手段が複数の表示手段を管理するので、効率のよいシステムを構成できるとともに、複数の表示手段の設置が容易となる。
上記の情報サービスシステムは、前記表示手段と前記表示側通信手段とが対をなし、少なくともこれらの対が複数の地域に分散して設けられている構成としてもよい。
上記の構成によれば、表示手段が複数の地域に分散して設けられているので、表示手段の使用が容易となり、本システムの利便性が向上する。
上記の情報サービスシステムは、前記課金処理部が、前記携帯情報手段による前記表示手段の使用時間に応じた金額を課金する構成としてもよい。
上記の構成によれば、携帯情報手段による表示手段の使用に対して、適切な課金が可能となる。
上記の情報サービスシステムは、前記表示管理手段が、有料情報を格納する有料情報格納部を有するとともに、前記携帯情報手段からの要求に応じて前記有料情報を前記携帯情報手段に提供するものであり、前記課金処理部が、さらに、前記携帯情報手段に前記有料情報が提供されたときに、前記有料情報の使用料金分を課金する構成としてもよい。
上記の構成によれば、携帯情報手段は、携帯情報手段が保持する画像情報を表示手段に表示させるという表示手段の使用に加えて、表示管理手段の有料情報格納部が保持する有料情報も使用可能となりシステムの利便性が向上する。また、携帯情報手段による表示手段の使用に加えて、有料管理手段が保持する有料情報の使用に対しても適切な課金が可能となる。
上記の情報サービスシステムは、前記表示提供手段が、さらに料金支払い手段受入れ部を有し、前記課金処理部が、課金する料金の支払いを前記携帯情報手段の使用者に対して請求するとともに、料金の精算を前記料金支払い手段受入れ部に持ち込まれた料金支払い手段に対して行う構成としてもよい。
上記の構成によれば、課金処理部は、課金した料金の精算を料金支払い手段受入れ部に持ち込まれた料金支払い手段、例えば現金、クレジットカード、デビットカード、各種プリペイドカード、電子マネーに対して行う。したがって、携帯情報手段の使用者（所持者）による使用料金の精算が容易となる。
上記の情報サービスシステムは、前記表示管理手段が、前記料金支払い手段受入れ部に持ち込まれた料金支払い手段により示される使用可能金額に基づいて、携帯情報手段による表示手段の使用時間を管理する使用可否判定部とを備えている構成としてもよい。
上記の構成によれば、使用可否判定部が料金支払い手段受入れ部に持ち込まれた料金支払い手段、例えば現金、クレジットカード、デビットカード、各種プリペイドカード、電子マネーにより示される使用可能金額に基づいて、携帯情報手段による表示手段の使用時間を管理するので、携帯情報手段による表示手段の使用可能時間の管理を適切に行うことができる。
上記の情報サービスシステムは、前記表示管理手段が、さらに、前記表示手段に表示される広告情報を格納する広告情報格納部と、前記携帯情報手段により前記表示手段が使用されていないときに、前記広告情報格納部に格納されている広告情報が前記表示手段に表示されるように切り換える表示切換え制御部とを備えている構成としてもよい。
上記の構成によれば、携帯情報手段により表示手段が使用されていないときには、表示切換え制御部の切換え動作により、広告情報格納部に格納されている広告情報が表示手段に表示される。したがって、携帯情報手段により表示手段が使用されていないときには、広告主が表示手段の表示機能を有効に利用し、広告を行うことができる。
上記の情報サービスシステムは、前記表示管理手段が、さらに、前記表示手段に表示される広告情報を格納する広告情報格納部と、前記携帯情報手段により前記表示手段が使用されていないときに、前記広告情報格納部に格納されている広告情報が前記表示手段に表示されるように切り換える表示切換え制御部とを備え、前記課金処理部が、前記表示手段における前記広告情報の表示に対して広告主に課金する構成としてもよい。
上記の構成によれば、携帯情報手段により表示手段が使用されていないときには、表示切換え制御部の切換え動作により、広告情報格納部に格納されている広告情報が表示手段に表示される。したがって、携帯情報手段により表示手段が使用されていないときには、広告主が表示手段の表示機能を有効に利用し、広告を行うことができる。
また、課金処理部が、表示手段における広告情報の表示に対して広告主に課金するので、表示手段における広告情報の表示に対して適切に利益を得ることができる。
上記の情報サービスシステムは、前記表示管理手段が、さらに、前記表示手段に表示される広告情報を格納する広告情報格納部と、前記携帯情報手段により前記表示手段が使用されていないときに、前記広告情報格納部に格納されている広告情報が前記表示手段に表示されるように切り換える表示切換え制御部とを備え、前記課金処理部が、課金した料金の前記携帯情報手段の使用者に対する請求分を減額し、その減額分を前記表示手段に表示された広告の広告主に請求する構成としてもよい。
上記の構成によれば、携帯情報手段により表示手段が使用されていないときには、表示切換え制御部の切換え動作により、広告情報格納部に格納されている広告情報が表示手段に表示される。したがって、携帯情報手段により表示手段が使用されていないときには、広告主が表示手段の表示機能を有効に利用し、広告を行うことができる。
また、上記の広告表示に基づき、課金処理部は、課金した料金の携帯情報手段の使用者に対する請求分を減額し、その減額分を表示手段に表示された広告の広告主に請求する。したがって、携帯情報手段の使用者にとっても安価で利用し易いシステムとなる。
本発明のさらに他の情報サービスシステムは、携帯情報手段と表示提供手段とを備え、前記表示提供手段が、画像情報を表示する表示手段と、前記携帯情報手段との通信を行う表示側通信手段と、前記表示側通信手段を介して前記携帯情報手段から入力された画像情報を前記表示手段に表示させる表示制御手段と、前記表示手段の動作を管理する表示管理手段とを備え、前記表示管理手段が、前記表示手段に表示される広告情報を格納する広告情報格納部と、前記携帯情報手段により前記表示手段が使用されていないときに、前記広告情報格納部に格納されている広告情報が前記表示手段に表示されるように切り換える表示切換え制御部と、前記表示手段の使用料を前記表示手段に表示された広告の広告主に対して課金する課金処理部とを備えていることを特徴としている。
上記の構成によれば、携帯情報手段からの要求に基づき、表示制御手段は、表示側通信手段を介して携帯情報手段から入力された画像情報を表示手段に表示させる。したがって、携帯情報手段には、画像を適切に表示可能な大型の表示手段が不要となる。この結果、携帯情報手段は小型軽量化が可能となり、携帯性が向上する。
また、携帯情報手段により表示手段が使用されていないときには、表示切換え制御部の切換え動作により、広告情報格納部に格納されている広告情報が表示手段に表示される。したがって、携帯情報手段により表示手段が使用されていないときには、広告主が表示手段の表示機能を有効に利用し、広告を行うことができる。
さらに、上記の広告表示に基づき、課金処理部は、表示手段の使用料を表示手段に表示された広告の広告主に対して課金する。したがって、携帯情報手段の使用者にとっても経済的な負担がなく、利用し易いシステムとなる。
上記の情報サービスシステムは、前記課金処理部が、課金により得た利益の一部を少なくとも前記表示手段の設置場所を提供する設置場所提供者に還元する構成としてもよい。
上記の構成によれば、少なくとも表示手段の設置場所提供者も設置場所の提供に対して利益を得ることができる。
上記の情報サービスシステムは、前記課金処理部が、課金により得た利益の一部を少なくとも前記表示手段の設置場所を提供する設置場所提供者に還元する一方、前記設置場所提供者が広告主である場合には、前記設置場所提供者に対して前記課金を行うものである構成としてもよい。
上記の構成によれば、少なくとも表示手段の設置場所提供者も設置場所の提供に対して利益を得ることができる。一方、設置場所提供者が広告主である場合には、設置場所提供者に対して課金を行うので、設置場所提供者に対する利益の還元および課金を適切に行うことができる。
上記の情報サービスシステムは、前記携帯情報手段と前記表示提供手段との通信が、ＩＥＥＥ８０２．１１、ＵＳＢ、またはＩＥＥＥ１３９４の仕様に基づいて行われる構成としてもよい。
上記の構成によれば、携帯情報手段と表示提供手段との通信のための接続を簡単に行うことができる。
本発明の情報サービス方法は、携帯情報手段を所持する不特定多数の使用者により使用可能な場所に、画像情報を表示する表示手段を設置し、前記携帯情報手段からの使用要求に基づき、前記携帯情報手段から入力された画像情報を前記表示手段に表示させることを特徴としている。
上記の構成によれば、携帯情報手段からの要求に基づき、携帯情報手段から入力された画像情報を表示手段に表示させる。したがって、携帯情報手段には、画像を適切に表示可能な大型の表示手段が不要となる。この結果、携帯情報手段は小型軽量化が可能となり、携帯性が向上する。
また、表示手段は、携帯情報手段を所持する不特定多数の使用者により使用可能な場所、例えば公共の場所に設けられているので、携帯情報手段の所持者は、外出先や移動先において表示手段を容易に使用可能である。
本発明の他の情報サービス方法は、画像情報を表示する表示手段を設置し、携帯情報手段から入力された画像情報を前記表示手段に表示させ、前記携帯情報手段による前記表示手段の使用に対して課金することを特徴としている。
上記の構成によれば、携帯情報手段からの要求に基づき、携帯情報手段から入力された画像情報を表示手段に表示させる。したがって、携帯情報手段には、画像を適切に表示可能な大型の表示手段が不要となる。この結果、携帯情報手段は小型軽量化が可能となり、携帯性が向上する。
また、携帯情報手段による表示手段の使用に対して課金するので、表示手段の使用に対して適切に利益を得ることができる。
上記の情報サービス方法は、課金する料金の支払いを前記携帯情報手段の使用者に対して請求するとともに、料金の精算を提示された料金支払い手段に対して行う構成としてもよい。
上記の構成によれば、課金した料金の精算を提示された料金支払い手段、例えば現金、クレジットカード、デビットカード、各種プリペイドカード、電子マネーに対して行うので、携帯情報手段の使用者（所持者）による使用料金の精算が容易となる。
上記の情報サービス方法は、前記携帯情報手段により前記表示手段が使用されていないときに、広告情報を前記表示手段に表示させる構成としてもよい。
上記の構成によれば、携帯情報手段により表示手段が使用されていないときには、広告情報が表示手段に表示される。したがって、携帯情報手段により表示手段が使用されていないときには、広告主が表示手段の表示機能を有効に利用し、広告を行うことができる。
上記の情報サービス方法は、前記表示手段における前記広告情報の表示に対して広告主に課金する構成としてもよい。
上記の構成によれば、表示手段における広告情報の表示に対して広告主に課金するので、表示手段における広告情報の表示に対して適切に利益を得ることができる。
上記の情報サービス方法は、前記携帯情報手段により前記表示手段が使用されていないときに、広告情報を前記表示手段に表示させるとともに、課金した料金の前記携帯情報手段の使用者に対する請求分を減額し、その減額分を前記表示手段に表示された広告の広告主に請求する構成としてもよい。
上記の構成によれば、携帯情報手段により表示手段が使用されていないときには、広告情報が表示手段に表示される。したがって、携帯情報手段により表示手段が使用されていないときには、広告主が表示手段の表示機能を有効に利用し、広告を行うことができる。
また、上記の広告表示に基づき、課金した料金の携帯情報手段の使用者に対する請求分を減額し、その減額分を表示手段に表示された広告の広告主に請求する。したがって、携帯情報手段の使用者にとっても安価で利用し易いシステムとなる。
上記の情報サービス方法は、画像情報を表示する表示手段を設置し、携帯情報手段から入力された画像情報を前記表示手段に表示させる一方、前記携帯情報手段により前記表示手段が使用されていないときに、広告情報を前記表示手段に表示させ、携帯情報手段および広告表示による表示手段の使用料を前記表示手段に表示された広告の広告主に対して課金する構成としてもよい。
上記の構成によれば、携帯情報手段からの要求に基づき、携帯情報手段から入力された画像情報を表示手段に表示させる。したがって、携帯情報手段には、画像を適切に表示可能な大型の表示手段が不要となる。この結果、携帯情報手段は小型軽量化が可能となり、携帯性が向上する。
また、携帯情報手段により表示手段が使用されていないときには、広告情報が表示手段に表示される。したがって、携帯情報手段により表示手段が使用されていないときには、広告主が表示手段の表示機能を有効に利用し、広告を行うことができる。
さらに、上記の広告表示に基づき、表示手段の使用料を表示手段に表示された広告の広告主に対して課金する。したがって、携帯情報手段の使用者にとっても経済的な負担がなく、利用し易いシステムとなる。
上記の情報サービス方法は、課金により得た利益の一部を前記表示手段の設置場所提供者に還元する構成としてもよい。
上記の構成によれば、少なくとも表示手段の設置場所提供者も設置場所の提供に対して利益を得ることができる。
上記の情報サービス方法は、課金により得た利益の一部を前記表示手段の設置場所を提供する設置場所提供者に還元する一方、前記設置場所提供者が広告主である場合には、前記設置場所提供者に対して前記課金を行う構成としてもよい。
上記の構成によれば、少なくとも表示手段の設置場所提供者も設置場所の提供に対して利益を得ることができる。一方、設置場所提供者が広告主である場合には、設置場所提供者に対して課金を行うので、設置場所提供者に対する利益の還元および課金を適切に行うことができる。
本発明の情報サービスシステムは、外部装置、例えば携帯型パーソナルコンピュータを所持する不特定多数の使用者により使用可能な場所に設けられ、情報を表示する表示手段と、前記外部装置との通信を行う表示側通信手段と、前記外部装置から前記表示側通信手段を介して入力された要求に基づき、通信ネットワークを介して情報を取り込み、この情報を前記表示手段に表示させる表示管理手段とを備えていることを特徴としている。
上記の構成によれば、表示管理手段は、外部装置から表示側通信手段を介して入力された要求に基づき、通信ネットワークを介して情報を取り込み、この情報を表示手段に表示させる。したがって、外部装置には、情報を適切に表示可能な大型の表示手段が不要となる。この結果、外部装置は小型軽量化が可能となり、携帯性が向上する。
また、表示手段は、外部装置を所持する不特定多数の使用者により使用可能な場所、例えば公共の場所に設けられているので、外部装置の所持者は、外出先や移動先において表示手段を容易に使用可能である。
本発明の他の情報サービスシステムは、外部装置を所持する不特定多数の使用者により使用可能な場所に設けられ、情報を表示する表示手段と、前記外部装置との通信を行う表示側通信手段と、前記外部装置から前記表示側通信手段を介して入力された要求に基づき、通信ネットワークを介して情報を取り込み、この情報を前記表示側通信手段を介して前記外部装置に供給するとともに、この処理の経過を前記表示手段に表示させる表示管理手段とを備えていることを特徴としている。
上記の構成によれば、表示管理手段は、外部装置から表示側通信手段を介して入力された要求に基づき、通信ネットワークを介して情報を取り込み、この情報を表示側通信手段を介して外部装置に供給するとともに、この処理の経過を表示手段に表示させる。したがって、外部装置には、この外部装置の要求に基づいて行う処理の経過を適切に表示可能な大型の表示手段が不要となる。この結果、外部装置は小型軽量化が可能となり、携帯性が向上する。
また、表示手段は、外部装置を所持する不特定多数の使用者により使用可能な場所、例えば公共の場所に設けられているので、外部装置の所持者は、外出先や移動先において表示手段を容易に使用可能である。
本発明のさらに他の情報サービスシステムは、情報を表示する表示手段と、外部装置との通信を行う表示側通信手段と、前記外部装置から前記表示側通信手段を介して入力された要求に基づき、通信ネットワークを介して情報を取り込み、この情報を前記表示手段に表示させるとともに、前記外部装置からの要求に基づいて行う処理の少なくとも一部に対して課金する表示管理手段とを備えていることを特徴としている。
上記の構成によれば、表示管理手段は、外部装置から表示側通信手段を介して入力された要求に基づき、通信ネットワークを介して情報を取り込み、この情報を表示手段に表示させる。したがって、外部装置には、情報を適切に表示可能な大型の表示手段が不要となる。この結果、外部装置は小型軽量化が可能となり、携帯性が向上する。
また、表示管理手段が、外部装置からの要求に基づいて行う処理の少なくとも一部に対して課金するので、前記処理を行うことに対して適切に利益を得ることができる。
本発明のさらに他の情報サービスシステムは、情報を表示する表示手段と、前記外部装置との通信を行う表示側通信手段と、前記外部装置から前記表示側通信手段を介して入力された要求に基づき、通信ネットワークを介して情報を取り込み、この情報を前記表示側通信手段を介して前記外部装置に供給し、この処理の経過を前記表示手段に表示させるとともに、前記外部装置からの要求に基づいて行う処理の少なくとも一部に対して課金する表示管理手段とを備えていることを特徴としている。
上記の構成によれば、表示管理手段は、外部装置から表示側通信手段を介して入力された要求に基づき、通信ネットワークを介して情報を取り込み、この情報を表示側通信手段を介して外部装置に供給し、この処理の経過を表示手段に表示させる。したがって、外部装置には、この外部装置の要求に基づいて行う処理の経過を適切に表示可能な大型の表示手段が不要となる。この結果、外部装置は小型軽量化が可能となり、携帯性が向上する。
また、表示管理手段が、外部装置からの要求に基づいて行う処理の少なくとも一部に対して課金するので、前記処理を行うことに対して適切に利益を得ることができる。
上記の情報サービスシステムは、前記外部装置としての携帯情報手段を備えるとともに、前記ネットワークを介して前記表示管理手段に情報を配信可能な情報配信手段を備えている構成としてもよい。
上記の構成によれば、表示管理手段は、携帯情報手段から表示側通信手段を介して入力された要求に基づき、通信ネットワークを介して情報配信手段から情報を適切に取り込むことができる。そして携帯情報手段には、大型の表示手段が不要となるので、この携帯情報手段は、小型軽量化が可能となり、携帯性が向上する。
上記の情報サービスシステムは、前記表示手段と前記表示側通信手段とが対をなし、これらの対が一つの表示管理手段に対して複数対設けられている構成としてもよい。
上記の構成によれば、一つの表示管理手段が複数の表示手段を管理するので、効率のよいシステムを構成できるとともに、複数の表示手段の設置が容易となる。
上記の情報サービスシステムは、前記表示手段と前記表示側通信手段とが対をなし、少なくともこれらの対が複数の地域に分散して設けられている構成としてもよい。
上記の構成によれば、表示手段が複数の地域に分散して設けられているので、表示手段の使用が容易となり、本システムの利便性が向上する。
上記の情報サービスシステムは、前記表示管理手段が、前記課金を前記表示手段の使用時間に応じて行う構成としてもよい。
上記の構成によれば、表示手段の使用に対して、適切な課金が可能となる。
上記の情報サービスシステムは、前記表示管理手段が、前記通信ネットワークを介しての情報配信契約を交わしている情報配信手段から有料情報を取得する構成としてもよい。
上記の構成によれば、予め有益な有料情報を提供する情報配信手段を選択して情報配信契約を交わしておき、表示管理手段がそのような表示管理手段から有料情報を取得することができるので、良質な種々の情報を容易に得ることができる。
上記の情報サービスシステムは、前記情報配信手段が複数存在し、前記表示管理手段が、取得すべき有料情報を最も安価に提供する情報配信手段から取得する構成としてもよい。
上記の構成によれば、本システムの利用者に有益な情報を安価にて提供することができる。
上記の情報サービスシステムは、さらに料金支払い手段受入れ部を有し、前記表示管理手段が、課金する料金の支払いを前記外部装置の使用者に対して請求するとともに、料金の精算を前記料金支払い手段受入れ部に持ち込まれた料金支払い手段に対して行う構成としてもよい。
上記の構成によれば、表示管理手段は、課金する料金の支払いを外部装置の使用者に対して請求するとともに、料金の精算を料金支払い手段受入れ部に持ち込まれた料金支払い手段、例えば現金、クレジットカード、デビットカード、各種プリペイドカード、電子マネーに対して行う。したがって、外部装置の使用者（所持者）による使用料金の精算が容易となる。
上記の情報サービスシステムは、前記表示管理手段が、前記料金支払い手段受入れ部に持ち込まれた料金支払い手段により示される使用可能金額に基づいて、外部装置による表示手段の使用時間を管理する構成としてもよい。
上記の構成によれば、表示管理手段が、料金支払い手段受入れ部に持ち込まれた料金支払い手段、例えば現金、クレジットカード、デビットカード、各種プリペイドカード、電子マネーにより示される使用可能金額に基づいて、外部装置による表示手段の使用時間を管理するので、外部装置による表示手段の使用可能時間の管理を適切に行うことができる。
上記の情報サービスシステムは、前記表示管理手段が、前記表示手段に表示される広告情報を格納する広告情報格納部を備えるとともに、前記外部装置により前記表示手段が使用されていないときに、前記広告情報格納部に格納されている広告情報を前記表示手段に表示させる構成としてもよい。
上記の構成によれば、外部装置により表示手段が使用されていないときには、広告情報格納部に格納されている広告情報が表示手段に表示される。したがって、外部装置により表示手段が使用されていないときには、広告主が表示手段の表示機能を有効に利用し、広告を行うことができる。
上記の情報サービスシステムは、前記表示管理手段が、前記外部装置により前記表示手段が使用されていないときに、前記通信ネットワークを介して広告情報を取り込み、この広告情報を前記表示手段に表示させる構成としてもよい。
上記の構成によれば、外部装置により表示手段が使用されていないときには、通信ネットワークを介して取り込まれた広告情報が表示手段に表示される。したがって、外部装置により表示手段が使用されていないときには、広告主が表示手段の表示機能を有効に利用し、広告を行うことができる。
上記の情報サービスシステムは、前記表示管理手段が、前記表示手段における前記広告情報の表示に対して広告主に課金する構成としてもよい。
上記の構成によれば、表示手段における広告情報の表示に対して適切に利益を得ることができる。
上記の情報サービスシステムは、前記表示管理手段が、前記外部装置により前記表示手段が使用されていないときに、広告情報を前記表示手段に表示させるとともに、前記表示手段における前記広告情報の表示に対して広告主に課金する一方、前記外部装置の使用者に対しての課金による請求分を減額し、その減額分を前記広告主に請求する構成としてもよい。
上記の構成によれば、外部装置により表示手段が使用されていないときには、広告情報が表示手段に表示される。したがって、外部装置により表示手段が使用されていないときには、広告主が表示手段の表示機能を有効に利用し、広告を行うことができる。
また、上記の広告表示に基づき、表示管理手段は、課金した料金の外部装置の使用者に対する請求分を減額し、その減額分を表示手段に表示された広告の広告主に請求する。したがって、外部装置の使用者にとっても安価で利用し易いシステムとなる。
上記の情報サービスシステムは、前記表示管理手段が、課金により得た利益の一部を少なくとも前記表示手段の設置場所を提供する設置場所提供者に還元する構成としてもよい。
上記の構成によれば、少なくとも表示手段の設置場所提供者も設置場所の提供に対して利益を得ることができる。
上記の情報サービスシステムは、前記表示管理手段が、課金により得た利益の一部を少なくとも前記表示手段の設置場所を提供する設置場所提供者に還元する一方、前記設置場所提供者が広告主である場合には、前記設置場所提供者に対して前記課金を行う構成としてもよい。
上記の構成によれば、少なくとも表示手段の設置場所提供者も設置場所の提供に対して利益を得ることができる。一方、設置場所提供者が広告主である場合には、設置場所提供者に対して課金を行うので、設置場所提供者に対する利益の還元および課金を適切に行うことができる。
上記の情報サービスシステムは、前記表示管理手段が、外部装置の使用者に対しての質問事項を格納する質問事項格納部を備えるとともに、前記外部装置から本システムの使用要求が入力されたときに、前記質問事項を前記表示手段に表示させる構成としてもよい。
上記の構成によれば、外部装置から本システムの使用要求が入力されたときには、表示管理手段により、外部装置の使用者に対する質問事項が質問事項格納部から読み出され、表示手段に表示される。したがって、この質問事項に対し外部装置の使用者にて回答が行われることにより、外部装置の使用者に関する情報やその動向等、企業活動において価値の高い情報を容易に収集することができる。
上記の情報サービスシステムは、前記表示管理手段が、前記外部装置から本システムの使用要求が入力されたときに、前記外部装置の使用者に対する質問事項を前記通信ネットワークを介して質問事項の依頼元から取り込むとともに、前記質問事項を前記表示手段に表示させる構成としてもよい。
上記の構成によれば、外部装置から本システムの使用要求が入力されたときには、表示管理手段により、外部装置の使用者に対する質問事項が通信ネットワークを介して質問事項の依頼元から取り込まれ、表示手段に表示される。したがって、この質問事項に対し外部装置の使用者にて回答が行われることにより、外部装置の使用者に関する情報やその動向等、企業活動において価値の高い情報を容易に収集することができる。
上記の情報サービスシステムは、前記表示管理手段が、前記外部装置から本システムの使用要求が入力されたときに、前記外部装置の使用者に対する質問事項を前記表示手段に表示させるとともに、この質問事項に対して回答が得られたときに、前記外部装置の使用者に対しての課金による請求分を減額する構成としてもよい。
上記の構成によれば、外部装置から本システムの使用要求が入力されたときには、表示管理手段により、外部装置の使用者に対する質問事項が表示手段に表示される。したがって、この質問事項に対し外部装置の使用者にて回答が行われることにより、外部装置の使用者に関する情報やその動向等、企業活動において価値の高い情報を容易に収集することができる。
一方、外部装置の使用者に対しては、上記質問事項に回答することにより、課金による請求分が減額される。したがって、外部装置の使用者にとっても安価で利用し易いシステムとなる。
上記の情報サービスシステムは、前記表示管理手段が、質問事項の回答に基づく前記減額分を質問事項の依頼元に請求する構成としてもよい。
上記の構成によれば、本システムの使用分に対する利益の回収を適切に行うことができる。
上記の情報サービスシステムは、前記表示側通信手段が、前記外部装置との通信を、ＩＥＥＥ８０２．１１、ＵＳＢ、またはＩＥＥＥ１３９４の仕様に基づいて行う構成としてもよい。
上記の構成によれば、表示管理手段と外部装置との通信のための接続を簡単に行うことができる。
上記の情報サービスシステムは、前記表示管理手段と前記通信ネットワークとの間に、無線通信手段、およびこの無線通信手段を介しての前記表示管理手段と通信ネットワークとの中継を行う通信管理手段とを備えている構成としてもよい。
上記の構成によれば、表示管理手段が無線通信手段および通信管理手段を介して通信ネットワークと接続されるようになっているので、表示手段と表示管理手段とを例えば航空機、船舶、列車、バス等の移動する移動手段内に設定することができる。したがって、移動手段内においても、外部装置の使用者は本システムを使用することが可能となり、本システムの利便性がさらに向上する。
本発明の情報サービス方法は、外部装置を所持する不特定多数の使用者により使用可能な場所に、情報を表示する表示手段を設置し、前記外部装置から入力された要求に基づき、通信ネットワークを介して情報を取り込み、この情報を表示手段に表示させることを特徴としている。
上記の構成によれば、外部装置には、情報を適切に表示可能な大型の表示手段が不要となる。この結果、外部装置は小型軽量化が可能となり、携帯性が向上する。
また、表示手段は、外部装置を所持する不特定多数の使用者により使用可能な場所、例えば公共の場所に設けられているので、外部装置の所持者は、外出先や移動先において表示手段を容易に使用可能である。
本発明の他の情報サービス方法は、外部装置を所持する不特定多数の使用者により使用可能な場所に、情報を表示する表示手段を設置し、前記外部装置から入力された要求に基づき、通信ネットワークを介して情報を取り込み、この情報を前記外部装置に供給するとともに、この処理の経過を前記表示手段に表示させることを特徴としている。
上記の構成によれば、外部装置には、この外部装置の要求に基づいて行う処理の経過を適切に表示可能な大型の表示手段が不要となる。この結果、外部装置は小型軽量化が可能となり、携帯性が向上する。
また、表示手段は、外部装置を所持する不特定多数の使用者により使用可能な場所、例えば公共の場所に設けられているので、外部装置の所持者は、外出先や移動先において表示手段を容易に使用可能である。
本発明のさらに他の情報サービス方法は、情報を表示する表示手段を設置し、外部装置から入力された要求に基づき、通信ネットワークを介して情報を取り込み、この情報を前記表示手段に表示させるとともに、前記外部装置からの要求に基づいて行う処理の少なくとも一部に対して課金することを特徴としている。
上記の構成によれば、通信ネットワークを介して取り込んだ情報を表示する場合に、外部装置には、情報を適切に表示可能な大型の表示手段が不要となる。この結果、外部装置は小型軽量化が可能となり、携帯性が向上する。
また、外部装置からの要求に基づいて行う処理の少なくとも一部に対して課金するので、前記処理を行うことに対して適切に利益を得ることができる。
本発明のさらに他の情報サービス方法は、情報を表示する表示手段を設置し、外部装置から入力された要求に基づき、通信ネットワークを介して情報を取り込み、この情報を前記外部装置に供給し、この処理の経過を前記表示手段に表示させるとともに、前記外部装置からの要求に基づいて行う処理の少なくとも一部に対して課金することを特徴としている。
上記の構成によれば、通信ネットワークを介して取り込んだ情報を外部装置に供給する場合に、外部装置には、この外部装置の要求に基づいて行う処理の経過を適切に表示可能な大型の表示手段が不要となる。この結果、外部装置は小型軽量化が可能となり、携帯性が向上する。
また、外部装置からの要求に基づいて行う処理の少なくとも一部に対して課金するので、前記処理を行うことに対して適切に利益を得ることができる。
上記の情報サービス方法は、前記外部装置として携帯情報手段を使用し、前記情報を前記ネットワークを介して情報を配信可能な情報配信手段から取り込む構成としてもよい。
上記の構成によれば、携帯情報手段から入力された要求に基づき、通信ネットワークを介して情報配信手段から情報を適切に取り込むことができる。そして携帯情報手段には、大型の表示手段が不要となるので、この携帯情報手段は、小型軽量化が可能となり、携帯性が向上する。
上記情報サービス方法は、取得する前記情報が有料情報であり、この有料情報を、前記通信ネットワークを介しての情報配信契約を交わしている情報配信手段から取得する構成としてもよい。
上記の構成によれば、予め有益な有料情報を提供する情報配信手段を選択して情報配信契約を交わしておき、表示管理手段がそのような表示管理手段から有料情報を取得することができるので、良質な種々の情報を容易に得ることができる。
上記情報サービス方怯は、前記情報配信手段が複数存在し、取得すべき有料情報を最も安価に提供する情報配信手段から取得する構成としてもよい。
上記の構成によれば、本システムの利用者に有益な情報を安価にて提供することができる。
上記情報サービス方法は、前記外部装置により前記表示手段が使用されていないときに、広告情報を前記表示手段に表示させる構成としてもよい。
上記の構成によれば、外部装置により表示手段が使用されていないときには、広告主が表示手段の表示機能を有効に利用し、広告を行うことができる。
上記情報サービス方法は、前記外部装置により前記表示手段が使用されていないときに、広告情報を前記表示手段に表示させるとともに、前記表示手段における前記広告情報の表示に対して広告主に課金する構成としてもよい。
上記の構成によれば、表示手段における広告情報の表示に対して適切に利益を得ることができる。
上記情報サービス方法は、前記外部装置により前記表示手段が使用されていないときに、広告情報を前記表示手段に表示させるとともに、前記表示手段における前記広告情報の表示に対して広告主に課金する一方、前記外部装置の使用者に対しての課金による請求分を減額し、その減額分を前記広告主に請求する構成としてもよい。
上記の構成によれば、外部装置により表示手段が使用されていないときには、広告主が表示手段の表示機能を有効に利用し、広告を行うことができる。
また、上記の広告表示に基づき、外部装置の使用者に対する請求分が減額されるので、外部装置の使用者にとっても安価で利用し易いシステムとなる。
上記情報サービス方法は、前記外部装置から本システムの使用要求が入力されたときに、外部装置の使用者に対する質問事項を前記表示手段に表示させることを特徴としている。
上記の構成によれば、質問事項に対し外部装置の使用者にて回答が行われることにより、外部装置の使用者に関する情報やその動向等、企業活動において価値の高い情報を容易に収集することができる。
上記情報サービス方法は、前記外部装置から本システムの使用要求が入力されたときに、前記外部装置の使用者に対する質問事項を前記表示手段に表示させるとともに、この質問事項に対して回答が得られたときに、前記外部装置の使用者に対しての課金による請求分を減額する構成としてもよい。
上記の構成によれば、質問事項に対し外部装置の使用者にて回答が行われることにより、外部装置の使用者に関する情報やその動向等、企業活動において価値の高い情報を容易に収集することができる。
一方、外部装置の使用者に対しては、上記質問事項に回答することにより、課金による請求分が減額される。したがって、外部装置の使用者にとっても安価で利用し易いシステムとなる。
上記情報サービス方法は、質問事項の回答に基づく前記減額分を質問事項の依頼元に請求する構成としてもよい。
上記の構成によれば、本システムの使用分に対する利益の回収を適切に行うことができる。
上記の情報サービス方法は、通信ネットワークを介して取り込む情報を、さらに無線通信手段を介して取り込む構成としてもよい。
上記の構成によれば、表示手段を例えば航空機、船舶、列車、バス等の移動する移動手段内に設定することができる。したがって、移動手段内においても、外部装置の使用者は本システムを使用することが可能となり、本システムの利便性がさらに向上する。
本発明のさらに他の目的、特徴、および優れた点は、以下に示す記載によって十分わかるであろう。また、本発明の利益は、添付図面を参照した次の説明で明白になるであろう。
発明を実施するための最良の形態
〔実施の形態１〕
本発明の実施の一形態を図１から図１３、図２０および図２１に基づいて以下に説明する。
本実施の形態の情報サービスシステムは、図１に示すように、携帯情報装置（携帯情報手段）１、表示装置２および表示管理装置（表示管理手段）３を備えている。また、表示装置２と表示管理装置３とは表示提供手段を構成する。
図１はシステム側から見た場合の構成を示している。一方、携帯情報装置１の使用者側から見た場合、システムは、携帯情報装置１と表示装置２とが従来のＰＣ等と同様の情報処理装置を構成するものと捉えることができる。図２０（ａ）（ｂ）には、上記両側のそれぞれの側から見た場合のシステム構成の違いを、対比が容易な概念図として示す。図２０（ａ）はシステム側から見た場合、図２０（ｂ）は携帯情報装置１の使用者側から見た場合である。また、図２１には、システム側から見た場合の、送受信部１３、１７および内部ネットワーク部１６、１８を明示したシステム概念図を示す。
携帯情報装置１は、携帯性を重視した小型かつ軽量の構成であり、表示装置２により表示可能な画像データを保持する。表示装置２は携帯情報装置１の表示装置として使用可能なものである。表示管理装置３は表示装置２の表示動作等を管理する。本実施の形態において、表示管理装置３は各表示装置２毎に設けられている。
携帯情報装置１は、操作部１１、データ制御部１２、送受信部１３およびバッテリー部（図示せず）を備え、例えば、ノート型パーソナルコンピュータ（以下、パーソナルコンピュータをＰＣと略称する）、ハンドヘルドＰＣ、ポケットＰＣ、携帯電話あるいは携帯情報端末等からなる。
操作部１１は、各種指令を入力するための例えば各種入力キーを有する。データ制御部１２は、操作部１１からの入力等に応じてデータを処理し、携帯情報装置１での各種制御動作を行う。送受信部１３は、表示装置２の送受信部（表示側通信手段）１７と画像データや制御データの送受信を行う。なお、携帯情報装置１では、小型軽量化を図るために表示部が省かれているものの、携帯情報装置１の小型軽量化に大きく影響しない小型の表示部が搭載されていてもよい。
携帯情報装置１は、上記のように、例えばノートＰＣに備えられているような大型の表示部を省いた構成であるから、大幅に小型化かつ軽量化されている。したがって、例えば、アタッシュケース、かばんあるいはポーチ等の携帯品に組み込まれていてもよい。
表示装置２は、表示部（表示手段）１４、表示制御部（表示制御手段）１５、内部ネットワーク部１６、送受信部１７および電源部（図示せず）を備え、例えば携帯情報装置１から入力された画像データ等を表示する。
表示部１４は、図２に示すように、例えば液晶パネル１４ａ、この液晶パネル１４ａを駆動する信号線駆動回路１４ｂおよび走査線駆動回路１４ｃからなる。液晶パネル１４ａは、例えば透過型ＴＦＴ液晶パネルからなる。この透過型ＴＦＴ液晶パネルは、画面サイズが１２型、表示画素数が８００×ＲＧＢ×６００画素の１６階調のものである。この透過型ＴＦＴ液晶パネルは、従来のパネル構造と同じであるので、その説明については簡単化する。
透過型ＴＦＴ液晶パネルは、基本的にガラス基板あるいはプラスチック基板により液晶を挟みこんだ構造を有し、一方の基板上に画素アレイが形成されている。この透過型液晶パネルを６０Ｈｚの垂直同期周波数で駆動するためには、約３４６Ｍｂｐｓの伝送速度が必要である。しかしながら、この伝送速度は、本願出願人による特願２０００−１３１１８３に示す低周波数駆動などを行うことにより、抑制することができる。例えば、上記垂直同期周波数を約１．８Ｈｚにすれば、伝送速度は約１１Ｍｂｐｓにできる。したがって、時系列の画像データを送る場合も、下記のＩＥＥＥ８０２．１１仕様の伝送速度による表示部１４の表示が可能となる。
ここでは、表示部１４として画面サイズが１２型で８００×ＲＧＢ×６００画素の液晶パネル１４ａを例に説明したが、表示部１４は表示装置２の寸法および形状を大きく左右するファクタであり、その設置場所等に応じて最適な画面サイズおよび表示画素数を選定するのが好ましい。
また、表示部１４として、例えばさらに表示画素数が多い高解像度タイプの液晶パネル１４ａを使用する場合には、画素データ（画像データ）の伝送速度を速くするか、伝送する画素データをＨＴＭＬ（Ｈｙｐｅｒ　Ｔｅｘｔ　Ｍａｒｋｕｐ　Ｌａｎｇｕａｇｅ）やＸＭＬ（Ｅｘｔｅｎｓｉｂｌｅ　Ｍａｒｋｕｐ　Ｌａｎｇｕａｇｅ）などの形式にしてもよい。尚、表示部１４は必ずしも液晶パネル１４ａに限定されるものではなく、例えばＥＬパネルであっても良く、また表示装置２の設置スペースに余裕があれば、ＣＲＴ（Ｃａｔｈｏｄｅ　Ｒａｙ　Ｔｕｂｅ）であってもよい。
表示制御部１５は、入力された画像データを液晶パネル１４ｄ（表示部１４）の駆動に適した信号に変換するインターフェース部を有する。このインターフェース部は、図３に示すように、フィールドメモリ１５ａ、ＰＬＬ（Ｐｈａｓｅ　Ｌｏｃｋｅｄ　Ｌｏｏｐ）１５ｂ、コントローラ１５ｃおよび基準クロック生成部１５ｄを備えている。フィールドメモリ１５ａは１画面分の画像データを記憶可能である。
この表示制御部１５において、表示管理装置３から入力された表示データのうち、映像データはフィールドメモリ１５ａへ入力され、同期信号はＰＬＬ１５ｂへ入力される。ＰＬＬ１５ｂでは同期信号に基づいてドットクロックが生成され、このドットクロックのタイミングにて映像データがフィールドメモリ１５ａに書き込まれる。コントローラ１５ｃは、基準クロック生成部１５ｄからの基準クロックに基づいて、表示部１４の駆動に適したタイミングの同期信号を生成し、この同期信号を表示部１４に供給するとともに、フィールドメモリ１５ａから映像データを読み出して表示部１４に供給する。
内部ネットワーク部１６は、表示管理装置３の内部ネットワーク部１８と接続され、表示管理装置３とデータの送受信を行う。送受信部１７は、携帯情報装置１の送受信部１３とデータの送受信を行う。
表示管理装置３は、内部ネットワーク部１８、表示管理部１９、メモリ部２０、外部ネットワーク部２１および電源部（図示せず）を備えている。内部ネットワーク部１８は、内部ネットワークを介して表示装置２の内部ネットワーク部１６と接続され、データの送受信を行う。表示管理部１９は、主として表示装置２の表示動作を管理するとともに、この表示に関する各種制御動作を行う。メモリ部２０は、表示管理部１９での処理に使用され、データを記憶する。外部ネットワーク部２１は外部ネットワークを介して表示管理装置３（表示管理部１９）を外部システムと接続する。
携帯情報装置１と表示装置２との送受信部１３、１７によるデータの送受信には、例えばＩＥＥＥ８０２．１１仕様の無線インターフェイスを用いる。ＩＥＥＥ８０２．１１は、広く普及しつつある無線通信技術であり、２．４ＧＨｚ帯の電波を使用する。このＩＥＥＥ８０２．１１は、初期バージョンの場合、１Ｍｂｐｓと２Ｍｂｐｓの伝送速度が規定されたが、既に１１Ｍｂｐｓの伝送速度のものも普及し始めている。
また、上記送受信部１３、１７によるデータの送受信には、ＵＳＢ（Ｕｎｉｖｅｒｓａｌ　Ｓｅｒｉａｌ　Ｂｕｓ）仕様やＩＥＥＥ１３９４（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ　１３９４）仕様の有線インターフェイスを使用してもよい。
また、上記内部ネットワークとしては、例えばＬＡＮ（Ｌｏｃａｌ　Ａｒｅａ　Ｎｅｔｗｏｒｋ）を使用してもよい。また、上記外部ネットワークとしては、例えばＬＡＮ、一般電話を介してのインターネット、携帯電話を介してのインターネットあるいは、ＬＡＮを介してのインターネットを使用してもよい。
次に、図１に示した情報サービスシステムのさらに具体的な構成を図４に示す。なお、同図においては、各表示装置２毎に表示管理装置３が設けられている場合の構成を示している。
図４において、携帯情報装置１は、ＣＰＵからなる演算制御装置３１、内部メモリ装置３２、例えば小型のキーボードからなる入力装置３３、および無線あるいは有線にて表示装置２と通信する通信装置３４を備えている。また、携帯情報装置１は、さらに小型表示装置３５およびインターネットに接続可能な携帯電話装置３６を備えていてもよい。これら小型表示装置３５および携帯電話装置３６は、必要に応じて適宜設けられる。このような携帯情報装置１は、例えばモバイルＰＣ、ＰＤＡあるいは次世代携帯電話であってもよい。
上記の演算制御装置３１および内部メモリ装置３２は、図１に示したデータ制御部１２を構成し、入力装置３３は操作部１１を構成し、通信装置３４は送受信部１３を構成する。
ここで、内部メモリ装置３２は、演算制御装置３１の内部メモリであり、プログラムのワークエリアとして、また、画像データ等の記憶エリアとして、随時、任意の内容を記憶し、実行できる携帯情報装置１の専用のメモリ装置である。
表示装置２は、表示ユニット４１、通信装置４２、カードリーダー（料金支払い手段受入れ部）４３および現金計数器（料金支払い手段受入れ部）４４を備えている。表示ユニット４１は図１に示した表示部１４および表示制御部１５を構成し、通信装置４２は送受信部１７を構成する。カードリーダー４３は、料金支払い手段としてのクレジットカード、デビットカード、プリペイドカード、電子マネー、あるいはその他の料金支払い用カードの読取装置である。現金計数器４４は、現金投入口（図示せず）に投入された金額の計算器である。現金投入口は例えば表示装置２の前面に設けられる。この現金計数器４４は、投入金額に対して表示装置２の使用料を差し引きし、おつりを払い出す機能も有する。
表示管理装置３は、ＣＰＵからなる演算制御装置５１、内部メモリ装置５２、外部メモリ装置５３、および通信装置５４を備えている。演算制御装置５１は、図１に示した表示管理部１９を構成する。この演算制御装置５１には、表示装置２の前記表示ユニット４１、通信装置４２、カードリーダー４３および現金計数器４４などが接続されており、演算制御装置５１は、中央演算装置として機能する他、内部メモリ装置５２および外部メモリ装置５３の制御を行う。内部メモリ装置５２および外部メモリ装置５３はメモリ部２０を構成する。
ここで、内部メモリ装置５２は、演算制御装置５１の内部メモリであり、プログラムのワークエリアとして、また、画像データ等の記憶エリアとして、随時、任意の内容を記憶し、実行できる装置として機能する。但し、携帯情報装置１から出力される画像データの記憶は、携帯情報装置１による表示管理装置３へのアクセスが行われている期間だけでよいため、内部メモリ装置５２の記憶容量は特別大きくする必要はない。このことは、表示装置２毎に表示管理装置３が設けられていない場合においても同様である。
一方、外部メモリ装置５３には、表示ユニット４１（表示部１４）に表示させるための広告のデータや、携帯情報装置１からの要求に応じて携帯情報装置１に供給するコンテンツデータが格納されており、演算制御装置５１の制御に基づき、内部メモリ装置５２とデータの送受を行うことにより、広告データを表示ユニット４１に表示させる。
また、演算制御装置５１は、各種アプリケーションソフトを携帯情報装置１との通信により携帯情報装置１の内部メモリ装置３２に記憶させ実行させること等が可能である。さらに、携帯情報装置１の演算制御装置３１の制御により動作するプログラムに基づき、表示装置２の表示ユニット４１に表示されるデータと上記広告データ等とを合成し、あるいは切り替えて画面表示する機能を有する。通信装置５４は外部ネットワーク部２１を構成し、表示管理装置３を外部ネットワーク部２１を介して外部システムと接続する。この外部システムは、例えばインターネットサーバーやクレジットカードやデビットカード等のカード会社のサーバー等である。
本情報サービスシステムでは、表示装置２を携帯情報装置１の使用者にて利用してもらい、それに対して適宜課金するものとなっている。なお、この課金は、表示装置２の使用形態に応じて、その有無や額などが適宜設定される。
表示装置２は、上記のように使用されることから、携帯情報装置１を携帯する不特定多数の使用者により使用可能であることが好ましい。図１では、情報サービスシステムの最小構成として、表示装置２および表示管理装置３を１台だけ設けた場合を示しているが、上記の点から、表示装置２および表示管理装置３は複数台設置されていることが好ましい。
表示装置２の設置場所としては、街角のあらゆる場所、あるいはビルやホテルの一室など、特に限定されないが、不特定多数の使用者が使用可能である場所、例えば公共の場所が好ましい。さらには、使用者が一定時間その場所に留まることが可能な場所を設置場所とすると、本情報サービスシステムの有効性や使用者にとっての利便性がさらに向上する。このような場所としては、例えば、ホテルのロビー、駅や空港の待合室、新幹線の座席、病院の待合室、図書館、市役所、書店、ショッピングモール、または歩道等に設けられた電話ボックス内、あるいはそのような形態のボックスの内部など、公共の場所である。
また、表示装置２は、このような場所に設置されることを考慮すると、省スペース化を図り得る液晶ディスプレイなどの薄型のものが好ましい。また、表示管理装置３は、表示装置２と一体化された構成、あるいは表示装置２と別体となっている構成のいずれであってもよい。
情報サービスシステムの外観の概略は、例えば図５に示すものとなる。ここでは、表示管理装置３が表示装置２と別体となっている構成を示している。表示装置２の前面には、例えば前記カードリーダー４３のカード挿入口、送受信部１７および使用許可表示部６１が設けられている。表示装置２には、さらに必要に応じて、現金計数器４４への現金の投入口や、各種入力キーが設けられる。なお、カードの読み取りは、表示装置２に一体的に組み込まれたカードリーダー４３にて行う構成ばかりでなく、例えばＰＯＳ（Ｐｏｉｎｔ　ｏｆ　Ｓａｌｅ）において使用される手持ち操作式のバーコード読み取り装置のような形態であってもよい。
上記の使用許可表示部６１は、例えばＬＥＤ（発光ダイオード）からなり、表示装置２の使用を許可された場合に点灯される。使用許可表示部６１の点灯、消灯は演算制御装置５１（表示管理部１９）により制御される。
また、図６には、前述のように表示装置２をボックス６２内に設けた場合の外観を示す。このようなボックス６２は、例えば歩道上や店頭に設けられると、表示装置２の使用の利便性が増す。
図１に示した表示管理装置３は、各機能部をさらに具体的に示すと図７に示すものとなる。即ち、表示管理部１９は、表示切換え制御部７１、使用可否判定部７２および課金処理部７３を有する。また、メモリ部２０は、広告データ格納部（広告情報格納部）８１およびコンテンツデータ格納部（有料情報格納部）８２を有する。
表示切換え制御部７１は、携帯情報装置１に対して使用可否判定部７２により表示装置２の使用が許可されていないとき（携帯情報装置１より表示装置２の使用を要求されていないとき）に、表示装置２に下記の広告データ格納部８１に格納されている広告データを表示させる。また、表示切換え制御部７１は、携帯情報装置１に対して使用可否判定部７２により表示装置２の使用が許可されたときに、広告データに切り換えて、携帯情報装置１により要求された画像データを表示装置２に表示させる。この場合の上記広告データは、完全に表示画面から排除することなく、例えばバナー広告等の小画像として画面の片隅に表示するようにしてもよい。
なお、表示装置２の表示部１４が例えば液晶パネル１４ａからなる場合において、広告表示と携帯情報装置１により要求された画像データの表示を切り換える際、表示切換え制御部７１は、自動的にあるいは使用者の操作により、液晶パネル１４ａの視野角を切り換えるようにしてもよい。即ち、広告表示の際に視野角を広げることにより広告効果が高まる。一方、携帯情報装置１により要求された画像データを表示する際に視野角を狭めると、他人に表示内容を見られ難くなる。
使用可否判定部７２は、図４に示した例えばカードリーダー４３にてカードが読み取られ、その結果、そのカードにより表示装置２の利用料金の支払いが可能と判断したとき、携帯情報装置１による表示装置２の使用を許可するとともに、前記使用許可表示部６１を点灯させる。このとき、上記カードが例えばクレジットカードである場合、使用可否判定部７２は、例えば、外部ネットワーク部２１を通じて外部システムとしてのクレジットカード会社のサーバーに対し、そのカードでの料金の支払いの可否について問い合わせる。この処理は、カードが、デビットカードや電子マネー等の場合においても同様である。
課金処理部７３は、表示装置２の使用に対して使用料金の計算を行い、携帯情報装置１の使用者に対して課金を行う。
広告データ格納部８１は、表示装置２に表示する広告の画像データを格納している。コンテンツデータ格納部８２は、種々のアプリケーションプログラム等、携帯情報装置１の使用者にとって有益なコンテンツデータを格納している。
次に、上記課金処理部７３による課金処理の例について説明する。
（１）外部ネットワークを使用せずに広告表示を行う場合（広告表示例（１））
この場合には、図８に示すように、料金計算に関わる対象者として表示装置利用者Ａ（携帯情報装置１の使用者）、表示装置設置者Ｂ（表示装置２および表示管理装置３の設置著（所有者））、表示装置管理者Ｃ、表示装置２の設置場所提供者Ｄ、広告主Ｅおよびデータ提供者Ｆが存在する。
表示装置設置者Ｂは、表示装置利用者Ａにて表示装置２が使用されることにより利益を受ける。表示装置管理者Ｃは、表示装置設置者Ｂにより表示装置２の管理を委託された者である。設置場所提供者Ｄは表示装置２を設置する場所の提供者である。広告主Ｅは、表示装置２に表示する広告の提供者である。この広告は、表示装置２が表示装置利用者Ａにより使用されていないときに表示される。データ提供者Ｆは、有益なコンテンツデータの提供者である。なお、表示装置設置者Ｂが表示装置管理者Ｃを兼ねていてもよい。
基本的には、表示管理装置３（表示装置設置者Ｂ）の課金処理部７３は、携帯情報装置１（表示装置利用者Ａ）による表示装置２の使用に対して課金する。このときの使用は、例えば、携帯情報装置１からの表示要求によって表示装置２に画像データを表示させることである。この画像データは、携帯情報装置１から送信されたデータ、またはデータ提供者Ｆによって提供され、図７に示したコンテンツデータ格納部８２に格納されているローカルデータやアプリケーションデータ等のコンテンツデータである。上記ローカルデータは、例えば、表示装置２が設置されている地域周辺の地図情報、地域情報、各種施設情報、商店情報、会社情報、イベント情報、コンサート情報、交通機関の時刻表、あるいは新刊書情報等である。上記商店情報には、例えば商店、スーパーマーケット、飲食店の割引情報等が含まれる。また、イベント情報等を表示したときには、それに参加するための入場券を発行できるようにしてもよい。この場合、表示装置２にはプリンタが備えられる。
このときの表示装置利用者Ａによる使用料金は、例えば表示装置２の使用時間に応じて計算される。また、コンテンツデータの使用に対しては、データの容量に応じて、あるいはデータ毎に設定された単価に応じて料金を計算するようにしてもよい。
また、このときの使用料金は、広告主Ｅが負担すること、例えば上記コンテンツデータに含まれる広告の広告主、会社、あるいは商店などが負担すること、あるいは前者（広告主Ｅ）と後者（コンテンツデータに含まれる広告の広告主など）が分担することにより、無料化することも可能である。
広告主Ｅが表示装置２を使用することに対する課金の方法には、下記のものがある。
▲１▼表示装置２に広告が表示されている時間に応じて課金する。この場合には、料金の計算において、表示装置２における広告の表示面積（広告が前記小画像表示かあるいは通常の大画像表示か）を考慮する。なお、表示装置利用者Ａによる表示装置２の使用分については、表示装置利用者Ａが負担する。
▲２▼表示装置利用者Ａの使用分も含め、表示装置２を使用する期間、例えば時間、日数に対して課金する。
表示装置２および表示管理装置３の管理は、表示装置設置者Ｂから委託された表示装置管理者Ｃが代行する。この場合、広告主Ｅは表示装置２の使用料（広告料）を表示装置管理者Ｃに支払い、表示装置管理者Ｃは管理料を差し引いた上で、上記使用料を表示装置設置著Ｂに支払う。
データ提供者Ｆは、コンテンツデータ（サービスデータ）を表示装置管理者Ｃ、即ち表示管理装置３に供給する。このデータはコンテンツデータ格納部８２に格納される。したがって、表示装置管理者Ｃは、コンテンツデータの配布を代行する。また、データ提供者Ｆは、広告主Ｅからの要求に応じて広告データを作成し、広告主Ｅに供給する。
また、表示装置設置者Ｂは、設置場所提供者Ｄに対して、表示装置２および表示管理装置３の設置場所の使用料を支払う。この使用料は、例えば契約により予め定められた一定の金額、あるいは表示装置設置者Ｂが課金によって得た利益の割合に応じて計算されたもの等である。
なお、広告主Ｅが設置場所提供者Ｄである場合、この広告主Ｅには設置場所使用料を支払うことなく、広告料（広告を表示するための表示装置２の使用料）を徴収するようにしてもよい。
（２）外部ネットワークを使用して広告表示を行う場合（広告表示例（２））
この場合には、図９に示すように、料金計算に関わる対象者として表示装置利用者Ａ（携帯情報装置１の使用者）、表示装置設置者Ｂ（表示装置２および表示管理装置３の設置者（所有者））、プロバイダ（サーバ）Ｇ、表示装置２の設置場所提供者Ｄおよび広告主Ｅが存在する。
プロバイダＧは、図１および図４に系した外部システムの一つに相当し、広告主Ｅから広告料の支払いを受けて、広告の配信を代行する。プロバイダＧは、表示管理装置３の表示切換え制御部７１からの要求を受けて広告を表示管理装置３に送信する。この広告は、外部ネットワーク、例えばインターネットを介して表示管理装置３に入力され、表示装置２に表示される。広告料は、広告主ＥからプロバイダＧを経て、表示装置管理者Ｃに支払われる。
また、ここでは、表示装置利用者Ａによる表示装置２の利用に際しては、まず、広告主Ｅからのアンケート画面が表示され、このアンケートに対する表示装置利用者Ａからの回答が、表示管理装置３、外部ネットワーク、プロバイダＧを介して広告主Ｅに届けられる。
その他の課金の方法、形態については、広告表示例（１）において説明したものと同様である。なお、ここでは、広告主Ｅによるアンケートが行われており、表示装置利用者Ａによる表示装置２の使用分を表示装置利用者Ａ自身が負担する場合において、このアンケートに回答した場合には、その使用料を減額し、その分を広告主Ｅが負担するようにしてもよい。
上記の構成において、本情報サービスシステムの動作を以下に説明する。
まず、情報サービスシステムにおいて、携帯情報装置１による表示装置２の使用に対して携帯情報装置１の使用者に課金する場合の動作を図１０および図１１のフローチャートおよび図１２により説明する。
まず、図１０に示すように、表示管理装置３における表示管理部１９の表示切換え制御部７１（図７参照）は、表示装置２に広告表示を行わせる。このときには、使用許可表示部６１（図５参照）が消灯状態となっている（Ｓ１）。このとき表示される広告データは、メモリ部２０の広告データ格納部８１に予め格納されているもの、もしくは図９に示した構成により、プロバイダＧから外部ネットワークを介して表示管理装置３に供給されて来たものである。
この状態において、携帯情報装置１から表示装置２の使用要求（占有要求）が入力されると（Ｓ２）、表示切換え制御部７１は、表示装置２の使用状態がＯＦＦであるか否か、即ち現在他の携帯情報装置１により使用されていない状態であるか否か（広告表示を行っている状態であるか否か）を判定する（Ｓ３）。
この判定の結果、表示装置２の使用状態がＯＦＦであると、表示切換え制御部７１は、図１２に示すように、表示装置２の使用料金の支払い方法（決済方法）の選択画面を表示装置２に表示させ、使用者に支払い方法の選択を要求する（Ｓ４）。
ここでの支払い方法の選択は、表示された支払い方法のメニューに付された番号を携帯情報装置１の操作部１１において入力すること、あるいはメニューの表示部分をタッチすること（表示装置２がタッチパネル機能を有する場合）などにより行われる。
このとき、例えば現金が選択され（Ｓ５）、表示装置２の現金投入口（図示せず）に現金が投入されると、現金計数器４４（図４参照）がこれを計算する。この計算結果に基づき、表示管理装置３の演算制御装置５１、即ち使用可否判定部７２（図７参照）が残金に応じた残り時間（使用可能時間）を計算し、表示装置２に残り時間を表示させるモードを設定する（Ｓ６）。
また、Ｓ５において現金以外の何れかのカードが選択され、表示装置２のカードリーダー４３（図５参照）にカードが挿入されると、カードリーダー４３がそのカードの情報を読み取る。この読み取り結果に基づき、表示管理装置３の演算制御装置５１（図４参照）、即ち使用可否判定部７２（図７参照）は、使用者から課金可能か否かを判定する（Ｓ７）。即ち、カードに書き込まれている情報に基づき、カード残金の有無等を判定し、あるいは外部ネットワークを通じてカード会社に問い合わせを行い、そのカードによる支払いの可否を判定する。
この判定の結果、携帯情報装置１により表示装置２の使用が可能であれば、表示装置２に積算使用時間とその積算料金を表示させるモードを設定する（Ｓ８）。一方、上記判定の結果、使用不可であれば、Ｓ１に戻り、広告表示を継続する。
次に、携帯情報装置１により表示装置２を使用可能であれば、図１１に示すように、その後、使用可否判定部７２は、表示装置２の使用を許可し、使用許可表示部６１を点灯させ、携帯情報装置１の使用者に表示装置２を使用可能であることを伝える。また、表示切換え制御部７１は表示装置２において広告表示を終了させる（Ｓ９）。なお、このとき表示切換え制御部７１は、広告表示を完全に終了させることなく、その広告を、バナー広告等の小画像として画面の片隅に表示させるようにしてもよい。
次に、表示切換え制御部７１は、携帯情報装置１により表示装置２を使用可能にするための処理として、表示装置２での表示に必要なプロファイル（表示プロファイル）を携帯情報装置１へ送信する（Ｓ１０）。これを受信した携帯情報装置１では、上記表示プロファイルに応じて、表示装置２の画面の表示設定を行う（Ｓ１１）。
次に、表示管理装置３の表示切換え制御部７１は、携帯情報装置１から画像データが入力されると、入力された画像データを表示装置２に表示させる（Ｓ１２）。そして、課金処理部７３が携帯情報装置１による表示装置２の使用に対して課金を開始する（Ｓ１３）。
その後、表示切換え制御部７１は、携帯情報装置１による表示装置２の使用が終了したか否かを監視する（Ｓ１４）。なお、表示装置２の使用終了は、例えば携帯情報装置１の操作部１１において携帯情報装置１の使用者により使用の終了操作示行われること、あるいは表示装置２の使用のための残高が不足すること、表示装置２上に設けられた使用終了部が使用者によりタッチされること、携帯情報装置１から表示装置２に対して一定時間何らかのアクセスがなかったことに基づいて行われる。なお、上記の残高不足は課金処理部７３により検出される。
Ｓ１４において携帯情報装置１による表示装置２の使用終了を表示切換え制御部７１が検出すると、課金処理部７３は、課金を終了し、表示装置２の使用料金を計算する（Ｓ１５）。そして、料金の精算を行う（Ｓ１６）。この際、現金の場合であっておつりがある場合はその払い戻しを行い、カードの場合にはそれらに応じて適宜精算処理を行う。その後、Ｓ１に戻り、表示切換え制御部７１は表示装置２に広告表示を再開させる。
次に、情報サービスシステムにおいて、携帯情報装置１による表示装置２の使用に対して携帯情報装置１の使用者に課金しない場合の動作を図１３のフローチャートにより説明する。
まず、表示管理装置３における表示管理部１９の表示切換え制御部７１（図７参照）は、表示装置２に広告表示を行わせる。このときには、使用許可表示部６１（図５参照）が消灯状態となっている（Ｓ３１）。このとき表示される広告データは、メモリ部２０の広告データ格納部８１に予め格納されているもの、もしくは図９に示した構成により、プロバイダＧから外部ネットワークを介して表示管理装置３に供給されて来たものである。
この状態において、携帯情報装置１から表示装置２の使用要求（占有要求）が入力されると（Ｓ３２）、表示切換え制御部７１は、表示装置２の使用状態がＯＦＦであるか否か、即ち現在他の携帯情報装置１により使用されていない状態であるか否か（広告表示を行っている状態であるか否か）を判定する（Ｓ３３）。
この判定の結果、表示装置２の使用状態がＯＦＦであると、使用可否判定部７２は、表示装置２の使用を許可し、使用許可表示部６１を点灯させ、携帯情報装置１の使用者に表示装置２を使用可能であることを伝える。また、表示切換え制御部７１は表示装置２において広告表示を終了させる（Ｓ３４）。なお、このとき表示切換え制御部７１は、広告表示を完全に終了させることなく、その広告を、バナー広告等の小画像として画面の片隅に表示させるようにしてもよい。
次に、表示切換え制御部７１は、携帯情報装置１により表示装置２を使用可能にするための処理として、表示装置２での表示に必要なプロファイル（表示プロファイル）を携帯情報装置１へ送信する（Ｓ３５）。これを受信した携帯情報装置１では、上記表示プロファイルに応じて、表示装置２の画面の表示設定を行う（Ｓ３６）。
次に、表示管理装置３の表示切換え制御部７１は、携帯情報装置１から画像データが入力されると、入力された画像データを表示装置２に表示させる（Ｓ３７）。
その後、表示切換え制御部７１は、携帯情報装置１による表示装置２の使用が終了したか否かを監視する（Ｓ３８）。なお、表示装置２の使用終了は、例えば携帯情報装置１の操作部１１において携帯情報装置１の使用者により使用の終了操作が行われること、表示装置２上に設けられた使用終了部が使用者によりタッチされること、携帯情報装置１から表示装置２に対して一定時間何らかのアクセスがなかったことに基づいて行われる。
Ｓ３８において携帯情報装置１による表示装置２の使用終了を検出すると、表示切換え制御部７１は、Ｓ３１に戻り、表示装置２に広告表示を再開させる。
この処理において、課金処理部７３は、上記のように、携帯情報装置１による表示装置２の使用に対しては課金処理を行わない。しかしながら、表示装置２での広告の表示に対しては、広告主Ｅとの契約に基づく課金処理を行う。したがって、課金処理部７３は、携帯情報装置１による使用分を広告主Ｅに請求する場合には、そのための課金処理を行う。また、広告主Ｅと期間契約の場合にも、適宜それに応じた種々の料金の計算処理を行う。
〔実施の形態２〕
本発明の実施の他の形態を図１４ないし図１９に基づいて以下に説明する。なお、説明の便宜上、前記の手段と同一の機能を有する手段には同一の符号を付記し、その説明を省略する。
本実施の形態の情報サービスシステムは、図１に示す基本構成を有し、図１４に示すように、１台の表示管理装置３が、この表示管理装置３に接続されている複数台の表示装置２を管理する構成となっている。したがって、例えば図６に示したように表示装置２がボックス６２内に設けられている構成では、本情報サービスシステムの表示装置２および表示管理装置３は図１５に示すものとなる。
この情報サービスシステムの具体的な構成を図１６に示す。なお、携帯情報装置１は図４に示したものと同様であり、ここでは記載を省略している。
図１６において、表示装置２は、表示ユニット４１、通信装置４２、カードリーダー４３、現金計数器４４、演算制御装置４５および内部メモリ装置４６を備えている。
本実施の形態において、表示ユニット４１は図１に示した表示部１４を構成し、通信装置４２は送受信部１７を構成する。演算制御装置４５は表示制御部１５を構成し、表示管理装置３の演算制御装置５１と通信することにより、表示装置２の全体を制御する。
表示管理装置３は、図４に示した表示管理装置３が備える内部メモリ装置５２、外部メモリ装置５３および通信装置５４を備え、さらに各種指令等を入力するための入力装置５５、およびシステム監視用の表示装置５６を備えている。
外部メモリ装置５３には、表示ユニット４１（表示部１４）に表示させるための広告のデータや、携帯情報装置１からの要求に応じて携帯情報装置１に供給するコンテンツのデータが格納されている。通信装置５４は外部ネットワーク部２１を構成し、表示管理装置３を外部ネットワークを介して外部システムと接続する。この外部システムは、例えばクレジットカードやデビットカード等のカード会社のサーバーなどである。
上記の構成において、本情報サービスシステムの動作を以下に説明する。
まず、携帯情報装置１による表示装置２の使用に対して携帯情報装置１の使用者に課金する場合の動作を図１７および図１８のフローチャートにより説明する。
図１７に示すように、表示管理装置３の表示切換え制御部７１（図７参照）は、表示管理装置３に接続された各表示装置２に対して予めＩＤを付与する（Ｓ５１）。このＩＤによって表示管理装置３は複数の表示装置２を管理する。
この状態において、まず、表示切換え制御部７１は、各表示装置２に広告表示を行わせる。このときには、それらの使用許可表示部６１（図１４参照）が消灯状態となっている（Ｓ５２）。このとき表示される広告データは、表示管理装置３のメモリ部２０の広告データ格納部８１に予め格納されているもの、もしくは図９に示した構成により、プロバイダＧから外部ネットワークを介して表示管理装置３に供給されて来たものである。
次に、携帯情報装置１から任意の１台の表示装置２に対して使用要求（占有要求）が入力されると（Ｓ５３）、表示装置２の表示制御部１５は、この情報をＩＤ情報とともに表示管理装置３に送信する。表示管理装置３の表示切換え制御部７１は、そのＩＤが付与されている表示装置２の使用状態がＯＦＦであるか否か、即ちそのＩＤが付与されている表示装置２が現在他の携帯情報装置１により使用されていない状態であるか否か（広告表示を行っている状態であるか否か）を判定する（Ｓ５４）。
この判定の結果、表示装置２の使用状態がＯＦＦであると、表示切換え制御部７１は、図１２に示すように、表示装置２の使用料金の支払い方法（決済方法）の選択画面を表示装置２に表示させ、使用者に支払い方法の選択を要求する（Ｓ５５）。なお、選択方法については前述の通りである。
このとき、例えば現金が選択され（Ｓ５６）、表示装置２の現金投入口（図示せず）に現金が投入されると、現金計数器４４（図１６参照）がこれを計算する。この計算結果に基づき、表示管理装置３の演算制御装置５１、即ち使用可否判定部７２（図７参照）が残高に応じた残り時間（使用可能時間）を計算し、表示装置２に残り時間を表示させるモードを設定する（Ｓ５７）。
また、Ｓ５６において現金以外の何れかのカードが選択され、表示装置２のカードリーダー４３（図１４参照）にカードが挿入されると、カードリーダー４３がそのカードの情報を読み取る。この読み取り結果に基づき、表示管理装置３の演算制御装置５１（図１６参照）、即ち使用可否判定部７２（図７参照）は、使用者から課金可能か否かを判定する（Ｓ５８）。即ち、カードに書き込まれている情報に基づき、カード残金の有無等を判定し、あるいは外部ネットワークを通じてカード会社に問い合わせを行い、そのカードによる支払いの可否を判定する。
この判定の結果、携帯情報装置１により表示装置２の使用が可能であれば、表示装置２に使用時間とその積算料金を表示させるモードを設定する（Ｓ５９）。一方、上記判定の結果、使用不可であれば、Ｓ５２に戻る。
次に、図１８に示すように、携帯情報装置１により表示装置２を使用可能であれば、その後、使用可否判定部７２は、表示装置２の使用を許可し、使用許可表示部６１を点灯させ、携帯情報装置１の使用者に表示装置２を使用可能であることを伝える。また、表示切換え制御部７１は表示装置２において広告表示を終了させる（Ｓ６０）。なお、広告をバナー広告等の小画像として表示させてもよい点は、前述のとおりである。
次に、表示切換え制御部７１は、携帯情報装置１により表示装置２を使用可能にするための処理として、表示装置２での表示に必要なプロファイル（表示プロファイル）を携帯情報装置１へ送信する（Ｓ６１）。これを受信した携帯情報装置１では、上記表示プロファイルに応じて、表示装置２の画面の表示設定を行う（Ｓ６２）。
次に、表示管理装置３の表示切換え制御部７１は、携帯情報装置１から画像データが入力されると、入力された画像データを表示装置２に表示させる（Ｓ６３）。そして、課金処理部７３が携帯情報装置１による表示装置２の使用に対して課金を開始する（Ｓ６４）。
その後、表示切換え制御部７１は、携帯情報装置１による表示装置２の使用が終了したか否かを監視する（Ｓ６５）。なお、表示装置２の使用終了については、前述のとおりである。
Ｓ６５において携帯情報装置１による表示装置２の使用終了を表示切換え制御部７１が検出すると、課金処理部７３は、課金を終了し、表示装置２の使用料金を計算する（Ｓ６６）。そして、料金の精算を行う（Ｓ６７）。この際、現金の場合であっておつりがある場合はその払い戻しを行い、カードの場合にはそれらに応じて適宜精算処理を行う。その後、Ｓ５２に戻り、表示切換え制御部７１は表示装置２に広告表示を再開させる。
次に、情報サービスシステムにおいて、携帯情報装置１による表示装置２の使用に対して携帯情報装置１の使用者に課金しない場合の動作を図１９のフローチャートにより説明する。
表示管理装置３の表示切換え制御部７１（図７参照）は、表示管理装置３に接続された各表示装置２に対して予めＩＤを付与する（Ｓ８１）。このＩＤによって表示管理装置３は複数の表示装置２を管理する。
この状態において、まず、表示切換え制御部７１は、表示装置２に広告表示を行わせる。このときには、使用許可表示部６１（図１４参照）が消灯状態となっている（Ｓ８２）。
この状態において、携帯情報装置１から任意の１台の表示装置２に対して使用要求（占有要求）が入力されると（Ｓ８３）、表示装置２の表示制御部１５は、この情報をＩＤ情報とともに表示管理装置３に送信する。表示管理装置３の表示切換え制御部７１は、そのＩＤが付与されている表示装置２の使用状態がＯＦＦであるか否か、即ち現在他の携帯情報装置１により使用されていない状態であるか否か（広告表示を行っている状態であるか否か）を判定する（Ｓ８４）。
この判定の結果、表示装置２の使用状態がＯＦＦであると、使用可否判定部７２は、表示装置２の使用を許可し、使用許可表示部６１を点灯させ、携帯情報装置１の使用者に表示装置２を使用可能であることを伝える。また、表示切換え制御部７１は表示装置２において広告表示を終了させる（Ｓ８５）。なお、広告をバナー広告等の小画像として表示させてもよい点は、前述のとおりである。
次に、表示切換え制御部７１は、携帯情報装置１により表示装置２を使用可能にするための処理として、表示装置２での表示に必要なプロファイル（表示プロファイル）を携帯情報装置１へ送信する（Ｓ８６）。これを受信した携帯情報装置１では、上記表示プロファイルに応じて、表示装置２の画面の表示設定を行う（Ｓ８７）。
次に、表示管理装置３の表示切換え制御部７１は、携帯情報装置１から画像データが入力されると、入力された画像データを表示装置２に表示させる（Ｓ８８）。
その後、表示切換え制御部７１は、携帯情報装置１による表示装置２の使用が終了したか否かを監視する（Ｓ８９）。なお、表示装置２の使用終了については、前述のとおりである。
Ｓ８９において携帯情報装置１による表示装置２の使用終了を検出すると、表示切換え制御部７１は、Ｓ８２に戻り、表示装置２に広告表示を再開させる。
この処理において、課金処理部７３は、上記のように、携帯情報装置１による表示装置２の使用に対しては課金処理を行わない。しかしながら、表示装置２での広告の表示に対しては、広告主Ｅとの契約に基づく課金処理を行う。携帯情報装置１による使用分を広告主Ｅに請求する場合には、そのための課金処理を行う。また、広告主Ｅと期間契約の場合にも、適宜それに応じた種々の料金の計算処理を行う。
以上のように、本発明の情報サービスシステムは、例えば街角等、いたるところに表示装置２を配置し、携帯情報装置１により表示装置２の任意の１台を使用可能にしたものである。したがって、この情報サービスシステムにおいては、携帯情報装置１自体に必ずしも表示装置を設ける必要がないので、携帯情報装置１の小型軽量化を促進できる。また、表示装置２は、携帯情報装置１と共に携帯する必要がないので、大画面化を図ることができる。これにより、ＰＣなどの携帯情報装置１の使用者は、携帯情報装置１に装着される表示装置に制約されることなく、外出先や移動中（例えば表示装置２が乗り物の座席等に設けられている場合）において、大画面を見ながらの作業が可能となる。
このように、本情報サービスシステムは、携帯情報装置１の使用者に対しては利便性に優れたものとなり、また表示装置２を広告表示に使用する広告主に対しては有効な広告媒体を提供するものとなる。そして、これら携帯情報装置１の使用者や広告主に対して課金を行うことにより、適切に収益を上げることができる。
〔実施の形態３〕
本発明のさらに他の実施の形態を図２２ないし図３３、図４７および図４８に基づいて以下に説明する。
本実施の形態の情報サービスシステムは、図２２に示すように、携帯情報装置（携帯情報手段、外部装置）１０１、表示装置１０２、表示管理装置（表示管理手段）１０３および情報配信装置（情報配信手段）１０４を備えている。
図２２はシステム側から見た場合の構成を示している。一方、携帯情報装置１０１の使用者側から見た場合、システムは、携帯情報装置１０１と表示装置１０２とが従来のＰＣ等と同様の情報処理装置を構成するものと捉えることができる（情報配信装置１０４は図示せず）。図４７（ａ）（ｂ）には、上記両側のそれぞれの側から見た場合のシステム構成の違いを、対比が容易な概念図として示す。図４７（ａ）はシステム側から見た場合、図４７（ｂ）は携帯情報装置１０１の使用者側から見た場合である。また、図４８には、システム側から見た場合の、送受信部１１３、１１７および内部ネットワーク部１１６、１１８を明示したシステム概念図を示す。
携帯情報装置１０１は、携帯性を重視し、大型の表示部を排除した小型かつ軽量の構成である。表示装置１０２は携帯情報装置１０１の表示装置として使用可能なものである。表示管理装置１０３は表示装置１０２の表示動作等を管理する。本実施の形態において、表示管理装置１０３は各表示装置１０２毎に設けられている。情報配信装置１０４は、例えばインターネットである通信ネットワーク１０５を介して表示管理装置１０３と通信可能であり、表示管理装置１０３からの要求に応じて情報を配信する。この情報配信装置１０４は複数台存在する。
携帯情報装置１０１は、操作部１１１、データ制御部１１２、送受信部１１３およびバッテリー部（図示せず）を備え、例えば、ハンドヘルドパーソナルコンピュータ（以下、パーソナルコンピュータをＰＣと略称する）、ポケットＰＣ、携帯電話あるいは携帯情報端末等からなる。
操作部１１１は、各種指令を入力するための例えば各種入力キーを有する。データ制御部１１２は、操作部１１１からの入力等に応じてデータを処理し、携帯情報装置１０１での各種制御動作を行う。送受信部１１３は、表示装置１０２の送受信部（表示側通信手段）１１７と画像データや制御データの送受信を行う。なお、携帯情報装置１０１では、小型軽量化を図るために表示部が省かれているものの、携帯情報装置１０１の小型軽量化に大きく影響しない小型の表示部が搭載されていてもよい。
携帯情報装置１０１は、上記のように、例えばノートＰＣに備えられているような大型の表示部を省いた構成であるから、大幅に小型化かつ軽量化されている。したがって、例えば、アタッシュケース、かばんあるいはポーチ等の携帯品に組み込まれていてもよい。
表示装置１０２は、表示部（表示手段）１１４、表示制御部１１５、内部ネットワーク部１１６、送受信部１１７および電源部（図示せず）を備え、画像データ等を表示する。
表示部１１４は、図２３に示すように、例えば液晶パネル１１４ａ、この液晶パネル１１４ａを駆動する信号線駆動回路１１４ｂおよび走査線駆動回路１１４ｃからなる。液晶パネル１１４ａは、例えば透過型ＴＦＴ液晶パネルからなる。この透過型ＴＦＴ液晶パネルは、画面サイズが１２型、表示画素数が８００×ＲＧＢ×６００画素の１６階調のものである。この透過型ＴＦＴ液晶パネルは、従来のパネル構造と同じであるので、その説明については簡単化する。
透過型ＴＦＴ液晶パネルは、基本的にガラス基板あるいはプラスチック基板により液晶を挟みこんだ構造を有し、一方の基板上に画素アレイが形成されている。この透過型液晶パネルを６０Ｈｚの垂直同期周波数で駆動するためには、約３４６Ｍｂｐｓの伝送速度が必要である。しかしながら、この伝送速度は、本願出願人による特願２０００−１３１１８３に示す低周波数駆動などを行うことにより、抑制することができる。例えば、上記垂直同期周波数を約１．８Ｈｚにすれば、伝送速度は約１１Ｍｂｐｓできる。したがって、時系列の画像データを送る場合も、下記のＩＥＥＥ８０２．１１仕様の伝送速度による表示部１１４の表示が可能となる。
ここでは、表示部１１４として画面サイズが１２型で８００×ＲＧＢ×６００画素の液晶パネル１１４ａを例に説明したが、表示部１１４は表示装置１０２の寸法および形状を大きく左右するファクタであり、その設置場所等に応じて最適な画面サイズおよび表示画素数を選定するのが好ましい。
また、表示部１１４として、例えばさらに表示画素数が多い高解像度タイプの液晶パネル１１４ａを使用する場合には、画素データ（画像データ）の伝送速度を速くするか、伝送する画素データをＨＴＭＬ（Ｈｙｐｅｒ　Ｔｅｘｔ　Ｍａｒｋｕｐ　Ｌａｎｇｕａｇｅ）やＸＭＬ（Ｅｘｔｅｎｓｉｂｌｅ　Ｍａｒｋｕｐ　Ｌａｎｇｕａｇｅ）などの形式にしてもよい。尚、表示部１１４は必ずしも液晶パネル１１４ａに限定されるものではなく、例えばＥＬパネルであっても良く、また表示装置１０２の設置スペースに余裕があれば、ＣＲＴ（Ｃａｔｈｏｄｅ　Ｒａｙ　Ｔｕｂｅ）であってもよい。
表示制御部１１５は、入力された画像データを液晶パネル１１４ｄ（表示部１１４）の駆動に適した信号に変換するインターフェース部を有する。このインターフェース部は、図２４に示すように、フィールドメモリ１１５ａ、ＰＬＬ（Ｐｈａｓｅ　Ｌｏｃｋｅｄ　Ｌｏｏｐ）１１５ｂ、コントローラ１１５ｃおよび基準クロック生成部１１５ｄを備えている。フィールドメモリ１１５ａは１画面分の画像データを記憶可能である。
この表示制御部１１５において、表示管理装置１０３から入力された表示データのうち、映像データはフィールドメモリ１１５ａへ入力され、同期信号はＰＬＬ１１５ｂへ入力される。ＰＬＬ１１５ｂでは同期信号に基づいてドットクロックが生成され、このドットクロックのタイミングにて映像データがフィールドメモリ１１５ａに書き込まれる。コントローラ１１５ｃは、基準クロック生成部１１５ｄからの基準クロックに基づいて、表示部１１４の駆動に適したタイミングの同期信号を生成し、この同期信号を表示部１１４に供給するとともに、フィールドメモリ１１５ａから映像データを読み出して表示部１１４に供給する。
内部ネットワーク部１１６は、表示管理装置１０３の内部ネットワーク部１１８と接続され、表示管理装置１０３とデータの送受信を行う。送受信部１１７は、携帯情報装置１０１の送受信部１１３とデータの送受信を行う。
表示管理装置１０３は、内部ネットワーク部１１８、表示管理部１１９、メモリ部（広告情報格納部、質問事項格納部）１２０、外部ネットワーク部１２１および電源部（図示せず）を備えている。内部ネットワーク部１１８は、内部ネットワークを介して表示装置１０２の内部ネットワーク部１１６と接続され、データの送受信を行う。表示管理部１１９は、主として表示装置１０２の表示動作を管理するとともに、この表示に関する各種制御動作を行う。メモリ部１２０は、表示管理部１１９での処理に使用され、データを記憶する。外部ネットワーク部１２１は通信ネットワーク１０５を介して表示管理装置１０３（表示管理部１１９）を情報配信装置１０４と接続する。
携帯情報装置１０１と表示装置１０２との送受信部１１３、１１７によるデータの送受信には、例えばＩＥＥＥ８０２．１１仕様の無線インターフェイスを用いる。ＩＥＥＥ８０２．１１は、広く普及しつつある無線通信技術であり、２．４ＧＨｚ帯の電波を使用する。このＩＥＥＥ８０２．１１は、初期バージョンの場合、１Ｍｂｐｓと２Ｍｂｐｓの伝送速度が規定されたが、既に１１Ｍｂｐｓの伝送速度のものも普及し始めている。
また、上記送受信部１１３、１１７によるデータの送受信には、ＵＳＢ（Ｕｎｉｖｅｒｓａｌ　Ｓｅｒｉａｌ　Ｂｕｓ）仕様やＩＥＥＥ１３９４（Ｉｎｓｔｉｔｕｔｅ　ｏｆ　Ｅｌｅｃｔｒｉｃａｌ　ａｎｄ　Ｅｌｅｃｔｒｏｎｉｃｓ　Ｅｎｇｉｎｅｅｒｓ　１３９４）仕様の有線インターフェイスを使用してもよい。
また、上記内部ネットワークとしては、例えばＬＡＮ（Ｌｏｃａｌ　Ａｒｅａ　Ｎｅｔｗｏｒｋ）を使用してもよい。
情報配信装置１０４は、外部ネットワーク部１２２、情報配信制御部１２３、表示部１２４およびメモリ部１２５を備えている。
外部ネットワーク部１２２は通信ネットワーク１０５を介して情報配信装置１０４を表示管理装置１０３と接続する。メモリ部１２５は、コンテンツデータや、表示装置１０２に表示される広告データや、アンケートデータ等を格納している。情報配信制御部１２３は、表示管理装置１０３側からの要求等に応じて、メモリ部１２５に格納されているデータを適宜配信する。また、表示部１２４に作業状態等を示す情報を適宜表示させる。
次に、図２２に示した情報サービスシステムのさらに具体的な構成を図２５に示す。なお、同図においては、各表示装置１０２毎に表示管理装置１０３が設けられている場合の構成を示している。
図２５において、携帯情報装置１０１は、ＣＰＵからなる演算制御装置１３１、内部メモリ装置１３２、例えば小型のキーボードからなる入力装置１３３、および無線あるいは有線にて表示装置１０２と通信する通信装置１３４を備えている。また、携帯情報装置１０１は、さらに小型表示装置１３５およびインターネットに接続可能な携帯電話装置１３６を備えていてもよい。これら小型表示装置１３５および携帯電話装置１３６は、必要に応じて適宜設けられる。このような携帯情報装置１０１は、例えばモバイルＰＣ、ＰＤＡあるいは次世代携帯電話であってもよい。
上記の演算制御装置１３１および内部メモリ装置１３２は、図２２に示したデータ制御部１１２を構成し、入力装置１３３は操作部１１１を構成し、通信装置１３４は送受信部１１３を構成する。
ここで、内部メモリ装置１３２は、演算制御装置１３１の内部メモリであり、プログラムのワークエリアとして、また、画像データ等の記憶エリアとして、随時、任意の内容を記憶し、実行できる携帯情報装置１０１の専用のメモリ装置である。
表示装置１０２は、表示ユニット１４１、通信装置１４２、カードリーダー（料金支払い手段受入れ部）１４３および現金計数器（料金支払い手段受入れ部）１４４を備えている。表示ユニット１４１は図２２に示した表示部１１４および表示制御部１１５を構成し、通信装置１４２は送受信部１１７を構成する。カードリーダー１４３は、料金支払い手段としてのクレジットカード、デビットカード、プリペイドカード、電子マネー、あるいはその他の料金支払い用カードの読取装置である。現金計数器１４４は、現金投入口（図示せず）に投入された金額の計算器である。現金投入口は例えば表示装置１０２の前面に設けられる。この現金計数器１４４は、投入金額に対して本システムの使用料を差し引きし、おつりを払い出す機能も有する。
表示管理装置１０３は、ＣＰＵからなる演算制御装置１５１、内部メモリ装置１５２、外部メモリ装置１５３、および電話装置１５４を備えている。演算制御装置１５１は、図２２に示した表示管理部１１９を構成する。この演算制御装置１５１には、表示装置１０２の前記表示ユニット１４１、通信装置１４２、カードリーダー１４３および現金計数器１４４などが接続されており、演算制御装置１５１は、中央演算装置として機能する他、内部メモリ装置１５２および外部メモリ装置１５３の制御を行う。内部メモリ装置１５２および外部メモリ装置１５３はメモリ部１２０を構成する。
ここで、内部メモリ装置１５２は、演算制御装置１５１の内部メモリであり、プログラムのワークエリアとして、また、画像データ等の記憶エリアとして、随時、任意の内容を記憶し、実行できる装置として機能する。但し、携帯情報装置１０１から出力される画像データの記憶は、携帯情報装置１０１による表示管理装置１０３へのアクセスが行われている期間だけでよいため、内部メモリ装置１５２の記憶容量は特別大きくする必要はない。このことは、表示装置１０２毎に表示管理装置１０３が設けられていない場合においても同様である。
一方、外部メモリ装置１５３には、表示ユニット１４１（表示部１１４）に表示させるための広告のデータや、携帯情報装置１０１からの要求に応じて携帯情報装置１０１に供給するコンテンツデータが格納されており、演算制御装置１５１の制御に基づき、内部メモリ装置１５２とデータの送受を行うことにより、広告データを表示ユニット１４１に表示させる。
また、演算制御装置１５１は、各種アプリケーションソフトを携帯情報装置１０１との通信により携帯情報装置１０１の内部メモリ装置１３２に記憶させ実行させること等が可能である。さらに、携帯情報装置１０１の演算制御装置１３１の制御により動作するプログラムに基づき、表示装置１０２の表示ユニット１４１に表示されるデータと上記広告データ等とを合成し、あるいは切り替えて画面表示する機能を有する。電話装置１５４は外部ネットワーク部１２１を構成し、表示管理装置１０３を外部ネットワーク部１２１を介して外部システムと接続する。この外部システムは、例えばクレジットカードやデビットカード等のカード会社、さらに広告配信やコンテンツ配信等を行なうサーバー等である。
情報配信装置１０４は、ＣＰＵからなる演算制御装置１９１、内部メモリ装置１９２、外部メモリ装置１９３、入力装置１９４、表示装置１９５および電話装置１９６を備えている。演算制御装置１９１は図２２に示した情報配信制御部１２３を構成し、内部メモリ装置１９２および外部メモリ装置１９３はメモリ部１２５を構成する。外部メモリ装置１９３には前記の広告のデータやコンテンツデータ等が格納されている。コンテンツデータは、例えば種々のアプリケーションプログラム等、携帯情報装置１０１の使用者にとって有益なデータである。表示装置１９５は表示部１２４を構成し、電話装置１９６は外部ネットワーク部１２２を構成する。
本情報サービスシステムでは、携帯情報装置１０１の使用者が、表示装置１０２を使用して、情報配信装置１０４から前記コンテンツデータ等を取得することに対して適宜課金するものとなっている。なお、この課金は、表示装置１０２等の使用形態に応じて、その有無や額などが適宜設定される。
表示装置１０２は、上記のように使用されることから、携帯情報装置１０１を携帯する不特定多数の使用者により使用可能であることが好ましい。図２２では、情報サービスシステムの最小構成として、表示装置１０２および表示管理装置１０３を１台だけ設けた場合を示しているが、上記の点から、表示装置１０２および表示管理装置１０３は複数台設置されていることが好ましい。
表示装置１０２の設置場所としては、街角のあらゆる場所、あるいはビルやホテルの一室など、特に限定されないが、不特定多数の使用者が使用可能である場所、例えば公共の場所が好ましい。さらには、使用者が一定時間その場所に留まることが可能な場所を設置場所とすると、本情報サービスシステムの有効性や使用者にとっての利便性がさらに向上する。このような場所としては、例えば、ホテルのロビー、駅や空港の待合室、新幹線の座席、病院の待合室、図書館、市役所、書店、ショッピングモール、または歩道等に設けられた電話ボックス内、あるいはそのような形態のボックスの内部など、公共の場所である。
また、表示装置１０２は、このような場所に設置されることを考慮すると、省スペース化を図り得る液晶ディスプレイなどの薄型のものが好ましい。また、表示管理装置１０３は、表示装置１０２と一体化された構成、あるいは表示装置１０２と別体となっている構成のいずれであってもよい。
情報サービスシステムの外観の概略は、例えば図２６に示すものとなる。ここでは、表示管理装置１０３が表示装置１０２と別体となっている構成を示している。表示装置１０２の前面には、例えば前記カードリーダー１４３のカード挿入口、送受信部１１７および使用許可表示部１６１が設けられている。表示装置１０２には、さらに必要に応じて、現金計数器１４４への現金の投入口や、各種入力キーが設けられる。なお、カードの読み取りは、表示装置１０２に一体的に組み込まれたカードリーダー１４３にて行う構成ばかりでなく、例えばＰＯＳ（Ｐｏｉｎｔ　ｏｆ　Ｓａｌｅ）において使用される手持ち操作式のバーコード読み取り装置のような形態であってもよい。
上記の使用許可表示部１６１は、例えばＬＥＤ（発光ダイオード）からなり、表示装置１０２の使用を許可された場合に点灯される。使用許可表示部１６１の点灯、消灯は演算制御装置１５１（表示管理部１１９）により制御される。
また、図２７には、前述のように表示装置１０２をボックス１６２内に設けた場合の外観を示す。このようなボックス１６２は、例えば歩道上や店頭に設けられると、表示装置１０２、即ち本システムの使用の利便性が増す。
図２２に示した表示管理装置１０３は、各機能部をさらに具体的に示すと図２８に示すものとなる。即ち、表示管理部１１９は、表示切換え制御部１７１、使用可否判定部１７２および課金処理部１７３を有する。
表示切換え制御部１７１は、携帯情報装置１０１に対して使用可否判定部１７２により表示装置１０２の使用が許可されていないとき（携帯情報装置１０１より表示装置１０２の使用を要求されていないとき）に、情報配信装置１０４に広告データの配信を要求し、この広告データを表示装置１０２に表示させる。あるいは、メモリ部１２０に予め格納されている広告データを表示装置１０２に表示させる。また、表示切換え制御部１７１は、携帯情報装置１０１に対して使用可否判定部１７２により表示装置１０２の使用が許可されたときに、広告データに切り換えて、携帯情報装置１０１により要求された画像データ等を表示装置１０２に表示させる。この場合の上記広告データは、完全に表示画面から排除することなく、例えばバナー広告等の小画像として画面の片隅に表示するようにしてもよい。
なお、表示装置１０２の表示部１１４が例えば液晶パネル１１４ａからなる場合において、広告表示と携帯情報装置１０１により要求された画像データの表示を切り換える際、表示切換え制御部１７１は、自動的にあるいは使用者の操作により、液晶パネル１１４ａの視野角を切り換えるようにしてもよい。即ち、広告表示の際に視野角を広げることにより広告効果が高まる。一方、携帯情報装置１０１により要求された画像データを表示する際に視野角を狭めると、他人に表示内容を見られ難くなる。
使用可否判定部１７２は、図２５に示した例えばカードリーダー１４３にてカードが読み取られ、その結果、そのカードにより表示装置１０２の利用料金の支払いが可能と判断したとき、携帯情報装置１０１による表示装置１０２の使用を許可するとともに、前記使用許可表示部１６１を点灯させる。このとき、上記カードが例えばクレジットカードである場合、使用可否判定部１７２は、例えば、通信ネットワーク１０５を通じてクレジットカード会社のサーバーに対し、そのカードでの料金の支払いの可否について問い合わせる。この処理は、カードが、デビットカードや電子マネー等の場合においても同様である。
課金処理部１７３は、表示装置１０２等の使用に対して使用料金の計算を行い、携帯情報装置１０１の使用者に対して課金を行う。
次に、上記課金処理部１７３による課金処理の例について説明する。図２９に示すように、料金計算に関わる対象者としては、表示装置利用者Ａ（携帯情報装置１０１の使用者）、表示装置設置者Ｂ（表示装置１０２および表示管理装置１０３の設置者（所有者））、プロバイダ（情報配信装置１０４）Ｃ、広告主Ｄおよび表示装置１０２の設置場所提供者Ｅが存在する。
表示装置設置者Ｂは、表示装置利用者Ａにて表示装置１０２が使用されることにより利益を受ける。プロバイダＣは、情報配信装置１０４の所有者であり、広告主Ｄから広告料の支払いを受けて、広告の配信を代行する。プロバイダＣは、表示管理装置１０３の表示切換え制御部１７１からの要求を受けて広告を表示管理装置１０３に送信する。この広告は、通信ネットワーク１０５、例えばインターネットを介して表示管理装置１０３に入力され、表示装置１０２に表示される。広告料は、広告主ＤからプロバイダＣを経て、表示装置設置者Ｂに支払われる。広告主Ｄは、表示装置１０２に表示する広告の提供者である。この広告は、表示装置１６２が表示装置利用者Ａにより使用されていないときに表示される。設置場所提供者Ｅは表示装置１０２を設置する場所の提供者である。なお、ここでは、表示装置設置者Ｂが表示装置管理者を兼ねているが、表示装置管理者が表示装置設置者Ｂに管理を委託されて管理を行う構成でもよい。
基本的には、表示管理装置１０３（表示装置設置者Ｂ）の課金処理部１７３は、携帯情報装置１０１（表示装置利用者Ａ）による表示装置１０２の使用、およびプロバイダＣからのコンテンツデータの取得に対して課金する。コンテンツデータは、ローカルデータやアプリケーションデータ等のコンテンツデータである。ローカルデータは、例えば、表示装置１０２が設置されている地域周辺の地図情報、地域情報、各種施設情報、商店情報、会社情報、イベント情報、コンサート情報、交通機関の時刻表、あるいは新刊書情報等である。上記商店情報には、例えば商店、スーパーマーケット、飲食店の割引情報等が含まれる。
このときの表示装置利用者Ａによる使用料金は、例えば表示装置１０２の使用時間に応じて計算される。また、コンテンツデータの使用に対しては、データの容量に応じて、あるいはデータ毎に設定された単価に応じて料金を計算するようにしてもよい。
また、このときの使用料金は、広告主Ｄが負担すること、例えば上記コンテンツデータに含まれる広告の広告主、会社、あるいは商店などが負担すること、あるいは前者（広告主Ｄ）と後者（コンテンツデータに含まれる広告の広告主など）が分担することにより、無料化することも可能である。
広告主Ｄが表示装置１０２を使用することに対する課金の方法には、下記のものがある。
▲１▼表示装置１０２に広告が表示されている時間に応じて課金する。この場合には、料金の計算において、表示装置１０２における広告の表示面積（広告が前記小画像表示かあるいは通常の大画像表示か）を考慮する。なお、表示装置利用者Ａによる表示装置１０２の使用分については、表示装置利用者Ａが負担する。
▲２▼表示装置利用者Ａの使用分も含め、表示装置１０２を使用する期間、例えば時間、日数に対して課金する。
また、表示装置設置者Ｂは、設置場所提供者Ｅに対して、表示装置１０２および表示管理装置１０３の設置場所の使用料を支払う。この使用料は、例えば契約により予め定められた一定の金額、あるいは表示装置設置者Ｂが課金によって得た利益の割合の応じて計算されたもの等である。
なお、広告主Ｄが設置場所提供者Ｅである場合、この広告主Ｄには設置場所使用料を支払うことなく、広告料（広告を表示するための表示装置１０２の使用料）を徴収するようにしてもよい。
また、ここでは、表示装置利用者Ａによる表示装置１０２の利用に際しては、まず、広告主Ｄからのアンケート画面が表示され、このアンケートに対する表示装置利用者Ａからの回答が、表示管理装置１０３、通信ネットワーク１０５およびプロバイダＣを介して広告主Ｄに届けられる。なお、表示装置利用者Ａによる表示装置１０２の使用分を表示装置利用者Ａ自身が負担する場合において、このアンケートに回答した場合には、その使用料を減額し、その分を広告主Ｄが負担するようにしてもよい。
上記の構成において、本情報サービスシステムの動作を以下に説明する。
まず、情報サービスシステムにおいて、携帯情報装置１０１による表示装置１０２の使用、即ち表示装置１０２を使用しての情報配信装置１０４からのコンテンツデータの取得、あるいはこのコンテンツデータの表示装置１０２での表示処理に対して携帯情報装置１０１の使用者に課金する場合の動作を図３０および図３１のフローチャートおよび図３２により説明する。
まず、図３０に示すように、表示管理装置１０３における表示管理部１１９の表示切換え制御部１７１（図２８参照）は、表示装置１０２に広告表示を行わせる。とのときには、使用許可表示部１６１（図２６参照）が消灯状態となっている（Ｓ１０１）。このとき表示される広告データは、図２９に示した構成により、プロバイダＣ（情報配信装置１０４）から通信ネットワーク１０５を介して表示管理装置１０３に供給されて来たもの、あるいはメモリ部１２０に予め格納されているものである。
この状態において、携帯情報装置１０１から表示装置１０２の使用要求（占有要求）が入力されると（Ｓ１０２）、表示切換え制御部１７１は、表示装置１０２の使用状態がＯＦＦであるか否か、即ち現在他の携帯情報装置１０１により使用されていない状態であるか否か（広告表示を行っている状態であるか否か）を判定する（Ｓ１０３）。
この判定の結果、表示装置１０２の使用状態がＯＦＦであると、表示切換え制御部１７１は、図３２に示すように、表示装置１０２の使用料金の支払い方法（決済方法）の選択画面を表示装置１０２に表示させ、使用者に支払い方法の選択を要求する（Ｓ１０４）。
ここでの支払い方法の選択は、表示された支払い方法のメニューに付された番号を携帯情報装置１０１の操作部１１１において入力すること、あるいはメニューの表示部分をタッチすること（表示装置１０２がタッチパネル機能を有する場合）などにより行われる。
このとき、例えば現金が選択され（Ｓ１０５）、表示装置１０２の現金投入口（図示せず）に現金が投入されると、現金計数器１４４（図２５参照）がこれを計算する。この計算結果に基づき、表示管理装置１０３の演算制御装置１５１、即ち使用可否判定部１７２（図２８参照）が残金に応じた残り時間（使用可能時間）を計算し、表示装置１０２に残り時間を表示させるモードを設定する（Ｓ１０６）。
また、Ｓ１０５において現金以外の何れかのカードが選択され、表示装置１０２のカードリーダー１４３（図２６参照）にカードが挿入されると、カードリーダー１４３がそのカードの情報を読み取る。この読み取り結果に基づき、表示管理装置１０３の演算制御装置１５１（図２５参照）、即ち使用可否判定部１７２（図２７参照）は、使用者から課金可能か否かを判定する（Ｓ１０７）。即ち、カードに書き込まれている情報に基づき、カード残金の有無等を判定し、あるいは通信ネットワーク１０５を通じてカード会社に問い合わせを行い、そのカードによる支払いの可否を判定する。
この判定の結果、携帯情報装置１０１により表示装置１０２の使用が可能であれば、表示装置１０２に積算使用時間とその積算料金を表示させるモードを設定する（Ｓ１０８）。一方、上記判定の結果、使用不可であれば、Ｓ１０１に戻り、広告表示を継続する。
次に、携帯情報装置１０１により表示装置１０２を使用可能であれば、図３１に示すように、その後、使用可否判定部１７２は、表示装置１０２の使用を許可し、使用許可表示部１６１を点灯させ、携帯情報装置１０１の使用者に表示装置１０２を使用可能であることを伝える。また、表示切換え制御部１７１は表示装置１０２において広告表示を終了させる（Ｓ１０９）。なお、このとき表示切換え制御部１７１は、広告表示を完全に終了させることなく、その広告を、バナー広告等の小画像として画面の片隅に表示させるようにしてもよい。
次に、表示切換え制御部１７１は、携帯情報装置１０１により表示装置１０２を使用可能にするための処理として、表示装置１０２での表示に必要なプロファイル（表示プロファイル）を携帯情報装置１０１へ送信する（Ｓ１１０）。これを受信した携帯情報装置１０１では、上記表示プロファイルに応じて、表示装置１０２の画面の表示設定を行う（Ｓ１１１）。
次に、表示管理装置１０３の表示切換え制御部１７１は、携帯情報装置１０１からの指令に応じて何れかの情報配信装置１０４からコンテンツデータを取り込み、このコンテンツデータを表示装置１０２に表示させる（Ｓ１１２）。そして、課金処理部１７３が携帯情報装置１０１による表示装置１０２の使用に対して課金を開始する（Ｓ１１３）。この場合に課金対象となる表示装置１０２の使用は、表示装置１０２の使用自体と情報配信装置１０４からのコンテンツデータの取得との少なくとも一方である。
その後、表示切換え制御部１７１は、携帯情報装置１０１による表示装置１０２の使用が終了したか否かを監視する（Ｓ１１４）。なお、表示装置１０２の使用終了は、例えば携帯情報装置１０１の操作部１１１において携帯情報装置１０１の使用者により使用の終了操作が行われること、あるいは表示装置１０２の使用のための残高が不足すること、表示装置１０２上に設けられた使用終了部が使用者によりタッチされること、携帯情報装置１０１から表示装置１０２に対して一定時間何らかのアクセスがなかったことに基づいて行われる。なお、上記の残高不足は課金処理部１７３により検出される。
Ｓ１１４において携帯情報装置１０１による表示装置１０２の使用終了を表示切換え制御部１７１が検出すると、課金処理部１７３は、課金を終了し、表示装置１０２の使用料金を計算する（Ｓ１１５）。そして、料金の精算を行う（Ｓ１１６）。この際、現金の場合であっておつりがある場合はその払い戻しを行い、カードの場合にはそれらに応じて適宜精算処理を行う。その後、Ｓ１０１に戻り、表示切換え制御部１７１は表示装置１０２に広告表示を再開させる。
次に、情報サービスシステムにおいて、携帯情報装置１０１による表示装置１０２の使用に対して携帯情報装置１０１の使用者に課金しない場合の動作を図３３のフローチャートにより説明する。
まず、表示管理装置１０３における表示管理部１１９の表示切換え制御部１７１（図２８参照）は、表示装置１０２に広告表示を行わせる。このときには、使用許可表示部１６１（図２５参照）が消灯状態となっている（Ｓ１３１）。このとき表示される広告データは、前述の場合と同じものである。
この状態において、携帯情報装置１０１から表示装置１０２の使用要求（占有要求）が入力されると（Ｓ１３２）、表示切換え制御部１７１は、表示装置１０２の使用状態がＯＦＦであるか否か、即ち現在他の携帯情報装置１０１により使用されていない状態であるか否か（広告表示を行っている状態であるか否か）を判定する（Ｓ１３３）。
この判定の結果、表示装置１０２の使用状態がＯＦＦであると、使用可否判定部１７２は、表示装置１０２の使用を許可し、使用許可表示部１６１を点灯させ、携帯情報装置１０１の使用者に表示装置１０２を使用可能であることを伝える。また、表示切換え制御部１７１は表示装置１０２において広告表示を終了させる（Ｓ１３４）。なお、このとき表示切換え制御部１７１は、広告表示を完全に終了させることなく、その広告を、バナー広告等の小画像として画面の片隅に表示させるようにしてもよい。
次に、表示管理装置１０３の表示切換え制御部１７１は、携帯情報装置１０１からの指令に応じて情報配信装置１０４からコンテンツデータを取得すると、これを表示装置１０２に表示させる（Ｓ１３５）。
その後、表示切換え制御部１７１は、携帯情報装置１０１による表示装置１０２の使用が終了したか否かを監視する（Ｓ１３６）。なお、表示装置１０２の使用終了は、例えば携帯情報装置１０１の操作部１１１において携帯情報装置１０１の使用者により使用の終了操作が行われること、表示装置１０２上に設けられた使用終了部が使用者によりタッチされること、携帯情報装置１０１から表示装置１０２に対して一定時間何らかのアクセスがなかったことに基づいて行われる。
Ｓ１３６において携帯情報装置１０１による表示装置１０２の使用終了を検出すると、表示切換え制御部１７１は、Ｓ１３１に戻り、表示装置１０２に広告表示を再開させる。
この処理において、課金処理部１７３は、上記のように、携帯情報装置１０１による表示装置１０２の使用に対しては課金処理を行わない。しかしながら、表示装置１０２での広告の表示に対しては、広告主Ｄとの契約に基づく課金処理を行う。したがって、課金処理部１７３は、携帯情報装置１０１による使用分を広告主Ｄに請求する場合には、そのための課金処理を行う。また、広告主Ｄと期間契約の場合にも、適宜それに応じた種々の料金の計算処理を行う。
〔実施の形態４〕
本発明の実施のさらに他の形態を図３４ないし図４０に基づいて以下に説明する。なお、説明の便宜上、前記の手段と同一の機能を有する手段には同一の符号を付記し、その説明を省略する。
本実施の形態の情報サービスシステムは、図２２に示す基本構成を有し、図３４に示すように、１台の表示管理装置１０３が、この表示管理装置１０３に接続されている複数台の表示装置１０２を管理する構成となっている。したがって、例えば図２７に示したように表示装置１０２がボックス１６２内に設けられている構成では、本情報サービスシステムの表示装置１０２および表示管理装置１０３は図３５に示すものとなる。
図３６は、表示装置１０２としての例えば２１インチのカラーＴＦＴ液晶パネルが５０台、例えば駅の待合室に設置された場合の情報サービスシステムの構成を示している。表示装置群を構成する各表示装置１０２は、１台の表示管理装置１０３にケーブルによって接続されている。各表示装置１０２には１〜５０番のＩＤが与えられており、これらは表示装置１０２の画面上部隅に表示される。
上記表示管理装置１０３は、専用線２０１によって、通信ネットワーク１０５と接続されている。通信ネットワーク１０５には、当該鉄道会社と本システムの使用契約を結んでいる情報配信会社が所有する情報配信装置１０４が接続されている。
上記表示装置１０２には、通常は駅の構内案内や、その鉄道会社の広告が常時表示される。この広告表示は、当該駅が所有する表示管理装置１０３に格納された上記案内や広告映像データが、各表示装置１０２へ配信されることにより行われる。即ち、この場合の広告主Ｄならびに表示装置１０２の設置場所提供者Ｅは鉄道会社である。
あるいは、上記の広告表示は、表示装置１０２に広告を表示する時間帯、期間、表示する表示装置１０２の数を特定した契約を当該鉄道会社と交わしている上記情報配信会社が、上記契約時間帯に表示装置１０２に行わせてもよい。この場合、情報配信会社が所有する情報配信装置１０４に格納された広告映像データが、通信ネットワーク１０５（インターネット）を介して表示管理装置１０３に送られる。そして、表示管理装置１０３により少なくとも１つ以上の指定された表示装置１０２に表示される。
したがって、この場合の広告主Ｄは情報配信会社であり、情報配信会社が鉄道会社に支払うシステムの使用料は、広告を表示する表示装置１０２の数や、広告を流す時間帯等によって異なるようにしてもよい。
この情報サービスシステムの具体的な構成を図３７に示す。なお、携帯情報装置１０１は図２５に示したものと同様であり、ここでは記載を省略している。
図３７において、表示装置１０２は、表示ユニット１４１、通信装置１４２、カードリーダー１４３、現金計数器１４４、演算制御装置１４５および内部メモリ装置１４６を備えている。
本実施の形態において、表示ユニット１４１は図２２に示した表示部１１４を構成し、通信装置１４２は送受信部１１７を構成する。演算制御装置１４５は表示制御部１１５を構成し、表示管理装置１０３の演算制御装置１５１と通信することにより、表示装置１０２の全体を制御する。
表示管理装置１０３は、図２５に示した表示管理装置１０３が備える内部メモリ装置１５２、外部メモリ装置１５３および通信装置を備え、さらに各種指令等を入力するための入力装置１５５、およびシステム監視用の表示装置５６を備えている。電話装置１５４は外部ネットワーク部１２１を構成し、表示管理装置１０３を通信ネットワーク１０５を介して情報配信装置１０４と接続する。情報配信装置１０４は図２５に示したものと同一の構成である。
上記の構成において、本情報サービスシステムの動作を以下に説明する。
まず、携帯情報装置１０１による表示装置１０２の使用に対して携帯情報装置１０１の使用者に課金する場合の動作を図３８および図３９のフローチャートにより説明する。
図３８に示すように、表示管理装置１０３の表示切換え制御部１７１（図２８参照）は、表示管理装置１０３に接続された各表示装置１０２に対して予めＩＤを付与する（Ｓ１５１）。このＩＤによって表示管理装置１０３は複数の表示装置１０２を管理する。
この状態において、まず、表示切換え制御部１７１は、各表示装置１０２に広告表示を行わせる。このときには、それらの使用許可表示部１６１（図３４参照）が消灯状態となっている（Ｓ１５２）。このとき表示される広告データは、図２９に示した構成により、プロバイダＣ（情報配信装置１０４）から通信ネットワーク１０５を介して表示管理装置、１０３に供給されて来たもの、あるいは予めメモリ部１２０に格納されているものである。
次に、携帯情報装置１０１から任意の１台の表示装置１０２に対して使用要求（占有要求）が入力されると（Ｓ１５３）、表示装置１０２の表示制御部１１５は、この情報をＩＤ情報とともに表示管理装置１０３に送信する。表示管理装置１０３の表示切換え制御部１７１は、そのＩＤが付与されている表示装置１０２の使用状態がＯＦＦであるか否か、即ちそのＩＤが付与されている表示装置１０２が現在他の携帯情報装置１０１により使用されていない状態であるか否か（広告表示を行っている状態であるか否か）を判定する（Ｓ１５４）。
この判定の結果、表示装置１０２の使用状態がＯＦＦであると、表示切換え制御部１７１は、図３２に示すように、表示装置１０２の使用料金の支払い方法（決済方法）の選択画面を表示装置１０２に表示させ、使用者に支払い方法の選択を要求する（Ｓ１５５）。なお、選択方法については前述の通りである。
このとき、例えば現金が選択され（Ｓ１５６）、表示装置１０２の現金投入口（図示せず）に現金が投入されると、現金計数器１４４（図３７参照）がこれを計算する。この計算結果に基づき、表示管理装置１０３の演算制御装置１５１、即ち使用可否判定部１７２（図２８参照）が残高に応じた残り時間（使用可能時間）を計算し、表示装置１０２に残り時間を表示させるモードを設定する（Ｓ１５７）。
また、Ｓ１５６において現金以外の何れかのカードが選択され、表示装置１０２のカードリーダー１４３（図３４参照）にカードが挿入されると、カードリーダー１４３がそのカードの情報を読み取る。この読み取り結果に基づき、表示管理装置１０３の演算制御装置１５１（図３７参照）、即ち使用可否判定部１７２（図２８参照）は、使用者から課金可能か否かを判定する（Ｓ１５８）。即ち、カードに書き込まれている情報に基づき、カード残金の有無等を判定し、あるいは通信ネットワーク１０５を通じてカード会社に問い合わせを行い、そのカードによる支払いの可否を判定する。
この判定の結果、携帯情報装置１０１により表示装置１０２の使用が可能であれば、表示装置１０２に使用時間とその積算料金を表示させるモードを設定する（Ｓ１５９）。一方、上記判定の結果、使用不可であれば、Ｓ１５２に戻る。
次に、図３９に示すように、携帯情報装置１０１により表示装置１０２を使用可能であれば、その後、使用可否判定部１７２は、表示装置１０２の使用を許可し、使用許可表示部１６１を点灯させ、携帯情報装置１０１の使用者に表示装置１０２を使用可能であることを伝える。また、表示切換え制御部１７１は表示装置１０２において広告表示を終了させる（Ｓ１６０）。なお、広告をバナー広告等の小画像として表示させてもよい点は、前述のとおりである。
次に、表示管理装置１０３の表示切換え制御部１７１は、携帯情報装置１０１からの指令に応じて何れかの情報配信装置１０４からコンテンツデータを取り込み、このコンテンツデータを表示装置１０２に表示させる（Ｓ１６１）。そして、課金処理部１７３が携帯情報装置１０１による表示装置１０２の使用に対して課金を開始する（Ｓ１６２）。この場合に課金対象となる表示装置１０２の使用は、表示装置１０２の使用自体と情報配信装置１０４からのコンテンツデータの取得との少なくとも一方である。
その後、表示切換え制御部１７１は、携帯情報装置１０１による表示装置１０２の使用が終了したか否かを監視する（Ｓ１６３）。なお、表示装置１０２の使用終了については、前述のとおりである。
Ｓ１６３において携帯情報装置１０１による表示装置１０２の使用終了を表示切換え制御部１７１が検出すると、課金処理部１７３は、課金を終了し、表示装置１０２の使用料金を計算する（Ｓ１６４）。そして、料金の精算を行う（Ｓ１６５）。この際、現金の場合であっておつりがある場合はその払い戻しを行い、カードの場合にはそれらに応じて適宜精算処理を行う。その後、Ｓ１５２に戻り、表示切換え制御部１７１は表示装置１０２に広告表示を再開させる。
次に、情報サービスシステムにおいて、携帯情報装置１０１による表示装置１０２の使用に対して携帯情報装置１０１の使用者に課金しない場合の動作を図４０のフローチャートにより説明する。
表示管理装置１０３の表示切換え制御部１７１（図２８参照）は、表示管理装置１０３に接続された各表示装置１０２に対して予めＩＤを付与する（Ｓ１８１）。このＩＤによって表示管理装置１０３は複数の表示装置１０２を管理する。
この状態において、まず、表示切換え制御部１７１は、表示装置１０２に広告表示を行わせる。このときには、使用許可表示部１６１（図３４参照）が消灯状態となっている（Ｓ１８２）。
この状態において、携帯情報装置１０１から任意の１台の表示装置１０２に対して使用要求（占有要求）が入力されると（Ｓ１８３）、表示装置１０２の表示制御部１１５は、この情報をＩＤ情報とともに表示管理装置１０３に送信する。表示管理装置１０３の表示切換え制御部１７１は、そのＩＤが付与されている表示装置１０２の使用状態がＯＦＦであるか否か、即ち現在他の携帯情報装置１０１により使用されていない状態であるか否か（広告表示を行っている状態であるか否か）を判定する（Ｓ１８４）。
この判定の結果、表示装置１０２の使用状態がＯＦＦであると、使用可否判定部１７２は、表示装置１０２の使用を許可し、使用許可表示部１６１を点灯させ、携帯情報装置１０１の使用者に表示装置１０２を使用可能であることを伝える。また、表示切換え制御部１７１は表示装置１０２において広告表示を終了させる（Ｓ１８５）。なお、広告をバナー広告等の小画像として表示させてもよい点は、前述のとおりである。
次に、表示管理装置１０３の表示切換え制御部１７１は、携帯情報装置１０１からの指令に応じて情報配信装置１０４からコンテンツデータを取得すると、これを表示装置１０２に表示させる（Ｓ１８６）。
その後、表示切換え制御部１７１は、携帯情報装置１０１による表示装置１０２の使用が終了したか否かを監視する（Ｓ１８７）。なお、表示装置１０２の使用終了については、前述のとおりである。
Ｓ１８７において携帯情報装置１０１による表示装置１０２の使用終了を検出すると、表示切換え制御部１７１は、Ｓ１８２に戻り、表示装置１０２に広告表示を再開させる。
この処理において、課金処理部１７３は、上記のように、携帯情報装置１０１による表示装置１０２の使用に対しては課金処理を行わない。しかしながら、表示装置１０２での広告の表示に対しては、広告主Ｄとの契約に基づく課金処理を行う。携帯情報装置１０１による使用分を広告主Ｄに請求する場合には、そのための課金処理を行う。また、広告主Ｄと期間契約の場合にも、適宜それに応じた種々の料金の計算処理を行う。
〔実施の形態５〕
本発明の実施のさらに他の形態を図４１ないし図４５に基づいて以下に説明する。ここでの情報サービスシステムは、表示管理装置１０３が、携帯情報装置１０１から表示装置１０２の使用を要求されたときに、携帯情報装置１０１の使用者に対して広告主Ｄ（図２９参照）からの依頼に基づくアンケートを提示し、このアンケートに回答された場合に、携帯情報装置１０１による表示装置１０２の使用料を減額する構成となっている。以下、この場合の動作を図４１および図４２のフローチャートにより説明する。なお、この場合の情報サービスシステムの形態は、例えば図３６に示したものであり、前述のように例えば駅の構内に設けられたものである。
図４１に示すように、表示管理装置１０３の表示切換え制御部１７１（図２８参照）は、表示管理装置１０３に接続された各表示装置１０２に対して予めＩＤを付与する（Ｓ２０１）。
この状態において、まず、表示切換え制御部１７１は、各表示装置１０２に広告表示を行わせる。このときには、それらの使用許可表示部１６１（図３４参照）が消灯状態となっている（Ｓ２０２）。このとき表示される広告データは、例えば前述の鉄道会社のものであり、表示管理装置１０３のメモリ部１２０に格納されているものである。また、上記広告データは、広告主Ｄが上記鉄道会社以外の会社である場合、図２９に示した構成により、プロバイダＣ（情報配信装置１０４）から通信ネットワーク１０５を介して表示管理装置１０３に供給されて来たものである。
次に、携帯情報装置１０１から任意の１台の表示装置１０２に対して使用要求（占有要求）が入力されると（Ｓ２０３）、表示装置１０２の表示制御部１１５は、この情報をＩＤ情報とともに表示管理装置１０３に送信する。上記使用要求においては、例えば使用する表示装置１０２のＩＤ（画面隅に表示されているもの）、および使用者の氏名等が入力される。この入力は、携帯情報装置１０１の使用者が表示装置１０２の前で、携帯情報装置１０１を表示装置１０２に向けた状態で操作部１１１を操作することにより行う。
また、上記使用要求の際には、携帯情報装置１０１からまず使用要求の発信が行われ、これに基づき、表示装置１０２に図４３に示すパネルのＩＤ番号、クレジットカード番号および氏名等の入力を促す画面を表示するようにしてもよい。なお、ここで、クレジットカード番号の入力を要求するのは、例えば料金の支払い方法としてクレジットカードでの支払いのみを受け付ける場合であり、この場合には、下記のＳ２０５〜Ｓ２０８の処理が不要となる。
上記使用要求を受けると、表示管理装置１０３の表示切換え制御部１７１は、そのＩＤが付与されている表示装置１０２の使用状態がＯＦＦであるか否か（広告の表示状態であるか否か）を判定する（Ｓ２０４）。
この判定の結果、表示装置１０２の使用状態がＯＦＦであると、表示切換え制御部１７１は、図３２に示すように、表示装置１０２の使用料金の支払い方法（決済方法）の選択画面を表示装置１０２に表示させ、使用者に支払い方法の選択を要求する（Ｓ２０５）。
このとき、例えば現金が選択され（Ｓ２０６）、表示装置１０２の現金投入口（図示せず）に現金が投入されると、現金計数器１４４（図３７参照）がこれを計算する。この計算結果に基づき、表示管理装置１０３の使用可否判定部１７２（図２８参照）が残高に応じた残り時間（使用可能時間）を計算し、表示装置１０２に残り時間を表示させるモードを設定する（Ｓ２０７）。
また、Ｓ２０６において現金以外の何れかのカードが選択され、表示装置１０２のカードリーダー１４３（図３４参照）にカードが挿入されると、カードリーダー１４３がそのカードの情報を読み取る。この読み取り結果に基づき、表示管理装置１０３の使用可否判定部１７２（図２８参照）は、使用者から課金可能か否かを判定する（Ｓ２０８）。即ち、カードに書き込まれている情報に基づき、カード残金の有無等を判定し、あるいは通信ネットワーク１０５を通じてカード会社に問い合わせを行い、そのカードによる支払いの可否を判定する。
この判定の結果、携帯情報装置１０１により表示装置１０２の使用が可能であれば、表示装置１０２に使用時間とその積算料金を表示させるモードを設定する（Ｓ２０９）。一方、上記判定の結果、使用不可であれば、Ｓ２０２に戻る。
次に、携帯情報装置１０１により表示装置１０２を使用可能であれば、図４２に示すように、表示切換え制御部１７１は、表示装置１０２に例えば図４４に示すアンケート画面を表示させる（Ｓ２１０）。このアンケートは例えば前述の鉄道会社により作成され、表示管理装置１０３のメモリ部１２０に格納されているものである。なお、表示装置１０２に表示されている広告の広告主Ｄが、上記鉄道会社以外の会社である場合、上記アンケートは例えばその会社が作成したものである。この場合、アンケートは、情報配信装置１０４から通信ネットワーク１０５を介して表示管理装置１０３に送信される。
次に、携帯情報装置１０１の使用者により上記アンケートに対する回答が行われ（Ｓ２１１）、携帯情報装置１０１の操作部１１１における回答送信ボタンがＯＮされると、アンケート結果が表示管理装置１０３に送信され、そのメモリ部１２０に保存される。また、アンケートが鉄道会社以外の広告主Ｄからのものである場合、アンケート結果は、表示管理装置１０３から通信ネットワーク１０５を介して、例えば広告主Ｄが所有する情報配信装置１０４に送信され、情報配信装置１０４に保存される。
その後、表示装置１０２は、別の会社のアンケートに対して回答するか否かの問い合わせ画面となり、アンケートに回答することが選択された場合、上記と同様の処理が行われる（Ｓ２１２）。そして、回答されたアンケート数は表示管理装置１０３のメモリ部１２０に記憶される（Ｓ２１３）。
一方、Ｓ２１１、Ｓ２１２において、アンケートへの回答が拒否された場合には、処理がＳ２１４に移行する。上記アンケートへの回答の拒否は、例えば携帯情報装置１０１の操作部１１１において回答スキップ用ボタンが操作されることにより行われる。
その後、使用可否判定部１７２は、表示装置１０２の使用を許可し、使用許可表示部１６１を点灯させ、携帯情報装置１０１の使用者に表示装置１０２を使用可能であることを伝える。あるいは、表示装置１０２の表示部１１４にその旨を表示させる。また、表示切換え制御部１７１は表示装置１０２において広告表示を終了させる（Ｓ２１４）。なお、広告をバナー広告等の小画像として表示させてもよい点は、前述のとおりである。
次に、表示管理装置１０３の表示切換え制御部１７１は、携帯情報装置１０１からの指令に応じて何れかの情報配信装置１０４からコンテンツデータを取り込み、このコンテンツデータを表示装置１０２に表示させ、または携帯情報装置１０１もしくは表示管理装置１０３に取り込む（Ｓ２１５）。そして、課金処理部１７３が携帯情報装置１０１による表示装置１０２の使用に対して課金を開始する（Ｓ２１６）。この場合に課金対象となる表示装置１０２の使用は、表示装置１０２の使用自体と情報配信装置１０４からのコンテンツデータの取得との少なくとも一方である。
上記のように、携帯情報装置１０１により表示装置１０２が使用可能となった状態においては、携帯情報装置１０１の小型表示装置１３５に、表示装置１０２の表示部１１４に表示されている画像と同じ画像が表示される。なお、表示装置１０２の表示部１１４は大型画面であるから、小型表示装置１３５ではスクロールしなくては全体を確認できないような画像あっても、スクロール無しで確認可能である。
また、表示切換え制御部１７１は、携帯情報装置１０１による表示装置１０２の使用時に、図４５に示すように、表示部１１４の片隅にアンケート回答希望ボタンを表示させる。表示切換え制御部１７１は、上記アンケート回答希望ボタンがＯＮ（クリック）されたときに、図４４に示したアンケート画面を表示部１１４に表示させる。これにより、未回答のアンケートに対して随時回答できるようになっている。
その後、表示切換え制御部１７１は、携帯情報装置１０１による表示装置１０２の使用が終了したか否かを監視する（Ｓ２１７）。なお、表示装置１０２の使用終了は前述の方法により、あるいは表示部１１４の端部に表示された終了ボタンをＯＮ（クリック）することにより行うことができる。
Ｓ２１７において携帯情報装置１０１による表示装置１０２の使用終了を表示切換え制御部１７１が検出すると、課金処理部１７３は、課金を終了し、表示装置１０２の使用料金を計算する（Ｓ２１８）。そして、料金の精算を行う（Ｓ２１９）。この精算の際には、上記メモリ部１２０に記憶された、回答済のアンケート数等、アンケートに対して回答されたことにより、割引を行う。この割引分は、アンケートを行った広告主Ｄが負担する。
また、支払いが現金の場合であっておつりがある場合はその払い戻しを行い、カードの場合にはそれらに応じて適宜精算処理を行う。例えば支払いがクレジットカードによるものである場合、クレジット会社のサーバーにアクセスして、使用料の引き落としを行う。その後、Ｓ２０２に戻り、表示切換え制御部１７１は表示装置１０２に広告表示を再開させる。
この情報サービスシステムにおいては、携帯情報装置１０１の使用者にとっては安価または無料（アンケートの回答割合に応じて）にて表示装置１０２を使用可能になる。また、アンケートを行った広告主Ｄはそれによる割引分を負担するものの、アンケートにより顧客情報を効率的に収集することができるため、企業活動において大きなメリットが得られる。
〔実施の形態６〕
本発明の実施のさらに他の形態を図４６に基づいて以下に説明する。本情報サービスシステムは、前述の情報サービスシステムにおいて、表示管理装置１０３と通信ネットワーク１０５との間に、通信衛星２１１と通信管理装置２１２とが設けられたものとなっている。
表示管理装置１０３は各表示装置１０２と例えばケーブルにより接続され、通信管理装置２１２は通信ネットワーク１０５（インターネット）と例えば有線接続されている。通信管理装置２１２は、表示管理装置１０３と通信ネットワーク１０５および情報配信装置１０４との間の通信を通信衛星２１１を介して行うための中継ぎ機能を有する。
各表示装置１０２と表示管理装置１０３とは、航空機、船舶、列車、バス等の移動する交通手段、即ち移動手段２１３の居住区内に設置され、通信管理装置２１２は地上に固定して設けられる。他の構成は前述の情報サービスシステムと同様である。
上記のような構成により、本情報サービスシステムでは、移動手段２１３内においても、例えば自宅にいるのと変わらず、所定の情報通信サービスを享受できる。
以上のように、本発明の情報サービスシステムは、例えば街角等、いたるところに表示装置１０２を配置し、携帯情報装置１０１により表示装置１０２の任意の１台を使用可能にしたものである。したがって、この情報サービスシステムにおいては、携帯情報装置１０１自体に必ずしも表示装置を設ける必要がないので、携帯情報装置１０１の小型軽量化を促進できる。また、表示装置１０２は、携帯情報装置１０１と共に携帯する必要がないので、大画面化を図ることができる。これにより、ＰＣなどの携帯情報装置１０１の使用者は、携帯情報装置１０１に装着される表示装置に制約されることなく、外出先や移動中（例えば表示装置１０２が乗り物の座席等に設けられている場合）において、大画面を見ながらの作業が可能となる。
このように、本情報サービスシステムは、携帯情報装置１０１の使用者に対しては利便性に優れたものとなり、また表示装置１０２を広告表示に使用する広告主に対しては有効な広告媒体を提供するものとなる。そして、これら携帯情報装置１０１の使用者や広告主に対して課金を行うことにより、適切に収益を上げることができる。
また、本情報サービスシステムにおいて、携帯情報装置１０１の使用者は、表示装置１０２、表示管理装置１０３、通信ネットワーク１０５（インターネット）を通じて、携帯情報装置１０１の使用者が契約しているインターネットプロバイダ（情報配信装置１０４）に接続することができる。この接続の手順は通常の端末装置で行われているものと同様である。即ち、表示装置１０２の表示部１１４にインターネット接続のための画面を呼び出し、アクセスポイントの電話番号、ＩＤ、パスワードを表示装置１０２に送信してプロバイダに接続することにより、インターネットＷｅｂページを表示部１１４に表示させることができる。
また、本情報サービスシステムにおいては、表示装置１０２および表示管理装置１０３を所有する会社、即ち図２９に示した表示装置設置者Ｂが、各種アプリケーションソフトウエアを提供する契約を複数の情報配信装置１０４、即ち情報配信会社と交わしていてもよい。この場合には、携帯情報装置１０１が希望するアプリケーションソフトウエアを表示管理装置１０３あるいは携帯情報装置１０１に容易にダウンロードすることができ、またそのアプリケーションソフトウエアが有料の場合にも、この処理に対し表示管理装置１０３において容易に課金可能である。
この場合において表示管理装置１０３は、携帯情報装置１０１が希望するアプリケーションソフトウエアを複数の情報配信装置１０４（情報配信会社）から調達可能な場合、各情報配信装置１０４が提示する使用料を比較し、もっとも安価なものをダウンロードするようにしてもよい。
また、上記のように、表示装置１０２には、通常は表示管理装置１０３を所有する会社、即ち図２９に示した表示装置設置者Ｂの広告が常時表示されるが、この表示装置設置者Ｂと契約を交わすことにより、全く別の会社が表示装置１０２に広告を表示させることもできる。これら広告の提供方法や課金方法等は前述の通りである。
上記のように、情報サービスシステムは、携帯情報装置１０１を所持する不特定多数の使用者により使用可能な場所に設けられ、情報を表示する表示装置１０２と、携帯情報装置１０１との通信を行う送受信部１１７と、携帯情報装置１０１から送受信部１１７を介して入力された要求に基づき、通信ネットワーク１０５を介して情報を取り込み、この情報を表示装置１０２に表示させる表示管理装置１０３とを備える。これにより、携帯情報装置において大画面を排除して小型軽量化でき、かつこの小型軽量の利点を生かすことができるとともに、外出中においても大きい表示画面を使用して作業等を行うこと、並びに例えばインターネットを経由して取り込んだデータを使用可能にする。
産業上の利用可能性
以上のように、本発明の情報サービスシステムは、外部装置を所持する不特定多数の使用者により使用可能な場所に設けられ、画像情報を表示する表示手段と、前記外部装置との通信を行う表示側通信手段と、前記外部装置からの要求に基づき、前記表示側通信手段を介して外部装置から入力された画像情報を前記表示手段に表示させる表示制御手段とを備えている構成である。
上記の構成によれば、外部装置には、画像を適切に表示可能な大型の表示手段が不要となる。この結果、外部装置は小型軽量化が可能となり、携帯性が向上する。
また、表示手段は、外部装置を所持する不特定多数の使用者により使用可能な場所、例えば公共の場所に設けられているので、外部装置の所持者は、外出先や移動先において表示手段を容易に使用可能である。
本発明の他の情報サービスシステムは、画像情報を表示する表示手段と、外部装置との通信を行う表示側通信手段と、前記表示側通信手段を介して前記外部装置から入力された画像情報を前記表示手段に表示させる表示制御手段と、前記外部装置による前記表示手段の使用に対して課金する課金処理部を有する表示管理手段とを備えている構成である。
上記の構成によれば、外部装置には、画像を適切に表示可能な大型の表示手段が不要となる。この結果、外部装置は小型軽量化が可能となり、携帯性が向上する。
また、表示管理手段の課金処理部が、外部装置による表示手段の使用に対して課金するので、表示手段の使用に対して適切に利益を得ることができる。
本発明のさらに他の情報サービスシステムは、携帯情報手段と表示提供手段とを備え、前記表示提供手段が、前記携帯情報手段を所持する不特定多数の使用者により使用可能な場所に設けられ、画像情報を表示する表示手段と、前記携帯情報手段との通信を行う表示側通信手段と、前記携帯情報手段からの使用要求に基づき、前記表示側通信手段を介して携帯情報手段から入力された画像情報を前記表示手段に表示させる表示制御手段と、前記表示手段の表示動作を管理する表示管理手段とを備えていることを特徴としている。
上記の構成によれば、携帯情報手段からの要求に基づき、表示制御手段は、表示側通信手段を介して携帯情報手段から入力された画像情報を表示手段に表示させる。したがって、携帯情報手段には、画像を適切に表示可能な大型の表示手段が不要となる。この結果、携帯情報手段は小型軽量化が可能となり、携帯性が向上する。
また、表示手段は、携帯情報手段を所持する不特定多数の使用者により使用可能な場所、例えば公共の場所に設けられているので、携帯情報手段の所持者は、外出先や移動先において表示手段を容易に使用可能である。
本発明のさらに他の情報サービスシステムは、携帯情報手段と表示提供手段とを備え、前記表示提供手段が、画像情報を表示する表示手段と、前記携帯情報手段との通信を行う表示側通信手段と、前記表示側通信手段を介して前記携帯情報手段から入力された画像情報を前記表示手段に表示させる表示制御手段と、前記携帯情報手段による前記表示手段の使用に対して課金する課金処理部を有する表示管理手段とを備えていることを特徴としている。
上記の構成によれば、携帯情報手段からの要求に基づき、表示制御手段は、表示側通信手段を介して携帯情報手段から入力された画像情報を表示手段に表示させる。したがって、携帯情報手段には、画像を適切に表示可能な大型の表示手段が不要となる。この結果、携帯情報手段は小型軽量化が可能となり、携帯性が向上する。
また、表示管理手段の課金処理部が、携帯情報手段による表示手段の使用に対して課金するので、表示手段の使用に対して適切に利益を得ることができる。
上記の情報サービスシステムは、前記表示手段と前記表示側通信手段とが対をなし、これらの対が一つの表示管理手段に対して複数対設けられている構成としてもよい。
上記の構成によれば、一つの表示管理手段が複数の表示手段を管理するので、効率のよいシステムを構成できるとともに、複数の表示手段の設置が容易となる。
上記の情報サービスシステムは、前記表示手段と前記表示側通信手段とが対をなし、少なくともこれらの対が複数の地域に分散して設けられている構成としてもよい。
上記の構成によれば、表示手段が複数の地域に分散して設けられているので、表示手段の使用が容易となり、本システムの利便性が向上する。
上記の情報サービスシステムは、前記課金処理部が、前記携帯情報手段による前記表示手段の使用時間に応じた金額を課金する構成としてもよい。
上記の構成によれば、携帯情報手段による表示手段の使用に対して、適切な課金が可能となる。
上記の情報サービスシステムは、前記表示管理手段が、有料情報を格納する有料情報格納部を有するとともに、前記携帯情報手段からの要求に応じて前記有料情報を前記携帯情報手段に提供するものであり、前記課金処理部が、さらに、前記携帯情報手段に前記有料情報が提供されたときに、前記有料情報の使用料金分を課金する構成としてもよい。
上記の構成によれば、携帯情報手段は、携帯情報手段が保持する画像情報を表示手段に表示させるという表示手段の使用に加えて、表示管理手段の有料情報格納部が保持する有料情報も使用可能となりシステムの利便性が向上する。また、携帯情報手段による表示手段の使用に加えて、有料管理手段が保持する有料情報の使用に対しても適切な課金が可能となる。
上記の情報サービスシステムは、前記表示提供手段が、さらに料金支払い手段受入れ部を有し、前記課金処理部が、課金する料金の支払いを前記携帯情報手段の使用者に対して請求するとともに、料金の精算を前記料金支払い手段受入れ部に持ち込まれた料金支払い手段に対して行う構成としてもよい。
上記の構成によれば、課金処理部は、課金した料金の精算を料金支払い手段受入れ部に持ち込まれた料金支払い手段、例えば現金、クレジットカード、デビットカード、各種プリペイドカード、電子マネーに対して行う。したがって、携帯情報手段の使用者（所持者）による使用料金の精算が容易となる。
上記の情報サービスシステムは、前記表示管理手段が、前記料金支払い手段受入れ部に持ち込まれた料金支払い手段により示される使用可能金額に基づいて、携帯情報手段による表示手段の使用時間を管理する使用可否判定部とを備えている構成としてもよい。
上記の構成によれば、使用可否判定部が料金支払い手段受入れ部に持ち込まれた料金支払い手段、例えば現金、クレジットカード、デビットカード、各種プリペイドカード、電子マネーにより示される使用可能金額に基づいて、携帯情報手段による表示手段の使用時間を管理するので、携帯情報手段による表示手段の使用可能時間の管理を適切に行うことができる。
上記の情報サービスシステムは、前記表示管理手段が、さらに、前記表示手段に表示される広告情報を格納する広告情報格納部と、前記携帯情報手段により前記表示手段が使用されていないときに、前記広告情報格納部に格納されている広告情報が前記表示手段に表示されるように切り換える表示切換え制御部とを備えている構成としてもよい。
上記の構成によれば、携帯情報手段により表示手段が使用されていないときには、表示切換え制御部の切換え動作により、広告情報格納部に格納されている広告情報が表示手段に表示される。したがって、携帯情報手段により表示手段が使用されていないときには、広告主が表示手段の表示機能を有効に利用し、広告を行うことができる。
上記の情報サービスシステムは、前記表示管理手段が、さらに、前記表示手段に表示される広告情報を格納する広告情報格納部と、前記携帯情報手段により前記表示手段が使用されていないときに、前記広告情報格納部に格納されている広告情報が前記表示手段に表示されるように切り換える表示切換え制御部とを備え、前記課金処理部が、前記表示手段における前記広告情報の表示に対して広告主に課金する構成としてもよい。
上記の構成によれば、携帯情報手段により表示手段が使用されていないときには、表示切換え制御部の切換え動作により、広告情報格納部に格納されている広告情報が表示手段に表示される。したがって、携帯情報手段により表示手段が使用されていないときには、広告主が表示手段の表示機能を有効に利用し、広告を行うことができる。
また、課金処理部が、表示手段における広告情報の表示に対して広告主に課金するので、表示手段における広告情報の表示に対して適切に利益を得ることができる。
上記の情報サービスシステムは、前記表示管理手段が、さらに、前記表示手段に表示される広告情報を格納する広告情報格納部と、前記携帯情報手段により前記表示手段が使用されていないときに、前記広告情報格納部に格納されている広告情報が前記表示手段に表示されるように切り換える表示切換え制御部とを備え、前記課金処理部が、課金した料金の前記携帯情報手段の使用者に対する請求分を減額し、その減額分を前記表示手段に表示された広告の広告主に請求する構成としてもよい。
上記の構成によれば、携帯情報手段により表示手段が使用されていないときには、表示切換え制御部の切換え動作により、広告情報格納部に格納されている広告情報が表示手段に表示される。したがって、携帯情報手段により表示手段が使用されていないときには、広告主が表示手段の表示機能を有効に利用し、広告を行うことができる。
また、上記の広告表示に基づき、課金処理部は、課金した料金の携帯情報手段の使用者に対する請求分を減額し、その減額分を表示手段に表示された広告の広告主に請求する。したがって、携帯情報手段の使用者にとっても安価で利用し易いシステムとなる。
本発明のさらに他の情報サービスシステムは、携帯情報手段と表示提供手段とを備え、前記表示提供手段が、画像情報を表示する表示手段と、前記携帯情報手段との通信を行う表示側通信手段と、前記表示側通信手段を介して前記携帯情報手段から入力された画像情報を前記表示手段に表示させる表示制御手段と、前記表示手段の動作を管理する表示管理手段とを備え、前記表示管理手段が、前記表示手段に表示される広告情報を格納する広告情報格納部と、前記携帯情報手段により前記表示手段が使用されていないときに、前記広告情報格納部に格納されている広告情報が前記表示手段に表示されるように切り換える表示切換え制御部と、前記表示手段の使用料を前記表示手段に表示された広告の広告主に対して課金する課金処理部とを備えていることを特徴としている。
上記の構成によれば、携帯情報手段からの要求に基づき、表示制御手段は、表示側通信手段を介して携帯情報手段から入力された画像情報を表示手段に表示させる。したがって、携帯情報手段には、画像を適切に表示可能な大型の表示手段が不要となる。この結果、携帯情報手段は小型軽量化が可能となり、携帯性が向上する。
また、携帯情報手段により表示手段が使用されていないときには、表示切換え制御部の切換え動作により、広告情報格納部に格納されている広告情報が表示手段に表示される。したがって、携帯情報手段により表示手段が使用されていないときには、広告主が表示手段の表示機能を有効に利用し、広告を行うことができる。
さらに、上記の広告表示に基づき、課金処理部は、表示手段の使用料を表示手段に表示された広告の広告主に対して課金する。したがって、携帯情報手段の使用者にとっても経済的な負担がなく、利用し易いシステムとなる。
上記の情報サービスシステムは、前記課金処理部が、課金により得た利益の一部を少なくとも前記表示手段の設置場所を提供する設置場所提供者に還元する構成としてもよい。
上記の構成によれば、少なくとも表示手段の設置場所提供者も設置場所の提供に対して利益を得ることができる。
上記の情報サービスシステムは、前記課金処理部が、課金により得た利益の一部を少なくとも前記表示手段の設置場所を提供する設置場所提供者に還元する一方、前記設置場所提供者が広告主である場合には、前記設置場所提供者に対して前記課金を行うものである構成としてもよい。
上記の構成によれば、少なくとも表示手段の設置場所提供者も設置場所の提供に対して利益を得ることができる。一方、設置場所提供者が広告主である場合には、設置場所提供者に対して課金を行うので、設置場所提供者に対する利益の還元および課金を適切に行うことができる。
上記の情報サービスシステムは、前記携帯情報手段と前記表示提供手段との通信が、ＩＥＥＥ８０２．１１、ＵＳＢ、またはＩＥＥＥ１３９４の仕様に基づいて行われる構成としてもよい。
上記の構成によれば、携帯情報手段と表示提供手段との通信のための接続を簡単に行うことができる。
本発明の情報サービス方法は、携帯情報手段を所持する不特定多数の使用者により使用可能な場所に、画像情報を表示する表示手段を設置し、前記携帯情報手段からの使用要求に基づき、前記携帯情報手段から入力された画像情報を前記表示手段に表示させることを特徴としている。
上記の構成によれば、携帯情報手段からの要求に基づき、携帯情報手段から入力された画像情報を表示手段に表示させる。したがって、携帯情報手段には、画像を適切に表示可能な大型の表示手段が不要となる。この結果、携帯情報手段は小型軽量化が可能となり、携帯性が向上する。
また、表示手段は、携帯情報手段を所持する不特定多数の使用者により使用可能な場所、例えば公共の場所に設けられているので、携帯情報手段の所持者は、外出先や移動先において表示手段を容易に使用可能である。
本発明の他の情報サービス方法は、画像情報を表示する表示手段を設置し、携帯情報手段から入力された画像情報を前記表示手段に表示させ、前記携帯情報手段による前記表示手段の使用に対して課金することを特徴としている。
上記の構成によれば、携帯情報手段からの要求に基づき、携帯情報手段から入力された画像情報を表示手段に表示させる。したがって、携帯情報手段には、画像を適切に表示可能な大型の表示手段が不要となる。この結果、携帯情報手段は小型軽量化が可能となり、携帯性が向上する。
また、携帯情報手段による表示手段の使用に対して課金するので、表示手段の使用に対して適切に利益を得ることができる。
上記の情報サービス方法は、課金する料金の支払いを前記携帯情報手段の使用者に対して請求するとともに、料金の精算を提示された料金支払い手段に対して行う構成としてもよい。
上記の構成によれば、課金した料金の精算を提示された料金支払い手段、例えば現金、クレジットカード、デビットカード、各種プリペイドカード、電子マネーに対して行うので、携帯情報手段の使用者（所持者）による使用料金の精算が容易となる。
上記の情報サービス方法は、前記携帯情報手段により前記表示手段が使用されていないときに、広告情報を前記表示手段に表示させる構成としてもよい。
上記の構成によれば、携帯情報手段により表示手段が使用されていないときには、広告情報が表示手段に表示される。したがって、携帯情報手段により表示手段が使用されていないときには、広告主が表示手段の表示機能を有効に利用し、広告を行うことができる。
上記の情報サービス方法は、前記表示手段における前記広告情報の表示に対して広告主に課金する構成としてもよい。
上記の構成によれば、表示手段における広告情報の表示に対して広告主に課金するので、表示手段における広告情報の表示に対して適切に利益を得ることができる。
上記の情報サービス方法は、前記携帯情報手段により前記表示手段が使用されていないときに、広告情報を前記表示手段に表示させるとともに、課金した料金の前記携帯情報手段の使用者に対する請求分を減額し、その減額分を前記表示手段に表示された広告の広告主に請求する構成としてもよい。
上記の構成によれば、携帯情報手段により表示手段が使用されていないときには、広告情報が表示手段に表示される。したがって、携帯情報手段により表示手段が使用されていないときには、広告主が表示手段の表示機能を有効に利用し、広告を行うことができる。
また、上記の広告表示に基づき、課金した料金の携帯情報手段の使用者に対する請求分を減額し、その減額分を表示手段に表示された広告の広告主に請求する。したがって、携帯情報手段の使用者にとっても安価で利用し易いシステムとなる。
上記の情報サービス方法は、画像情報を表示する表示手段を設置し、携帯情報手段から入力された画像情報を前記表示手段に表示させる一方、前記携帯情報手段により前記表示手段が使用されていないときに、広告情報を前記表示手段に表示させ、携帯情報手段および広告表示による表示手段の使用料を前記表示手段に表示された広告の広告主に対して課金する構成としてもよい。
上記の構成によれば、携帯情報手段からの要求に基づき、携帯情報手段から入力された画像情報を表示手段に表示させる。したがって、携帯情報手段には、画像を適切に表示可能な大型の表示手段が不要となる。この結果、携帯情報手段は小型軽量化が可能となり、携帯性が向上する。
また、携帯情報手段により表示手段が使用されていないときには、広告情報が表示手段に表示される。したがって、携帯情報手段により表示手段が使用されていないときには、広告主が表示手段の表示機能を有効に利用し、広告を行うことができる。
さらに、上記の広告表示に基づき、表示手段の使用料を表示手段に表示された広告の広告主に対して課金する。したがって、携帯情報手段の使用者にとっても経済的な負担がなく、利用し易いシステムとなる。
上記の情報サービス方法は、課金により得た利益の一部を前記表示手段の設置場所提供者に還元する構成としてもよい。
上記の構成によれば、少なくとも表示手段の設置場所提供者も設置場所の提供に対して利益を得ることができる。
上記の情報サービス方法は、課金により得た利益の一部を前記表示手段の設置場所を提供する設置場所提供者に還元する一方、前記設置場所提供者が広告主である場合には、前記設置場所提供者に対して前記課金を行う構成としてもよい。
上記の構成によれば、少なくとも表示手段の設置場所提供者も設置場所の提供に対して利益を得ることができる。一方、設置場所提供者が広告主である場合には、設置場所提供者に対して課金を行うので、設置場所提供者に対する利益の還元および課金を適切に行うことができる。
本発明の情報サービスシステムは、外部装置、例えば携帯型パーソナルコンピュータを所持する不特定多数の使用者により使用可能な場所に設けられ、情報を表示する表示手段と、前記外部装置との通信を行う表示側通信手段と、前記外部装置から前記表示側通信手段を介して入力された要求に基づき、通信ネットワークを介して情報を取り込み、この情報を前記表示手段に表示させる表示管理手段とを備えている構成である。
上記の構成によれば、表示管理手段は、外部装置から表示側通信手段を介して入力された要求に基づき、通信ネットワークを介して情報を取り込み、この情報を表示手段に表示させる。したがって、外部装置には、情報を適切に表示可能な大型の表示手段が不要となる。この結果、外部装置は小型軽量化が可能となり、携帯性が向上する。
また、表示手段は、外部装置を所持する不特定多数の使用者により使用可能な場所、例えば公共の場所に設けられているので、外部装置の所持者は、外出先や移動先において表示手段を容易に使用可能である。
本発明の他の情報サービスシステムは、外部装置を所持する不特定多数の使用者により使用可能な場所に設けられ、情報を表示する表示手段と、前記外部装置との通信を行う表示側通信手段と、前記外部装置から前記表示側通信手段を介して入力された要求に基づき、通信ネットワークを介して情報を取り込み、この情報を前記表示側通信手段を介して前記外部装置に供給するとともに、この処理の経過を前記表示手段に表示させる表示管理手段とを備えている構成である。
上記の構成によれば、表示管理手段は、外部装置から表示側通信手段を介して入力された要求に基づき、通信ネットワークを介して情報を取り込み、この情報を表示側通信手段を介して外部装置に供給するとともに、この処理の経過を表示手段に表示させる。したがって、外部装置には、この外部装置の要求に基づいて行う処理の経過を適切に表示可能な大型の表示手段が不要となる。この結果、外部装置は小型軽量化が可能となり、携帯性が向上する。
また、表示手段は、外部装置を所持する不特定多数の使用者により使用可能な場所、例えば公共の場所に設けられているので、外部装置の所持者は、外出先や移動先において表示手段を容易に使用可能である。
本発明のさらに他の情報サービスシステムは、情報を表示する表示手段と、外部装置との通信を行う表示側通信手段と、前記外部装置から前記表示側通信手段を介して入力された要求に基づき、通信ネットワークを介して情報を取り込み、この情報を前記表示手段に表示させるとともに、前記外部装置からの要求に基づいて行う処理の少なくとも一部に対して課金する表示管理手段とを備えている構成である。
上記の構成によれば、表示管理手段は、外部装置から表示側通信手段を介して入力された要求に基づき、通信ネットワークを介して情報を取り込み、この情報を表示手段に表示させる。したがって、外部装置には、情報を適切に表示可能な大型の表示手段が不要となる。この結果、外部装置は小型軽量化が可能となり、携帯性が向上する。
また、表示管理手段が、外部装置からの要求に基づいて行う処理の少なくとも一部に対して課金するので、前記処理を行うことに対して適切に利益を得ることができる。
本発明のさらに他の情報サービスシステムは、情報を表示する表示手段と、前記外部装置との通信を行う表示側通信手段と、前記外部装置から前記表示側通信手段を介して入力された要求に基づき、通信ネットワークを介して情報を取り込み、この情報を前記表示側通信手段を介して前記外部装置に供給し、この処理の経過を前記表示手段に表示させるとともに、前記外部装置からの要求に基づいて行う処理の少なくとも一部に対して課金する表示管理手段とを備えている構成である。
上記の構成によれば、表示管理手段は、外部装置から表示側通信手段を介して入力された要求に基づき、通信ネットワークを介して情報を取り込み、この情報を表示側通信手段を介して外部装置に供給し、この処理の経過を表示手段に表示させる。したがって、外部装置には、この外部装置の要求に基づいて行う処理の経過を適切に表示可能な大型の表示手段が不要となる。この結果、外部装置は小型軽量化が可能となり、携帯性が向上する。
また、表示管理手段が、外部装置からの要求に基づいて行う処理の少なくとも一部に対して課金するので、前記処理を行うことに対して適切に利益を得ることができる。
上記の情報サービスシステムは、前記外部装置としての携帯情報手段を備えるとともに、前記ネットワークを介して前記表示管理手段に情報を配信可能な情報配信手段を備えている構成としてもよい。
上記の構成によれば、表示管理手段は、携帯情報手段から表示側通信手段を介して入力された要求に基づき、通信ネットワークを介して情報配信手段から情報を適切に取り込むことができる。そして携帯情報手段には、大型の表示手段が不要となるので、この携帯情報手段は、小型軽量化が可能となり、携帯性が向上する。
上記の情報サービスシステムは、前記表示手段と前記表示側通信手段とが対をなし、これらの対が一つの表示管理手段に対して複数対設けられている構成としてもよい。
上記の構成によれば、一つの表示管理手段が複数の表示手段を管理するので、効率のよいシステムを構成できるとともに、複数の表示手段の設置が容易となる。
上記の情報サービスシステムは、前記表示手段と前記表示側通信手段とが対をなし、少なくともこれらの対が複数の地域に分散して設けられている構成としてもよい。
上記の構成によれば、表示手段が複数の地域に分散して設けられているので、表示手段の使用が容易となり、本システムの利便性が向上する。
上記の情報サービスシステムは、前記表示管理手段が、前記課金を前記表示手段の使用時間に応じて行う構成としてもよい。
上記の構成によれば、表示手段の使用に対して、適切な課金が可能となる。
上記の情報サービスシステムは、前記表示管理手段が、前記通信ネットワークを介しての情報配信契約を交わしている情報配信手段から有料情報を取得する構成としてもよい。
上記の構成によれば、予め有益な有料情報を提供する情報配信手段を選択して情報配信契約を交わしておき、表示管理手段がそのような表示管理手段から有料情報を取得することができるので、良質な種々の情報を容易に得ることができる。
上記の情報サービスシステムは、前記情報配信手段が複数存在し、前記表示管理手段が、取得すべき有料情報を最も安価に提供する情報配信手段から取得する構成としてもよい。
上記の構成によれば、本システムの利用者に有益な情報を安価にて提供することができる。
上記の情報サービスシステムは、さらに料金支払い手段受入れ部を有し、前記表示管理手段が、課金する料金の支払いを前記外部装置の使用者に対して請求するとともに、料金の精算を前記料金支払い手段受入れ部に持ち込まれた料金支払い手段に対して行う構成としてもよい。
上記の構成によれば、表示管理手段は、課金する料金の支払いを外部装置の使用者に対して請求するとともに、料金の精算を料金支払い手段受入れ部に持ち込まれた料金支払い手段、例えば現金、クレジットカード、デビットカード、各種プリペイドカード、電子マネーに対して行う。したがって、外部装置の使用者（所持者）による使用料金の精算が容易となる。
上記の情報サービスシステムは、前記表示管理手段が、前記料金支払い手段受入れ部に持ち込まれた料金支払い手段により示される使用可能金額に基づいて、外部装置による表示手段の使用時間を管理する構成としてもよい。
上記の構成によれば、表示管理手段が、料金支払い手段受入れ部に持ち込まれた料金支払い手段、例えば現金、クレジットカード、デビットカード、各種プリペイドカード、電子マネーにより示される使用可能金額に基づいて、外部装置による表示手段の使用時間を管理するので、外部装置による表示手段の使用可能時間の管理を適切に行うことができる。
上記の情報サービスシステムは、前記表示管理手段が、前記表示手段に表示される広告情報を格納する広告情報格納部を備えるとともに、前記外部装置により前記表示手段が使用されていないときに、前記広告情報格納部に格納されている広告情報を前記表示手段に表示させる構成としてもよい。
上記の構成によれば、外部装置により表示手段が使用されていないときには、広告情報格納部に格納されている広告情報が表示手段に表示される。したがって、外部装置により表示手段が使用されていないときには、広告主が表示手段の表示機能を有効に利用し、広告を行うことができる。
上記の情報サービスシステムは、前記表示管理手段が、前記外部装置により前記表示手段が使用されていないときに、前記通信ネットワークを介して広告情報を取り込み、この広告情報を前記表示手段に表示させる構成としてもよい。
上記の構成によれば、外部装置により表示手段が使用されていないときには、通信ネットワークを介して取り込まれた広告情報が表示手段に表示される。したがって、外部装置により表示手段が使用されていないときには、広告主が表示手段の表示機能を有効に利用し、広告を行うことができる。
上記の情報サービスシステムは、前記表示管理手段が、前記表示手段における前記広告情報の表示に対して広告主に課金する構成としてもよい。
上記の構成によれば、表示手段における広告情報の表示に対して適切に利益を得ることができる。
上記の情報サービスシステムは、前記表示管理手段が、前記外部装置により前記表示手段が使用されていないときに、広告情報を前記表示手段に表示させるとともに、前記表示手段における前記広告情報の表示に対して広告主に課金する一方、前記外部装置の使用者に対しての課金による請求分を減額し、その減額分を前記広告主に請求する構成としてもよい。
上記の構成によれば、外部装置により表示手段が使用されていないときには、広告情報が表示手段に表示される。したがって、外部装置により表示手段が使用されていないときには、広告主が表示手段の表示機能を有効に利用し、広告を行うことができる。
また、上記の広告表示に基づき、表示管理手段は、課金した料金の外部装置の使用者に対する請求分を減額し、その減額分を表示手段に表示された広告の広告主に請求する。したがって、外部装置の使用者にとっても安価で利用し易いシステムとなる。
上記の情報サービスシステムは、前記表示管理手段が、課金により得た利益の一部を少なくとも前記表示手段の設置場所を提供する設置場所提供者に還元する構成としてもよい。
上記の構成によれば、少なくとも表示手段の設置場所提供者も設置場所の提供に対して利益を得ることができる。
上記の情報サービスシステムは、前記表示管理手段が、課金により得た利益の一部を少なくとも前記表示手段の設置場所を提供する設置場所提供者に還元する一方、前記設置場所提供者が広告主である場合には、前記設置場所提供者に対して前記課金を行う構成としてもよい。
上記の構成によれば、少なくとも表示手段の設置場所提供者も設置場所の提供に対して利益を得ることができる。一方、設置場所提供者が広告主である場合には、設置場所提供者に対して課金を行うので、設置場所提供者に対する利益の還元および課金を適切に行うことができる。
上記の情報サービスシステムは、前記表示管理手段が、外部装置の使用者に対しての質問事項を格納する質問事項格納部を備えるとともに、前記外部装置から本システムの使用要求が入力されたときに、前記質問事項を前記表示手段に表示させる構成としてもよい。
上記の構成によれば、外部装置から本システムの使用要求が入力されたときには、表示管理手段により、外部装置の使用者に対する質問事項が質問事項格納部から読み出され、表示手段に表示される。したがって、この質問事項に対し外部装置の使用者にて回答が行われることにより、外部装置の使用者に関する情報やその動向等、企業活動において価値の高い情報を容易に収集することができる。
上記の情報サービスシステムは、前記表示管理手段が、前記外部装置から本システムの使用要求が入力されたときに、前記外部装置の使用者に対する質問事項を前記通信ネットワークを介して質問事項の依頼元から取り込むとともに、前記質問事項を前記表示手段に表示させる構成としてもよい。
上記の構成によれば、外部装置から本システムの使用要求が入力されたときには、表示管理手段により、外部装置の使用者に対する質問事項が通信ネットワークを介して質問事項の依頼元から取り込まれ、表示手段に表示される。したがって、この質問事項に対し外部装置の使用者にて回答が行われることにより、外部装置の使用者に関する情報やその動向等、企業活動において価値の高い情報を容易に収集することができる。
上記の情報サービスシステムは、前記表示管理手段が、前記外部装置から本システムの使用要求が入力されたときに、前記外部装置の使用者に対する質問事項を前記表示手段に表示させるとともに、この質問事項に対して回答が得られたときに、前記外部装置の使用者に対しての課金による請求分を減額する構成としてもよい。
上記の構成によれば、外部装置から本システムの使用要求が入力されたときには、表示管理手段により、外部装置の使用者に対する質問事項が表示手段に表示される。したがって、この質問事項に対し外部装置の使用者にて回答が行われることにより、外部装置の使用者に関する情報やその動向等、企業活動において価値の高い情報を容易に収集することができる。
一方、外部装置の使用者に対しては、上記質問事項に回答することにより、課金による請求分が減額される。したがって、外部装置の使用者にとっても安価で利用し易いシステムとなる。
上記の情報サービスシステムは、前記表示管理手段が、質問事項の回答に基づく前記減額分を質問事項の依頼元に請求する構成としてもよい。
上記の構成によれば、本システムの使用分に対する利益の回収を適切に行うことができる。
上記の情報サービスシステムは、前記表示側通信手段が、前記外部装置との通信を、ＩＥＥＥ８０２．１１、ＵＳＢ、またはＩＥＥＥ１３９４の仕様に基づいて行う構成としてもよい。
上記の構成によれば、表示管理手段と外部装置との通信のための接続を簡単に行うことができる。
上記の情報サービスシステムは、前記表示管理手段と前記通信ネットワークとの間に、無線通信手段、およびこの無線通信手段を介しての前記表示管理手段と通信ネットワークとの中継を行う通信管理手段とを備えている構成としてもよい。
上記の構成によれば、表示管理手段が無線通信手段および通信管理手段を介して通信ネットワークと接続されるようになっているので、表示手段と表示管理手段とを例えば航空機、船舶、列車、バス等の移動する移動手段内に設定することができる。したがって、移動手段内においても、外部装置の使用者は本システムを使用することが可能となり、本システムの利便性がさらに向上する。
本発明の情報サービス方法は、外部装置を所持する不特定多数の使用者により使用可能な場所に、情報を表示する表示手段を設置し、前記外部装置から入力された要求に基づき、通信ネットワークを介して情報を取り込み、この情報を表示手段に表示させる構成である。
上記の構成によれば、外部装置には、情報を適切に表示可能な大型の表示手段が不要となる。この結果、外部装置は小型軽量化が可能となり、携帯性が向上する。
また、表示手段は、外部装置を所持する不特定多数の使用者により使用可能な場所、例えば公共の場所に設けられているので、外部装置の所持者は、外出先や移動先において表示手段を容易に使用可能である。
本発明の他の情報サービス方法は、外部装置を所持する不特定多数の使用者により使用可能な場所に、情報を表示する表示手段を設置し、前記外部装置から入力された要求に基づき、通信ネットワークを介して情報を取り込み、この情報を前記外部装置に供給するとともに、この処理の経過を前記表示手段に表示させる構成である。
上記の構成によれば、外部装置には、この外部装置の要求に基づいて行う処理の経過を適切に表示可能な大型の表示手段が不要となる。この結果、外部装置は小型軽量化が可能となり、携帯性が向上する。
また、表示手段は、外部装置を所持する不特定多数の使用者により使用可能な場所、例えば公共の場所に設けられているので、外部装置の所持者は、外出先や移動先において表示手段を容易に使用可能である。
本発明のさらに他の情報サービス方法は、情報を表示する表示手段を設置し、外部装置から入力された要求に基づき、通信ネットワークを介して情報を取り込み、この情報を前記表示手段に表示させるとともに、前記外部装置からの要求に基づいて行う処理の少なくとも一部に対して課金する構成である。
上記の構成によれば、通信ネットワークを介して取り込んだ情報を表示する場合に、外部装置には、情報を適切に表示可能な大型の表示手段が不要となる。この結果、外部装置は小型軽量化が可能となり、携帯性が向上する。
また、外部装置からの要求に基づいて行う処理の少なくとも一部に対して課金するので、前記処理を行うことに対して適切に利益を得ることができる。
本発明のさらに他の情報サービス方法は、情報を表示する表示手段を設置し、外部装置から入力された要求に基づき、通信ネットワークを介して情報を取り込み、この情報を前記外部装置に供給し、この処理の経過を前記表示手段に表示させるとともに、前記外部装置からの要求に基づいて行う処理の少なくとも一部に対して課金する構成である。
上記の構成によれば、通信ネットワークを介して取り込んだ情報を外部装置に供給する場合に、外部装置には、この外部装置の要求に基づいて行う処理の経過を適切に表示可能な大型の表示手段が不要となる。この結果、外部装置は小型軽量化が可能となり、携帯性が向上する。
また、外部装置からの要求に基づいて行う処理の少なくとも一部に対して課金するので、前記処理を行うことに対して適切に利益を得ることができる。
上記の情報サービス方法は、前記外部装置として携帯情報手段を使用し、前記情報を前記ネットワークを介して情報を配信可能な情報配信手段から取り込む構成としてもよい。
上記の構成によれば、携帯情報手段から入力された要求に基づき、通信ネットワークを介して情報配信手段から情報を適切に取り込むことができる。そして携帯情報手段には、大型の表示手段が不要となるので、この携帯情報手段は、小型軽量化が可能となり、携帯性が向上する。
上記情報サービス方法は、取得する前記情報が有料情報であり、この有料情報を、前記通信ネットワークを介しての情報配信契約を交わしている情報配信手段から取得する構成としてもよい。
上記の構成によれば、予め有益な有料情報を提供する情報配信手段を選択して情報配信契約を交わしておき、表示管理手段がそのような表示管理手段から有料情報を取得することができるので、良質な種々の情報を容易に得ることができる。
上記情報サービス方法は、前記情報配信手段が複数存在し、取得すべき有料情報を最も安価に提供する情報配信手段から取得する構成としてもよい。
上記の構成によれば、本システムの利用者に有益な情報を安価にて提供することができる。
上記情報サービス方法は、前記外部装置により前記表示手段が使用されていないときに、広告情報を前記表示手段に表示させる構成としてもよい。
上記の構成によれば、外部装置により表示手段が使用されていないときには、広告主が表示手段の表示機能を有効に利用し、広告を行うことができる。
上記情報サービス方法は、前記外部装置により前記表示手段が使用されていないときに、広告情報を前記表示手段に表示させるとともに、前記表示手段における前記広告情報の表示に対して広告主に課金する構成としてもよい。
上記の構成によれば、表示手段における広告情報の表示に対して適切に利益を得ることができる。
上記情報サービス方法は、前記外部装置により前記表示手段が使用されていないときに、広告情報を前記表示手段に表示させるとともに、前記表示手段における前記広告情報の表示に対して広告主に課金する一方、前記外部装置の使用者に対しての課金による請求分を減額し、その減額分を前記広告主に請求する構成としてもよい。
上記の構成によれば、外部装置により表示手段が使用されていないときには、広告主が表示手段の表示機能を有効に利用し、広告を行うことができる。
また、上記の広告表示に基づき、外部装置の使用者に対する請求分が減額されるので、外部装置の使用者にとっても安価で利用し易いシステムとなる。
上記情報サービス方法は、前記外部装置から本システムの使用要求が入力されたときに、外部装置の使用者に対する質問事項を前記表示手段に表示させることを特徴としている。
上記の構成によれば、質問事項に対し外部装置の使用者にて回答が行われることにより、外部装置の使用者に関する情報やその動向等、企業活動において価値の高い情報を容易に収集することができる。
上記情報サービス方法は、前記外部装置から本システムの使用要求が入力されたときに、前記外部装置の使用者に対する質問事項を前記表示手段に表示させるとともに、この質問事項に対して回答が得られたときに、前記外部装置の使用者に対しての課金による請求分を減額する構成としてもよい。
上記の構成によれば、質問事項に対し外部装置の使用者にて回答が行われることにより、外部装置の使用者に関する情報やその動向等、企業活動において価値の高い情報を容易に収集することができる。
一方、外部装置の使用者に対しては、上記質問事項に回答することにより、課金による請求分が減額される。したがって、外部装置の使用者にとっても安価で利用し易いシステムとなる。
上記情報サービス方法は、質問事項の回答に基づく前記減額分を質問事項の依頼元に請求する構成としてもよい。
上記の構成によれば、本システムの使用分に対する利益の回収を適切に行うことができる。
上記の情報サービス方法は、通信ネットワークを介して取り込む情報を、さらに無線通信手段を介して取り込む構成としてもよい。
上記の構成によれば、表示手段を例えば航空機、船舶、列車、バス等の移動する移動手段内に設定することができる。したがって、移動手段内においても、外部装置の使用者は本システムを使用することが可能となり、本システムの利便性がさらに向上する。
尚、発明を実施するための最良の形態の項においてなした具体的な実施態様または実施例は、あくまでも、本発明の技術内容を明らかにするものであって、そのような具体例にのみ限定して狭義に解釈されるべきものではなく、本発明の精神と次に記載する特許請求の範囲内で、いろいろと変更して実施することができるものである。
【図面の簡単な説明】
図１は、本発明の実施の一形態における情報サービスシステムの構成を機能的に示すブロック図である。
図２は、図１に示した表示部の一例を示す説明図である。
図３は、図２に示した表示制御部の構成を具体的に示すブロック図である。
図４は、図１に示した情報サービスシステムの構成を具体的に示すブロック図である。
図５は、図１に示した情報サービスシステムの概略の外観を示す説明図である。
図６は、図１に示した情報サービスシステムにおいて、表示装置をボックス内に設けた場合の概略の外観を示す斜視図である。
図７は、図１に示した表示管理装置の各機能部をさらに具体的に示すブロック図である。
図８は、図７に示した課金処理部による、外部ネットワークを使用せずに広告表示を行う場合の課金処理例を説明するブロック図である。
図９は、図７に示した課金処理部による、外部ネットワークを使用して広告表示を行う場合の課金処理例を説明するブロック図である。
図１０は、図１に示した情報サービスシステムにおいて、携帯情報装置による表示装置の使用に対して携帯情報装置の使用者に課金する場合の動作を示すフローチャートである。
図１１は、図１０に示した動作に続く情報サービスシステムの動作をを示すフローチャートである。
図１２は、図１０に示した動作において、表示装置における料金支払い方法の選択画面の表示例を示す説明図である。
図１３は、図１に示した情報サービスシステムにおいて、携帯情報装置による表示装置の使用に対して携帯情報装置の使用者に課金しない場合の動作を示すフローチャートである。
図１４は、本発明の実施の他の形態における情報サービスシステムの概略の外観を示す説明図である。
図１５は、図１４に示した情報サービスシステムの構成において、表示装置がボックス内に設けられている構成を示す説明図である。
図１６は、図１４に示した情報サービスシステムにおいて、図１に示した表示管理装置の構成を具体的に示すブロック図である。
図１７は、図１４に示した情報サービスシステムにおいて、携帯情報装置による表示装置の使用に対して携帯情報装置の使用者に課金する場合の動作を示すフローチャートである。
図１８は、図１７に示した動作に続く情報サービスシステムの動作を示すフローチャートである。
図１９は、図１４に示した情報サービスシステムにおいて、携帯情報装置による表示装置の使用に対して携帯情報装置の使用者に課金しない場合の動作を示すフローチャートである。
図２０（ａ）はシステム側から見た場合の図１に示した情報サービスシステムの概略の概念図である。
図２０（ｂ）は携帯情報装置の使用者側から見た場合の同情報サービスシステムの概略の概念図である。
図２１は、システム側から見た場合の、送受信部および内部ネットワーク部を明示した図１に示した情報サービスシステムの概略の概念図である。
図２２は、本発明の実施のさらに他の形態における情報サービスシステムの構成を機能的に示すブロック図である。
図２３は、図２２に示した表示部の一例を示す説明図である。
図２４は、図２３に示した表示制御部の構成を具体的に示すブロック図である。
図２５は、図２２に示した情報サービスシステムの構成を具体的に示すブロック図である。
図２６は、図２２に示した情報サービスシステムの概略の外観を示す説明図である。
図２７は、図２２に示した情報サービスシステムにおいて、表示装置をボックス内に設けた場合の概略の外観を示す斜視図である。
図２８は、図２２に示した表示管理装置の各機能部をさらに具体的に示すブロック図である。
図２９は、図２８に示した課金処理部による、通信ネットワークを使用して広告表示を行う場合の課金処理例を説明するブロック図である。
図３０は、図２２に示した情報サービスシステムにおいて、携帯情報装置による表示装置の使用に対して携帯情報装置の使用者に課金する場合の動作を示すフローチャートである。
図３１は、図３０に示した動作に続く情報サービスシステムの動作をを示すフローチャートである。
図３２は、図３０に示した動作において、表示装置における料金支払い方法の選択画面の表示例を示す説明図である。
図３３は、図２２に示した情報サービスシステムにおいて、携帯情報装置による表示装置の使用に対して携帯情報装置の使用者に課金しない場合の動作を示すフローチャートである。
図３４は、本発明の実施のさらに他の形態における情報サービスシステムの概略の外観を示す説明図である。
図３５は、図３４に示した情報サービスシステムの構成において、表示装置がボックス内に設けられている構成を示す説明図である。
図３６は、図３４に示した情報サービスシステムの一形態の構成を示す説明図である。
図３７は、図３４に示した情報サービスシステムにおいて、図１に示した表示管理装置の構成を具体的に示すブロック図である。
図３８は、図３４に示した情報サービスシステムにおいて、携帯情報装置による表示装置の使用に対して携帯情報装置の使用者に課金する場合の動作を示すフローチャートである。
図３９は、図３８に示した動作に続く情報サービスシステムの動作を示すフローチャートである。
図４０は、図３４に示した情報サービスシステムにおいて、携帯情報装置による表示装置の使用に対して携帯情報装置の使用者に課金しない場合の動作を示すフローチャートである。
図４１は、本発明の実施のさらに他の形態における情報サービスシステムにおいて、表示装置の使用に対する携帯情報装置の使用者への課金分を、アンケートの回答に応じて減額する場合の動作を示すフローチャートである。
図４２は、図４１に示した動作に続く情報サービスシステムの動作をを示すフローチャートである。
図４３は、図４１に示した動作における表示装置の使用要求の入力画面を示す説明図である。
図４４は、図４２に示した動作におけるアンケートの表示画面を示す説明図である。
図４５は、図４２に示した動作におけるアンケート回答画面への移行選択表示例を示す説明図である。
図４６は、本発明の実施のさらに他の形態における情報サービスシステムの概略の外観を示す説明図である。
図４７（ａ）はシステム側から見た場合の図２２に示した情報サービスシステムの概略の概念図である。
図４７（ｂ）は携帯情報装置の使用者側から見た場合の同情報サービスシステムの概略の概念図である。
図４８は、システム側から見た場合の、送受信部および内部ネットワーク部を明示した図１に示した情報サービスシステムの概略の概念図である。
【図１】
2002029655.tif 000003
【図２】
2002029655.tif 000004
【図３】
2002029655.tif 000005
【図４】
2002029655.tif 000006
【図５】
2002029655.tif 000007
【図６】
2002029655.tif 000008
【図７】
2002029655.tif 000009
【図８】
2002029655.tif 000010
【図９】
2002029655.tif 000011
【図１０】
2002029655.tif 000012
【図１１】
2002029655.tif 000013
【図１２】
2002029655.tif 000014
【図１３】
2002029655.tif 000015
【図１４】
2002029655.tif 000016
【図１５】
2002029655.tif 000017
【図１６】
2002029655.tif 000018
【図１７】
2002029655.tif 000019
【図１８】
2002029655.tif 000020
【図１９】
2002029655.tif 000021
【図２０（ａ）】
2002029655.tif 000022
【図２０（ｂ）】
2002029655.tif 000023
【図２１】
2002029655.tif 000024
【図２２】
2002029655.tif 000025
【図２３】
2002029655.tif 000026
【図２４】
2002029655.tif 000027
【図２５】
2002029655.tif 000028
【図２６】
2002029655.tif 000029
【図２７】
2002029655.tif 000030
【図２８】
2002029655.tif 000031
【図２９】
2002029655.tif 000032
【図３０】
2002029655.tif 000033
【図３１】
2002029655.tif 000034
【図３２】
2002029655.tif 000035
【図３３】
2002029655.tif 000036
【図３４】
2002029655.tif 000037
【図３５】
2002029655.tif 000038
【図３６】
2002029655.tif 000039
【図３７】
2002029655.tif 000040
【図３８】
2002029655.tif 000041
【図３９】
2002029655.tif 000042
【図４０】
2002029655.tif 000043
【図４１】
2002029655.tif 000044
【図４２】
2002029655.tif 000045
【図４３】
2002029655.tif 000046
【図４４】
2002029655.tif 000047
【図４５】
2002029655.tif 000048
【図４６】
2002029655.tif 000049
【図４７（ａ）】
2002029655.tif 000050
【図４７（ｂ）】
2002029655.tif 000051
【図４８】
2002029655.tif 000052
【国際調査報告】
2002029655.tif 000053
2002029655.tif 000054
2002029655.tif 000055
2002029655.tif 000056
2002029655.tif 000057
2002029655.tif 000058